(57)【要約】本願は、サービス信号伝送方法及び装置を開示し、通信技術の分野に属する。方法は、第１ネットワークデバイスによって、Ｎ個の第１サービス信号を取得することであり、２以上であるＮ個の第１サービス信号のコーディングタイプが同じであり、Ｎ個の第１サービス信号のうちの少なくとも２つが異なる伝送レートを有する、ことと、Ｎ個の第２サービス信号を得るようＮ個の第１サービス信号にパディング信号を挿入することであり、Ｎ個の第２サービス信号の伝送レートが基準レートの整数倍である、ことと、Ｎ個の第２サービス信号を１つの第３サービス信号に多重化し、第３サービス信号を第２ネットワークデバイスへ送信することとを含む。本願では、伝送レートが自明な整数比特性を有しているＮ個の第２サービス信号を得るために、パディング信号がＮ個の第１サービス信号に挿入される。これは、異なる伝送レートを有するサービス信号を多重化するという問題を解消し、Ｎ個の第１サービス信号の多重伝送を実施し、それによって、サービス信号伝送効率を改善し、かつ、占有される伝送リソースを減らす。
2021522746.tif 000002
【特許請求の範囲】
【請求項１】
第１ネットワークデバイスに適用されるサービス信号伝送方法であって、
Ｎ個の第１サービス信号を取得することであり、該Ｎ個の第１サービス信号のコーディングタイプは同じであり、前記Ｎ個の第１サービス信号のうちの少なくとも２つは異なる伝送レートを有し、Ｎは２以上の整数である、ことと、
前記Ｎ個の第１サービス信号と一対一の対応にあるＮ個の第２サービス信号を得るようパディング信号を前記Ｎ個の第１サービス信号に挿入することであり、前記Ｎ個の第２サービス信号の伝送レートは基準レートの整数倍である、ことと、
前記Ｎ個の第２サービス信号を１つの第３サービス信号に多重化し、該第３サービス信号を第２ネットワークデバイスへ送信することと
を有する方法。
【請求項２】
前記Ｎ個の第１サービス信号と一対一の対応にあるＮ個の第２サービス信号を得るようパディング信号を前記Ｎ個の第１サービス信号に挿入することは、
前記Ｎ個の第１サービス信号の中の第１サービス信号Ａについて、該第１サービス信号Ａに対応する第２サービス信号を得るよう前記第１サービス信号Ａの伝送レート及び前記基準レートに基づいてパディング信号を前記第１サービス信号Ａに挿入することを有する、
請求項１に記載の方法。
【請求項３】
前記第１サービス信号Ａに対応する第２サービス信号を得るよう前記第１サービス信号Ａの伝送レート及び前記基準レートに基づいてパディング信号を前記第１サービス信号Ａに挿入することは、
前記第１サービス信号Ａの伝送レートに基づいて、単位時間に取得される第１信号ユニットの数であるＸを決定することであり、前記第１信号ユニットは前記第１サービス信号Ａの信号ユニットである、ことと、
前記第１サービス信号Ａの伝送レート及び前記基準レートに基づいて、単位時間に取得される第１信号ユニットのグループに挿入される必要がある第２信号ユニットの数であるＹを決定することであり、前記第２信号ユニットは前記パディング信号の信号ユニットである、ことと、
各単位時間に第１信号ユニットのグループを取得する過程で、各単位時間に取得されるＸ個の第１信号ユニットにＹ個の第２信号ユニットを挿入することと
を有する、
請求項２に記載の方法。
【請求項４】
各単位時間に取得されるＸ個の第１信号ユニットにＹ個の第２信号ユニットを挿入することは、
現在の単位時間に第１信号ユニットのグループを取得する過程で、Ｘ個の第１信号ユニットが取得される場合に、該取得されたＸ個の第１信号ユニットの後にＹ個の第２信号ユニットを挿入することを有する、
請求項３に記載の方法。
【請求項５】
各単位時間に取得されるＸ個の第１信号ユニットにＹ個の第２信号ユニットを挿入することは、
ＸがＹ以上である場合に、
Ｒを得るようＹに対するＸの比の端数を切り上げ、
現在の単位時間に第１信号ユニットのグループを取得する過程で、Ｒ個の第１信号ユニットが取得されるたびに、該取得されたＲ個の第１信号ユニットの後に１つの第２信号ユニットを挿入し、
ＳがＲ以下であるとして、前記現在の単位時間において最後のＳ個の第１信号ユニットが取得される場合に、該取得された最後のＳ個の第１信号ユニットの後に１つの第２信号ユニットを挿入することと、
ＸがＹに満たない場合に、
Ｐを得るようＸに対するＹの比の端数を切り上げ、
現在の単位時間に第１信号ユニットのグループを取得する過程で、１つの第１信号ユニットが取得されるたびに、該取得された第１信号ユニットの後にＰ個の第２信号ユニットを挿入し、
前記現在の単位時間において最後の第１信号ユニットが取得される場合に、ＱがＹと前記現在の単位時間に挿入される第２信号ユニットの数との間の差であるとして、前記取得された最後の第１信号ユニットの後にＱ個の第２信号ユニットを挿入することと
を有する、
請求項３に記載の方法。
【請求項６】
各単位時間に取得されるＸ個の第１信号ユニットにＹ個の第２信号ユニットを挿入することは、
ＸがＹ以上である場合に、
Ｅを得るようＹに対するＸの比の端数を切り捨て、
ＹとＸをＹで除すことで得られる余りとに基づいて、単位時間に毎回取得される第１信号ユニットの数がＥ又はＥ＋１に等しいかどうかを決定し、
該決定された数に基づいて、現在の単位時間にＹ回第１信号ユニットを取得し、毎回取得された前記第１信号ユニットの後に１つの第２信号ユニットを挿入することと、
ＸがＹに満たない場合に、
Ｆを得るようＸに対するＹの比の端数を切り捨て、
ＸとＹをＸで除すことで得られる余りとに基づいて、単位時間に毎回取得される１つの第１信号ユニットの後に挿入される第２信号ユニットの数がＦ又はＦ＋１に等しいかどうかを決定し、
現在の単位時間にＸ回第１信号ユニットを取得し、前記決定された数に基づいて、毎回取得された１つの信号ユニットの後に第２信号ユニットを挿入することと
を有する、
請求項３に記載の方法。
【請求項７】
前記第１サービス信号Ａの伝送レート及び前記基準レートに基づいてパディング信号を前記第１サービス信号Ａに挿入することより前に、当該方法は、
前記Ｎ個の第１サービス信号の伝送レート又は設定されたレートに基づいて前記基準レートを決定することを更に有する、
請求項２乃至６のうちいずれか一項に記載の方法。
【請求項８】
前記Ｎ個の第１サービス信号の伝送レートに基づいて前記基準レートを決定することは、
対象の第１サービス信号の伝送レートの１／Ｔを前記基準レートとして決定することであり、前記対象の第１サービス信号は前記Ｎ個の第１サービス信号の中の１つであり、Ｔは正の数である、こと、又は
前記Ｎ個の第１サービス信号に挿入される前記パディング信号のビットの総数が最小であるというポリシーに従って、前記Ｎ個の第１サービス信号から１つのサービス信号を選択し、該選択されたサービス信号の伝送レートの１／Ｔを前記基準レートとして使用することであり、Ｔは正の数である、こと
を有する、
請求項７に記載の方法。
【請求項９】
前記第１サービス信号Ａに対応する第２サービス信号を得るよう前記第１サービス信号Ａの伝送レート及び前記基準レートに基づいてパディング信号を前記第１サービス信号Ａに挿入することは、
前記第１サービス信号Ａの伝送レート及び前記基準レートに基づいて、前記第１サービス信号Ａに対応する前記第２サービス信号の伝送レートを決定することと、
前記第１サービス信号Ａに対応する前記第２サービス信号を得るよう、前記第１サービス信号Ａの伝送レート及び前記第１サービス信号Ａに対応する前記第２サービス信号の伝送レートに基づいて前記パディング信号を前記第１サービス信号Ａに挿入することと
を有する、
請求項２に記載の方法。
【請求項１０】
前記第１サービス信号Ａの伝送レート及び前記基準レートに基づいて、前記第１サービス信号Ａに対応する前記第２サービス信号の伝送レートを決定することは、
前記第１サービス信号Ａの相対倍数と前記基準レートとの積である第１積に基づいて、前記第１サービス信号Ａに対応する前記第２サービス信号の伝送レートを決定することを有し、
前記第１サービス信号Ａの前記相対倍数は、前記基準レートに対する前記第１サービス信号Ａの伝送レートの比の端数を切り上げることによって得られる、
請求項９に記載の方法。
【請求項１１】
第１積に基づいて前記第１サービス信号Ａに対応する前記第２サービス信号の伝送レートを決定することは、
前記第１サービス信号Ａに対応する前記第２サービス信号の伝送レートとして前記第１積を決定すること、又は
前記Ｎ個の第１サービス信号の許容可能なレート変動下限の最小値及び前記第３サービス信号の許容可能なレート変動上限に基づいて予め決定された第１レート調整上限を取得し、該第１レート調整上限に基づいて前記第１積を調整して、前記第１サービス信号Ａに対応する前記第２サービス信号の伝送レートを取得すること
を有する、
請求項１０に記載の方法。
【請求項１２】
前記第１レート調整上限に基づいて前記第１積を調整して、前記第１サービス信号Ａに対応する前記第２サービス信号の伝送レートを取得することは、
前記第１積及び前記第１レート調整上限と前記第１積との積である第２積の和を前記第１サービス信号Ａに対応する前記第２サービス信号の伝送レートとして決定することを有する、
請求項１１に記載の方法。
【請求項１３】
Ｎ個の第１サービス信号を取得することより前に、当該方法は、
Ｎ個の第４サービス信号を受信することであり、該Ｎ個の第４サービス信号には、前記Ｎ個の第１サービス信号の前記コーディングタイプである対象のコーディングタイプとは異なるコーディングタイプを有する第４サービス信号が存在する、ことと、
前記対象のコーディングタイプに基づいて、前記Ｎ個の第４サービス信号の中の、前記対象のコーディングタイプとは異なるコーディングタイプを有する前記第４サービス信号に対して、コーディング変換を実行することと、
コーディング変換された第４サービス信号と、前記対象のコーディングタイプと同じであるコーディングタイプを有する第４サービス信号とを前記Ｎ個の第１サービス信号として決定することと
を更に有する、
請求項１乃至１２のうちいずれか一項に記載の方法。
【請求項１４】
第２ネットワークデバイスに適用されるサービス信号伝送方法であって、
第１ネットワークデバイスによって送信された第３サービス信号を受信することであり、該第３サービス信号はＮ個の第２サービス信号を多重化することによって形成され、該Ｎ個の第２サービス信号は、該Ｎ個の第２サービス信号と一対一の対応にあるＮ個の第１サービス信号にパディング信号を挿入することによって取得され、前記Ｎ個の第２サービス信号の伝送レートは基準レートの整数倍であり、前記Ｎ個の第１サービス信号のコーディングタイプは同じであり、前記Ｎ個の第１サービス信号のうちの少なくとも２つは異なる伝送レートを有し、Ｎは２以上の整数である、ことと、
前記Ｎ個の第２サービス信号の多重化ルールに従って、前記第３サービス信号を前記Ｎ個の第２サービス信号に逆多重化することと、
前記Ｎ個の第１サービス信号を得るよう、逆多重化を通じて得られた前記Ｎ個の第２サービス信号から前記パディング信号を削除することと
を有する方法。
【請求項１５】
第１ネットワークデバイスに適用されるサービス信号伝送装置であって、
Ｎ個の第１サービス信号を取得するよう構成される取得モジュールであり、該Ｎ個の第１サービス信号のコーディングタイプは同じであり、前記Ｎ個の第１サービス信号のうちの少なくとも２つは異なる伝送レートを有し、Ｎは２以上の整数である、前記取得モジュールと、
前記Ｎ個の第１サービス信号と一対一の対応にあるＮ個の第２サービス信号を得るようにパディング信号を前記Ｎ個の第１サービス信号に挿入するよう構成される挿入モジュールであり、前記Ｎ個の第２サービス信号の伝送レートは基準レートの整数倍である、前記挿入モジュールと、
前記Ｎ個の第２サービス信号を１つの第３サービス信号に多重化し、該第３サービス信号を第２ネットワークデバイスへ送信するよう構成される多重化モジュールと
を有する装置。
【請求項１６】
前記挿入モジュールは、
前記Ｎ個の第１サービス信号の中の第１サービス信号Ａについて、該第１サービス信号Ａに対応する第２サービス信号を得るように前記第１サービス信号Ａの伝送レート及び前記基準レートに基づいてパディング信号を前記第１サービス信号Ａに挿入するよう構成される第１挿入ユニットを有する、
請求項１５に記載の装置。
【請求項１７】
前記第１挿入ユニットは、
前記第１サービス信号Ａの伝送レートに基づいて、単位時間に取得される第１信号ユニットの数であるＸを決定するよう構成される第１決定サブユニットであり、前記第１信号ユニットは前記第１サービス信号Ａの信号ユニットである、前記第１決定サブユニットと、
前記第１サービス信号Ａの伝送レート及び前記基準レートに基づいて、単位時間に取得される第１信号ユニットのグループに挿入される必要がある第２信号ユニットの数であるＹを決定するよう構成される第２決定サブユニットであり、前記第２信号ユニットは前記パディング信号の信号ユニットである、前記第２決定サブユニットと、
各単位時間に第１信号ユニットのグループを取得する過程で、各単位時間に取得されるＸ個の第１信号ユニットにＹ個の第２信号ユニットを挿入するよう構成される挿入サブユニットと
を有する、
請求項１６に記載の装置。
【請求項１８】
前記挿入サブユニットは、
現在の単位時間に第１信号ユニットのグループを取得する過程で、Ｘ個の第１信号ユニットが取得される場合に、該取得されたＸ個の第１信号ユニットの後にＹ個の第２信号ユニットを挿入するよう特に構成される、
請求項１７に記載の装置。
【請求項１９】
前記挿入サブユニットは、
ＸがＹ以上である場合に、
Ｒを得るようＹに対するＸの比の端数を切り上げ、
現在の単位時間に第１信号ユニットのグループを取得する過程で、Ｒ個の第１信号ユニットが取得されるたびに、該取得されたＲ個の第１信号ユニットの後に１つの第２信号ユニットを挿入し、
ＳがＲ以下であるとして、前記現在の単位時間において最後のＳ個の第１信号ユニットが取得される場合に、該取得された最後のＳ個の第１信号ユニットの後に１つの第２信号ユニットを挿入するよう、かつ、
ＸがＹに満たない場合に、
Ｐを得るようＸに対するＹの比の端数を切り上げ、
現在の単位時間に第１信号ユニットのグループを取得する過程で、１つの第１信号ユニットが取得されるたびに、該取得された第１信号ユニットの後にＰ個の第２信号ユニットを挿入し、
前記現在の単位時間において最後の第１信号ユニットが取得される場合に、ＱがＹと前記現在の単位時間に挿入される第２信号ユニットの数との間の差であるとして、前記取得された最後の第１信号ユニットの後にＱ個の第２信号ユニットを挿入するよう
特に構成される、
請求項１７に記載の装置。
【請求項２０】
前記挿入サブユニットは、
ＸがＹ以上である場合に、
Ｅを得るようＹに対するＸの比の端数を切り捨て、
ＹとＸをＹで除すことで得られる余りとに基づいて、単位時間に毎回取得される第１信号ユニットの数がＥ又はＥ＋１に等しいかどうかを決定し、
該決定された数に基づいて、現在の単位時間にＹ回第１信号ユニットを取得し、毎回取得された前記第１信号ユニットの後に１つの第２信号ユニットを挿入するよう、かつ、
ＸがＹに満たない場合に、
Ｆを得るようＸに対するＹの比の端数を切り捨て、
ＸとＹをＸで除すことで得られる余りとに基づいて、単位時間に毎回取得される１つの第１信号ユニットの後に挿入される第２信号ユニットの数がＦ又はＦ＋１に等しいかどうかを決定し、
現在の単位時間にＸ回第１信号ユニットを取得し、前記決定された数に基づいて、毎回取得された１つの信号ユニットの後に第２信号ユニットを挿入するよう
特に構成される、
請求項１７に記載の装置。
【請求項２１】
前記挿入モジュールは、
前記Ｎ個の第１サービス信号の伝送レート又は設定されたレートに基づいて前記基準レートを決定するよう構成される第１決定ユニットを更に有する、
請求項１６乃至２０のうちいずれか一項に記載の装置。
【請求項２２】
前記第１決定ユニットは、
対象の第１サービス信号の伝送レートの１／Ｔを前記基準レートとして決定し、前記対象の第１サービス信号は前記Ｎ個の第１サービス信号の中の１つであり、Ｔは正の数である、よう、あるいは、
前記Ｎ個の第１サービス信号に挿入される前記パディング信号のビットの総数が最小であるというポリシーに従って、前記Ｎ個の第１サービス信号から１つのサービス信号を選択し、該選択されたサービス信号の伝送レートの１／Ｔを前記基準レートとして使用し、Ｔは正の数である、よう
特に構成される、
請求項２１に記載の装置。
【請求項２３】
前記挿入モジュールは、
前記第１サービス信号Ａの伝送レート及び前記基準レートに基づいて、前記第１サービス信号Ａに対応する前記第２サービス信号の伝送レートを決定するよう構成される第２決定ユニットと、
前記第１サービス信号Ａに対応する前記第２サービス信号を得るよう、前記第１サービス信号Ａの伝送レート及び前記第１サービス信号Ａに対応する前記第２サービス信号の伝送レートに基づいて前記パディング信号を前記第１サービス信号Ａに挿入するよう構成される第２挿入ユニットと
を有する、
請求項１６に記載の装置。
【請求項２４】
前記第２決定ユニットは、
前記第１サービス信号Ａの相対倍数と前記基準レートとの積である第１積に基づいて、前記第１サービス信号Ａに対応する前記第２サービス信号の伝送レートを決定するよう構成され、
前記第１サービス信号Ａの前記相対倍数は、前記基準レートに対する前記第１サービス信号Ａの伝送レートの比の端数を切り上げることによって得られる、
請求項２３に記載の装置。
【請求項２５】
前記第２決定ユニットは、
前記第１サービス信号Ａに対応する前記第２サービス信号の伝送レートとして前記第１積を決定するよう、あるいは、
前記Ｎ個の第１サービス信号の許容可能なレート変動下限の最小値及び前記第３サービス信号の許容可能なレート変動上限に基づいて予め決定された第１レート調整上限を取得し、該第１レート調整上限に基づいて前記第１積を調整して、前記第１サービス信号Ａに対応する前記第２サービス信号の伝送レートを取得するよう
構成される、
請求項２４に記載の装置。
【請求項２６】
前記第２決定ユニットは、
前記第１積及び前記第１レート調整上限と前記第１積との積である第２積の和を前記第１サービス信号Ａに対応する前記第２サービス信号の伝送レートとして決定するよう構成される、
請求項１１に記載の装置。
【請求項２７】
当該装置は、
Ｎ個の第４サービス信号を受信するよう構成される受信モジュールであり、該Ｎ個の第４サービス信号には、前記Ｎ個の第１サービス信号の前記コーディングタイプである対象のコーディングタイプとは異なるコーディングタイプを有する第４サービス信号が存在する、前記受信モジュールと、
前記対象のコーディングタイプに基づいて、前記Ｎ個の第４サービス信号の中の、前記対象のコーディングタイプとは異なるコーディングタイプを有する前記第４サービス信号に対して、コーディング変換を実行するよう構成される変換モジュールと、
コーディング変換された第４サービス信号と、前記対象のコーディングタイプと同じであるコーディングタイプを有する第４サービス信号とを前記Ｎ個の第１サービス信号として決定するよう構成される決定モジュールと
を更に有する、
請求項１乃至１４のうちいずれか一項に記載の装置。
【請求項２８】
第２ネットワークデバイスに適用されるサービス信号伝送装置であって、
第１ネットワークデバイスによって送信された第３サービス信号を受信するよう構成される受信モジュールであり、該第３サービス信号はＮ個の第２サービス信号を多重化することによって形成され、該Ｎ個の第２サービス信号は、該Ｎ個の第２サービス信号と一対一の対応にあるＮ個の第１サービス信号にパディング信号を挿入することによって取得され、前記Ｎ個の第２サービス信号の伝送レートは基準レートの整数倍であり、前記Ｎ個の第１サービス信号のコーディングタイプは同じであり、前記Ｎ個の第１サービス信号のうちの少なくとも２つは異なる伝送レートを有し、Ｎは２以上の整数である、前記受信モジュールと、
前記Ｎ個の第２サービス信号の多重化ルールに従って、前記第３サービス信号を前記Ｎ個の第２サービス信号に逆多重化するよう構成される逆多重化モジュールと、
前記Ｎ個の第１サービス信号を得るよう、逆多重化を通じて得られた前記Ｎ個の第２サービス信号から前記パディング信号を削除するよう構成される削除モジュールと
を有する装置。
【請求項２９】
メモリと、プロセッサと、前記メモリに記憶され、前記プロセッサで実行され得るコンピュータプログラムとを有し、
前記プロセッサは、請求項１乃至１３のうちいずれか一項又は請求項１４に記載の方法におけるステップを実行するよう構成される、
ネットワークデバイス。
【請求項３０】
命令を記憶し、該命令がコンピュータで実行される場合に、該コンピュータが、請求項１乃至１３のうちいずれか一項又は請求項１４に記載の方法を実行することを可能にされる、
コンピュータ可読記憶媒体。
【発明の詳細な説明】
【技術分野】
【０００１】
本願は、通信技術の分野に、特に、サービス信号伝送方法及び装置に関係がある。
【背景技術】
【０００２】
既存の通信ネットワークでは、サービス信号は、通常、エンド間で伝送される必要がある。例えば、通信ネットワークのネットワーク化構造は、通常、複数のネットワークデバイスを含む。具体的なサービスシナリオでは、サービス信号は、通常、第１ネットワークデバイスと第２ネットワークデバイスとの間で伝送される必要がある。第１ネットワークデバイス及び第２ネットワークデバイスは、複数のネットワークデバイスの中のいずれか２つであってよく、第１ネットワークデバイスと第２ネットワークデバイスとの間にはＭ個の第３ネットワークデバイスが更に存在してもよい（Ｍ≧０）。
【０００３】
関連技術では、同じコーディングタイプを有する複数のサービス信号の場合に、第１ネットワークデバイスは、複数のサービス信号を第２ネットワークデバイスへ別々に送信する必要がある。例えば、既存の通信ネットワークでは、固定通信チャネルが、通常、サービス信号を運ぶために使用され、第１ネットワークデバイスは、複数の対応する通信チャネルを通じて第２ネットワークデバイスへ複数のサービス信号を別々に送信し得る。通信チャネルは、サービス信号を運ぶために使用されるエンド間伝送リソースを指し、具体的に、光ネットワーク（Optical  Transport  Network）の光チャネルデータユニット／光チャネルペイロードユニット（Optical  Channel  Data  Unit/Optical  Channel  Payload  Unit，ＯＤＵ／ＯＰＵ）、タイムスロット、フレーム構造、などであってよい。実際の適用では、第１ネットワークデバイスは、複数の通信チャネルに対応することができ、複数の通信チャネルは、同じコーディングタイプを有するサービス信号を伝送するために使用され、異なるバンド幅を有する。各通信チャネルのバンド幅は、その通信チャネルがサービス信号を運ぶことができる最大伝送レートである。更に、第１ネットワークデバイスによって対応される通信チャネルは、サービス信号と一対一の対応にある。すなわち、各通信チャネルは、一度に一種類のサービス信号しか伝送することができず、伝送レートがその通信チャネルのバンド幅以下であるサービス信号しか伝送することができない。そのため、複数のサービス信号は、複数の対応する通信チャネルを通じて夫々伝送される必要がある。
【０００４】
複数のサービス信号は夫々伝送される必要があるので、伝送効率は相対的に低く、伝送リソースは浪費される。例えば、複数のサービス信号が複数の通信チャネルを通じて夫々伝送される場合に、１つの通信チャネルについて、その通信チャネルを通じて伝送されるサービス信号の伝送レートがその通信チャネルのバンド幅よりもはるかに小さいならば、その通信チャネルの信号搬送効率は相対的に低く、チャネルリソースは大いに浪費される。
【発明の概要】
【０００５】
比較的に低い伝送効率及び伝送リソースの浪費に係る先行技術の問題を解決すべく、本願は、サービス伝送方法及び装置を提供する。技術的解決法は次の通りである。
【０００６】
第１の態様に従って、サービス伝送方法が提供され、方法は、
Ｎ個の第１サービス信号を取得することであり、Ｎ個の第１サービス信号のコーディングタイプは同じであり、Ｎ個の第１サービス信号のうちの少なくとも２つは異なる伝送レートを有し、Ｎは２以上の整数である、ことと、
Ｎ個の第１サービス信号と一対一の対応にあるＮ個の第２サービス信号を得るようパディング信号をＮ個の第１サービス信号に挿入することであり、Ｎ個の第２サービス信号の伝送レートは基準レートの整数倍である、ことと、
Ｎ個の第２サービス信号を１つの第３サービス信号に多重化し、第３サービス信号を第２ネットワークデバイスへ送信することと
を含む。
【０００７】
すなわち、同じコーディングタイプを有し、少なくとも２つの第１サービス信号が異なる伝送レートを有するＮ個の第１サービス信号について、Ｎ個の第１サービス信号と一対一の対応にあるＮ個の第２サービス信号を得るために、パディング信号がＮ個の第１サービス信号に挿入されてよい。次いで、Ｎ個の第２サービス信号は第３サービス信号に多重化され、第３サービス信号は第２ネットワークデバイスへ送信される。
【０００８】
Ｎ個の第２サービス信号の伝送レートは、基準レートの整数倍である。すなわち、Ｎ個の第２サービス信号の伝送レートは、自明な整数比特性を有している。パディング信号は、対応する伝送レートが自明な整数比特性を有しているＮ個の第２サービス信号を得るよう、Ｎ個の第１サービス信号に挿入される。これは、自明な整数比特性を有しているＮ個の第２サービス信号のその後の多重伝送を容易にし、異なる伝送レートを有するサービス信号を多重化する問題を解決することができる。Ｎ個の第１サービス信号に対してパディングを実行することによって取得されるＮ個の第２サービス信号は、１つの第３サービス信号に多重化される。これは、Ｎ個の第１サービス信号の多重伝送を実施する。関連技術における別々の伝送方法と比較して、本願では、サービス信号伝送効率は改善され、占有される伝送リソースは低減される。
【０００９】
任意に、Ｎ個の第１サービス信号と一対一の対応にあるＮ個の第２サービス信号を得るようパディング信号をＮ個の第１サービス信号に挿入することは、
Ｎ個の第１サービス信号の中の第１サービス信号Ａについて、第１サービス信号Ａに対応する第２サービス信号を得るよう第１サービス信号Ａの伝送レート及び基準レートに基づいてパディング信号を第１サービス信号Ａに挿入することを含む。
【００１０】
第１サービス信号Ａの伝送レート及び基準レートに基づいて、パディング信号は第１サービス信号Ａに挿入される。これは、第１サービス信号Ａに対応する第２サービス信号の伝送レートが基準レートの整数倍であることを確かにすることができる。
【００１１】
任意に、第１サービス信号Ａに対応する第２サービス信号を得るよう第１サービス信号Ａの伝送レート及び基準レートに基づいてパディング信号を第１サービス信号Ａに挿入することは、
第１サービス信号Ａの伝送レートに基づいて、単位時間に取得される第１信号ユニットの数であるＸを決定することであり、第１信号ユニットは第１サービス信号Ａの信号ユニットである、ことと、
第１サービス信号Ａの伝送レート及び基準レートに基づいて、単位時間に取得される第１信号ユニットのグループに挿入される必要がある第２信号ユニットの数であるＹを決定することであり、第２信号ユニットはパディング信号の信号ユニットである、ことと、
各単位時間に第１信号ユニットのグループを取得する過程で、各単位時間に取得されるＸ個の第１信号ユニットにＹ個の第２信号ユニットを挿入することと
を含む。
【００１２】
任意に、各単位時間に取得されるＸ個の第１信号ユニットにＹ個の第２信号ユニットを挿入することは、
現在の単位時間に第１信号ユニットのグループを取得する過程で、Ｘ個の第１信号ユニットが取得される場合に、取得されたＸ個の第１信号ユニットの後にＹ個の第２信号ユニットを挿入することを含む。
【００１３】
本発明のこの実施形態で、第１信号ユニットを取得し、第２信号ユニットを挿入する動作は、各単位時間に一度だけ実行される必要がある。このようにして、信号の取得及び挿入の回数は低減可能であり、動作は簡単であり、効率は相対的に高い。
【００１４】
任意に、各単位時間に取得されるＸ個の第１信号ユニットにＹ個の第２信号ユニットを挿入することは、
ＸがＹ以上である場合に、
Ｒを得るようＹに対するＸの比の端数を切り上げ、
現在の単位時間に第１信号ユニットのグループを取得する過程で、Ｒ個の第１信号ユニットが取得されるたびに、取得されたＲ個の第１信号ユニットの後に１つの第２信号ユニットを挿入し、
ＳがＲ以下であるとして、現在の単位時間において最後のＳ個の第１信号ユニットが取得される場合に、取得された最後のＳ個の第１信号ユニットの後に１つの第２信号ユニットを挿入することと、
ＸがＹに満たない場合に、
Ｐを得るようＸに対するＹの比の端数を切り上げ、
現在の単位時間に第１信号ユニットのグループを取得する過程で、１つの第１信号ユニットが取得されるたびに、取得された第１信号ユニットの後にＰ個の第２信号ユニットを挿入し、
現在の単位時間において最後の第１信号ユニットが取得される場合に、ＱがＹと現在の単位時間に挿入される第２信号ユニットの数との間の差であるとして、取得された最後の第１信号ユニットの後にＱ個の第２信号ユニットを挿入することと
を含む。
【００１５】
本発明のこの実施形態で、単位時間における最後の挿入動作を除いて、全ての時点で取得される第１信号ユニット及び全ての時点で挿入される第２信号ユニットは同じである。これは、パディング信号を挿入する均一性を改善する。
【００１６】
任意に、各単位時間に取得されるＸ個の第１信号ユニットにＹ個の第２信号ユニットを挿入することは、
ＸがＹ以上である場合に、
Ｅを得るようＹに対するＸの比の端数を切り捨て、
ＹとＸをＹで除すことで得られる余りとに基づいて、単位時間に毎回取得される第１信号ユニットの数がＥ又はＥ＋１に等しいかどうかを決定し、
決定された数に基づいて、現在の単位時間にＹ回第１信号ユニットを取得し、毎回取得された第１信号ユニットの後に１つの第２信号ユニットを挿入することと、
ＸがＹに満たない場合に、
Ｆを得るようＸに対するＹの比の端数を切り捨て、
ＸとＹをＸで除すことで得られる余りとに基づいて、単位時間に毎回取得される１つの第１信号ユニットの後に挿入される第２信号ユニットの数がＦ又はＦ＋１に等しいかどうかを決定し、
現在の単位時間にＸ回第１信号ユニットを取得し、決定された数に基づいて、毎回取得された１つの信号ユニットの後に第２信号ユニットを挿入することと
を含む。
【００１７】
本発明のこの実施形態で、均一挿入は差動方式で実行される。これは、パディング信号を第１サービス信号に挿入する均一性を更に改善する。
【００１８】
任意に、第１サービス信号Ａの伝送レート及び基準レートに基づいてパディング信号を第１サービス信号Ａに挿入することより前に、方法は、
Ｎ個の第１サービス信号の伝送レート又は設定されたレートに基づいて基準レートを決定することを更に含む。
【００１９】
任意に、Ｎ個の第１サービス信号の伝送レートに基づいて基準レートを決定することは、
対象の第１サービス信号の伝送レートの１／Ｔを基準レートとして決定することであり、対象の第１サービス信号はＮ個の第１サービス信号の中の１つであり、Ｔは正の数である、こと、又は
Ｎ個の第１サービス信号に挿入されるパディング信号のビットの総数が最小であるというポリシーに従って、Ｎ個の第１サービス信号から１つのサービス信号を選択し、選択されたサービス信号の伝送レートの１／Ｔを基準レートとして使用することであり、Ｔは正の数である、こと
を含む。
【００２０】
すなわち、Ｎ個の第１サービス信号のうちのいずれか１つの伝送レートの１／Ｔが、基準レートとして使用されてよく、あるいは、Ｎ個の第１サービス信号に挿入されるパディング信号のビットの総数が最小であるというポリシーに従ってＮ個の第１サービス信号から選択されたサービス信号の伝送レートの１／Ｔが、基準レートとして使用されてよい。
【００２１】
本発明のこの実施形態で、基準レートを選択する複数の方法が提供される。これは、基準レートを選択する柔軟性を改善する。更に、基準レートは、Ｎ個の第１サービス信号に挿入されるパディング信号のビットの総数が最小であるというポリシーに従って決定される。これは、パディング信号を挿入するためのビットを減らし、パディング信号のリソース利用を改善することができ、更には、パディング信号挿入の動作周波数を低減し、挿入効率を改善することができる。
【００２２】
任意に、Ｎ個の第１サービス信号に挿入されるパディング信号のビットの総数が最小であるというポリシーに従って、Ｎ個の第１サービス信号から１つのサービス信号を選択することは、
Ｎ個の第１サービス信号の中の第１サービス信号Ｂについて、第１サービス信号Ｂの伝送レートの１／Ｔが基準レートとして使用されると仮定され、かつ、Ｎ個の第２サービス信号の伝送レートが基準レートの整数倍であることが確かにされる場合に、前もってセットされた期間内にＮ個の第１サービス信号に挿入される必要があるパディング信号のビットの総数を決定し、決定されたビットの総数を第１サービス信号Ｂのパディング数として使用することと、
Ｎ個の第１サービス信号のパディング数の中で最小のパディング数を有する１つの第１サービス信号を決定し、最小のパディング数を有する第１サービス信号を選択されたサービス信号として使用することと
を含む。
【００２３】
任意に、第１サービス信号Ａに対応する第２サービス信号を得るよう第１サービス信号Ａの伝送レート及び基準レートに基づいてパディング信号を第１サービス信号Ａに挿入することは、
第１サービス信号Ａの伝送レート及び基準レートに基づいて、第１サービス信号Ａに対応する第２サービス信号の伝送レートを決定することと、
第１サービス信号Ａに対応する第２サービス信号を得るよう、第１サービス信号Ａの伝送レート及び第１サービス信号Ａに対応する第２サービス信号の伝送レートに基づいてパディング信号を第１サービス信号Ａに挿入することと
を含む。
【００２４】
本発明のこの実施形態で、第１サービス信号Ａに対応する第２サービス信号の伝送レートは、第１サービス信号Ａの伝送レート及び基準レートに基づいて予め決定され、次いで、パディング信号は、第１サービス信号Ａの伝送レート及び対応する第２サービス信号の伝送レートに基づいて第１サービス信号Ａに挿入される。このようにして、入力信号伝送レート及び出力信号伝送レートは、明らかに知られ得る。更に、挿入は、入力信号伝送レート及び出力信号伝送レートに基づいて入力信号、すなわち、第１サービス信号Ａに対して正確に実行可能であり、それによって、パディング信号を挿入する正確さを改善する。
【００２５】
任意に、第１サービス信号Ａの伝送レート及び基準レートに基づいて、第１サービス信号Ａに対応する第２サービス信号の伝送レートを決定することは、
第１サービス信号Ａの相対倍数と基準レートとの積である第１積に基づいて、第１サービス信号Ａに対応する第２サービス信号の伝送レートを決定することを含み、
第１サービス信号Ａの相対倍数は、基準レートに対する第１サービス信号Ａの伝送レートの比の端数を切り上げることによって得られる。
【００２６】
任意に、第１積に基づいて第１サービス信号Ａに対応する第２サービス信号の伝送レートを決定することは、
第１サービス信号Ａに対応する第２サービス信号の伝送レートとして第１積を決定すること、又は
Ｎ個の第１サービス信号の許容可能なレート変動下限の最小値及び第３サービス信号の許容可能なレート変動上限に基づいて予め決定された第１レート調整上限を取得し、第１レート調整上限に基づいて第１積を調整して、第１サービス信号Ａに対応する第２サービス信号の伝送レートを取得すること
を含む。
【００２７】
本発明のこの実施形態で、第１積は、第１サービス信号Ａに対応する第２サービス信号の伝送レートとして決定される。従って、処理方法は簡単かつ効率的であり、柔軟性は比較的に高い。更に、第２サービス信号の伝送レートは、第１サービス信号のレート許容範囲及び第３サービス信号のレート許容範囲に基づいて更に細かく調整され、第１サービス信号及び第３サービス信号の伝送レートは、各々のレート許容範囲内で変化することを許される。これは、第２サービス信号の伝送レートを決定する正確さを改善し、本願の解決法の適用範囲を更に広げる。
【００２８】
任意に、第１レート調整上限に基づいて第１積を調整して、第１サービス信号Ａに対応する第２サービス信号の伝送レートを取得することは、
第１積及び第１レート調整上限と第１積との積である第２積の和を第１サービス信号Ａに対応する第２サービス信号の伝送レートとして決定することを含む。
【００２９】
任意に、Ｎ個の第１サービス信号を取得することより前に、方法は、
Ｎ個の第４サービス信号を受信することであり、Ｎ個の第４サービス信号には、Ｎ個の第１サービス信号のコーディングタイプである対象のコーディングタイプとは異なるコーディングタイプを有する第４サービス信号が存在する、ことと、
対象のコーディングタイプに基づいて、Ｎ個の第４サービス信号の中の、対象のコーディングタイプとは異なるコーディングタイプを有する第４サービス信号に対して、コーディング変換を実行することと、
コーディング変換された第４サービス信号と、対象のコーディングタイプと同じであるコーディングタイプを有する第４サービス信号とをＮ個の第１サービス信号として決定することと
を更に含む。
【００３０】
任意に、Ｎ個の第２サービス信号を１つの第３サービス信号に多重化することは、
Ｎ個の第２サービス信号の伝送レート間の比に基づいて、Ｎ個の第２サービス信号から信号ユニットを逐次取り出し、逐次取り出された信号ユニットを使用することによって１つの第３サービス信号を形成することを含む。
【００３１】
任意に、取り出された信号ユニットは、ビットブロックである。
【００３２】
任意に、第１サービス信号Ａの伝送レート及び基準レートに基づいてＹを決定することは、
第１サービス信号Ａに対応する第２サービス信号の伝送レートと第１サービス信号Ａの伝送レートとの間の偏差率に基づいてＹを決定することを含み、
第１サービス信号Ａに対応する第２サービス信号の伝送レートは、第１サービス信号Ａの伝送レート及び基準レートに基づいて決定される。
【００３３】
本発明のこの実施形態で、第１サービス信号Ａと対応する第２サービス信号との間の偏差率は、正確に決定され得る。次いで、パディング信号は、レート要求を満足する第２サービス信号を得るために、第１サービス信号の伝送レートを適応させるよう偏差率に基づいて第１サービス信号に挿入される。
【００３４】
任意に、第１サービス信号Ａに対応する第２サービス信号を得るよう第１サービス信号Ａの伝送レート及び基準レートに基づいてパディング信号を第１サービス信号Ａに挿入することは、
第１サービス信号Ａの伝送レートに基づいて、単位時間に取得される第１信号ユニットの数であるＸを決定することであり、第１信号ユニットは第１サービス信号Ａの信号ユニットである、ことと、
第１サービス信号Ａに対応する第２サービス信号の伝送レートと第１サービス信号Ａの伝送レートとの間の偏差率に基づいて、単位時間に取得される第１信号ユニットのグループに挿入される必要がある第２信号ユニットの数であるＹを決定することであり、第２信号ユニットはパディング信号の信号ユニットである、ことと、
各単位時間に第１信号ユニットのグループを取得する過程で、各単位時間に取得されるＸ個の第１信号ユニットにＹ個の第２信号ユニットを挿入することと
を含む。
【００３５】
任意に、第１サービス信号Ａの伝送レート及び基準レートに基づいて、第１サービス信号Ａに対応する第２サービス信号の伝送レートを決定することは、
Ｎ個の第１サービス信号に別々に挿入される必要がある保守及び管理信号の割合の最大値に基づいて予め決定されるか、あるいは、Ｎ個の第１サービス信号に別々に挿入される必要がある保守及び管理信号の割合の最大値と、Ｎ個の第１サービス信号の許容可能なレート変動下限の最小値と、第３サービス信号の許容可能なレート変動上限とに基づいて予め決定される第２レート調整上限を取得することと、
第１サービス信号Ａに対応する第２サービス信号の伝送レートを得るよう、第２レート調整上限に基づいて第１積を調整することであり、第１積は、第１サービス信号Ａの相対倍数と基準レートとの積であり、第１サービス信号Ａの相対倍数は、基準レートに対する前記第１サービス信号Ａの伝送レートの比の端数を切り上げることによって得られる、ことと
を含む。
【００３６】
第１サービス信号Ａの伝送レート及び第１サービス信号Ａに対応する第２サービス信号の伝送レートに基づいてパディング信号を第１サービス信号Ａに挿入することは、
第１サービス信号に挿入される必要がある保守及び管理信号の割合と、第１サービス信号Ａの伝送レートと、第１サービス信号Ａに対応する第２サービス信号の伝送レートとに基づいて、パディング信号として使用される保守及び管理信号並びに偏差適応信号を第１サービス信号Ａに挿入することを含む。
【００３７】
任意に、第１サービス信号に挿入される必要がある保守及び管理信号の割合と、第１サービス信号Ａの伝送レートと、第１サービス信号Ａに対応する第２サービス信号の伝送レートとに基づいて、パディング信号として使用される保守及び管理信号並びに偏差適応信号を第１サービス信号Ａに挿入することは、
第１サービス信号に挿入される必要がある保守及び管理信号の割合に基づいて保守及び管理信号を第１サービス信号Ａに挿入することと、
第１サービス信号Ａの伝送レートと、第１サービス信号に挿入される保守及び管理信号の割合とに基づいて、保守及び管理信号が挿入されている第１サービス信号Ａの伝送レートを決定することと、
保守及び管理信号が挿入されている第１サービス信号Ａの伝送レートと、第１サービス信号Ａに対応する第２サービス信号の伝送レートとに基づいて、保守及び管理信号が挿入されている第１サービス信号Ａの伝送レートに偏差適応信号を挿入することと
を含む。
【００３８】
本発明のこの実施形態で、保守及び管理信号は第１サービス信号に挿入される。これは、多重伝送プロセスでのサービス信号保守及び管理を容易にすることができる。更に、第２サービス信号の伝送レートは、挿入のための保守及び管理信号の割合に基づいて細かく調整され、保守及び管理信号を挿入することによって引き起こされるレート変化は、許容される。更に、第２サービス信号の伝送レートは、第１サービス信号及び第３サービス信号のレート許容範囲と、保守及び管理信号の割合とに基づいて、細かく調整され、第１サービス信号及び第３サービス信号の伝送レートは、各々のレート許容範囲内で変化することを許され、保守及び管理信号を挿入することによって引き起こされるレート変化は、許容される。
【００３９】
第２の態様に従って、サービス信号伝送方法が提供され、方法は第２ネットワークデバイスに適用され、方法は、
第１ネットワークデバイスによって送信された第３サービス信号を受信することであり、第３サービス信号はＮ個の第２サービス信号を多重化することによって形成され、Ｎ個の第２サービス信号は、Ｎ個の第２サービス信号と一対一の対応にあるＮ個の第１サービス信号にパディング信号を挿入することによって取得され、Ｎ個の第２サービス信号の伝送レートは基準レートの整数倍であり、Ｎ個の第１サービス信号のコーディングタイプは同じであり、Ｎ個の第１サービス信号のうちの少なくとも２つは異なる伝送レートを有し、Ｎは２以上の整数である、ことと、
Ｎ個の第２サービス信号の多重化ルールに従って、第３サービス信号をＮ個の第２サービス信号に逆多重化することと、
Ｎ個の第１サービス信号を得るよう、逆多重化を通じて得られたＮ個の第２サービス信号からパディング信号を削除することと
を含む。
【００４０】
任意に、Ｎ個の第１サービス信号を得るよう、逆多重化を通じて得られたＮ個の第２サービス信号からパディング信号を削除することは、
逆多重化を通じて得られたＮ個の第２サービス信号の中の第２サービス信号Ｃについて、第２サービス信号Ｃが、パディング信号として使用される偏差適応信号並びに保守及び管理信号を第２サービス信号Ｃに対応する第１サービス信号に挿入することによって取得される場合、かつ、保守及び管理信号が第２サービス信号Ｃに対応する第１サービス信号に比例的に挿入される場合に、第２サービス信号Ｃから偏差適応信号を削除することと、
第２サービス信号Ｃに対応する第１サービス信号に挿入された保守及び管理信号の割合に基づいて、偏差適応信号が削除されている第２サービス信号Ｃから保守及び管理信号を取り出すことと、
偏差適応信号が削除されておりかつ保守及び管理信号が取り出されている第２サービス信号Ｃを、第２サービス信号Ｃに対応する第１サービス信号として決定することと
を含む。
【００４１】
本発明のこの実施形態で、Ｎ個の第１サービス信号の多重化ルールに従って、第３サービス信号は逆多重化され、パディング信号は、逆多重化を通じて得られたサービス信号から削除される。このようにして、Ｎ個の第１サービス信号は、多重伝送のために使用された第３サービス信号から成功裏に回復可能であり、多重受信問題は解決され、それによって、サービス信号伝送効率を改善し、かつ、占有される伝送リソースを低減する。
【００４２】
第３の態様に従って、サービス信号伝送装置が提供される。サービス信号伝送装置は、第１の態様におけるサービス信号伝送方法の挙動を実施する機能を備えている。サービス信号伝送装置は、少なくとも１つのモジュールを含み、少なくとも１つのモジュールは、第１の態様で提供されるサービス信号伝送方法を実施するよう構成される。
【００４３】
第４の態様に従って、サービス信号伝送装置が提供される。サービス信号伝送装置は、第１の態様におけるサービス信号伝送方法の挙動を実施する機能を備えている。サービス信号伝送装置は、少なくとも１つのモジュールを含み、少なくとも１つのモジュールは、第２の態様で提供されるサービス信号伝送方法を実施するよう構成される。
【００４４】
第５の態様に従って、サービス信号伝送装置が提供される。サービス信号伝送装置の構造はプロセッサ及びメモリを含み、メモリは、第１の態様で提供されるサービス信号伝送方法を実行することにおいてサービス信号伝送装置をサポートするために使用されるプログラムを記憶し、第１の態様で提供されるサービス信号伝送方法を実施するために使用されるデータを記憶するよう構成される。プロセッサは、メモリに記憶されているプログラムを実行するよう構成される。記憶デバイスの操作装置は通信バスを更に含んでよく、通信バスは、プロセッサとメモリとの間の接続を確立するよう構成される。
【００４５】
第６の態様に従って、サービス信号伝送装置が提供される。サービス信号伝送装置の構造はプロセッサ及びメモリを含み、メモリは、第２の態様で提供されるサービス信号伝送方法を実行することにおいてサービス信号伝送装置をサポートするために使用されるプログラムを記憶し、第２の態様で提供されるサービス信号伝送方法を実施するために使用されるデータを記憶するよう構成される。プロセッサは、メモリに記憶されているプログラムを実行するよう構成される。記憶デバイスの操作装置は通信バスを更に含んでよく、通信バスは、プロセッサとメモリとの間の接続を確立するよう構成される。
【００４６】
第７の態様に従って、コンピュータ可読記憶媒体が提供される。コンピュータ可読記憶媒体は命令を記憶し、命令がコンピュータで実行される場合に、コンピュータは、第１の態様におけるサービス信号伝送方法を実行することを可能にされる。
【００４７】
第８の態様に従って、命令を含むコンピュータプログラム製品が提供される。コンピュータプログラム製品がコンピュータで実行される場合に、コンピュータは、第１の態様におけるサービス信号伝送方法を実行することを可能にされる。
【００４８】
第３の態様、第５の態様、及び第７の態様で達成される技術的効果は、第１の態様の対応する技術的手段で達成されるそれらと同様であり、第４の態様、第６の態様、及び第８の態様で達成される技術的効果は、第２の態様の対応する技術的手段で達成されるそれらと同様である。詳細はここで再び記載されない。
【００４９】
本願で提供される技術的解決法は、次の有利な効果を有している。
【００５０】
本願では、同じコーディングタイプを有しかつ異なる伝送レートを有しているＮ個（少なくとも２つ）の第１サービス信号について、Ｎ個の第１サービス信号と一対一の対応にあるＮ個の第２サービス信号を得るために、パディング信号がＮ個の第１サービス信号に挿入されてよい。次いで、Ｎ個の第２サービス信号は１つの第３サービス信号に多重化され、第３サービス信号は第２ネットワークデバイスへ送信される。Ｎ個の第２サービス信号の伝送レートは、基準レートの整数倍である。すなわち、Ｎ個の第２サービス信号の伝送レートは、自明な整数比特性を有している。パディング信号は、対応する伝送レートが自明な整数比特性を有するＮ個の第２サービス信号を得るよう、Ｎ個の第１サービス信号に挿入される。これは、自明な整数比特性を有するＮ個の第２サービス信号のその後の多重伝送を容易にし、異なる伝送レートを有するサービス信号を多重化する問題を解決する。Ｎ個の第１サービス信号にパディングを実行することによって得られたＮ個の第２サービス信号は、１つの第３サービス信号に多重化される。これは、Ｎ個の第１サービス信号の多重伝送を実施する。関連技術における別々の伝送方法と比較して、本願では、サービス信号伝送効率は改善され、占有される伝送リソースは低減される。
【００５１】
本願の実施形態における技術的解決法についてより明りょうに記載すべく、以下は、実施形態を記載するために必要な添付の図面について簡単に説明する。明らかに、下記の説明中の添付の記載は、単に本願のいくつかの実施形態を示し、当業者であれば、創造的な努力なしでそれらの添付の図面から他の図面を更に導き出し得る。
【図面の簡単な説明】
【００５２】
【図１】本願に従うＭ／Ｎビットブロックの概略図である。
【図２】本願に従う他のＭ／Ｎビットブロックの概略図である。
【図３】本願に従う更なる他のＭ／Ｎビットブロックの概略図である。
【図４】本願に従うサービス信号伝送システムの概略図である。
【図５】本願に従う第１ネットワークデバイス１０の略構造図である。
【図６】本願に従う第２ネットワークデバイス２０の略構造図である。
【図７】本願に従うＸ−ＥネットワーキングにおけるＰＥの略構造図である。
【図８】本願に従うＸ−ＥネットワーキングにおけるＰの略構造図である。
【図９】本願に従うＸ−Ｅ技術を使用することによってネットワークを確立しサービス信号を伝送することの概略図である。
【図１０】本願に従うネットワークデバイスの略構造図である。
【図１１】本願に従うサービス伝送方法のフローチャートである。
【図１２】本願に従うＩＤＬＥコードブロックのコードブロック構造の略構造図である。
【図１３】本願に従う保守及び管理信号のコードブロック構造の略構造図である。
【図１４】本願に従うビットベースのフレーム構造の概略図である。
【図１５】本願に従う他のビットベースのフレーム構造の概略図である。
【図１６】本願に従うサービス信号伝送装置の略構造図である。
【図１７】本願に従う他のサービス信号伝送装置の略構造図である。
【発明を実施するための形態】
【００５３】
本願の目的、技術的解決法、及び利点をより明らかにすべく、下記は、添付の図面を参照して本願の実施について更に詳述する。
【００５４】
本願が詳述される前に、本願における用語が最初に説明される。
【００５５】
イーサネット（Ethernet）
イーサネットは、ベースバンド・ローカル・エリア・ネットワーク仕様であり、既存のローカル・エリア・ネットワークに使用される最も一般的な通信プロトコル規格である。
【００５６】
フレキシブル・イーサネット（Flexible  Ethernet，ＦｌｅｘＥ）
ＦｌｅｘＥは、サービス分離搬送及びネットワークスライシングを実施するインターフェース技術であり、ＦｌｅｘＥは、ここ２年で急速に発展し、様々な主たる標準化団体によって広く受け入れられている。
【００５７】
ユビキタス・イーサネット（X-Ethernet，Ｘ−Ｅ）
Ｘ−Ｅは、イーサネット物理レイヤでのビットブロック（Bit  Block）に基づくスイッチング技術システムであり、決定論的な超低レイテンシ特性を備えている。Ｘ−Ｅによって使用されるコーディングタイプは、６４Ｂ／６６Ｂコーディングタイプなどであってよい。
【００５８】
Ｍ／Ｎビットブロックコーディング
Ｍ／Ｎビットブロックコーディングは、Ｍ個のペイロードビット及びＮ個のビットを有するコーディングタイプを表し、Ｎ個のビットは、Ｍ個のペイロードビットと、いくつかの同期化ビットとを含む。すなわち、Ｍ／Ｎビットブロックでは、ＭはＮ以下である。Ｍ／Ｎビットブロックストリームは、イーサネット物理レイヤリンク上で伝送される。例えば、８Ｂ／１０Ｂコーディングが１Ｇイーサネットのために使用される場合には、８Ｂ／１０Ｂコードブロックストリームは１ＧＥ物理レイヤリンク上で伝送される。６４Ｂ／６６Ｂコーディングが１０ＧＥ／４０ＧＥ／１００ＧＥイーサネットのために使用される場合には、６４Ｂ／６６Ｂコードブロックストリームは１０ＧＥ／４０ＧＥ／１００ＧＥイーサネット物理レイヤリンク上で伝送される。イーサネット技術の発展とともに、他のコーディングタイプが将来出現するだろう。例えば、１２８Ｂ／１３０Ｂ及び２５６Ｂ／２５７Ｂコーディングのような、可能なコーディングスキームが存在し得る。
【００５９】
例えば、図１から図３は、本願に従う三種類のＭ／Ｎビットブロックの概略図である。図１は、ＭがＮに等しい場合を示す。すなわち、全体のコードブロックはペイロードのみを運ぶ。図２及び図３は、ＭがＮ以下である場合を示す。図２に示されるコードブロックは、Ｍビットのペイロードエリアと、（Ｎ−Ｍ）ビットの同期化エリアとを含む。図３に示されるコードブロックにおける（Ｎ−Ｍ）個の同期化ビットの位置は、コードブロック内で柔軟に分布している。
【００６０】
非Ｍ／Ｎビットブロックコーディング
非Ｍ／Ｎビットブロックコーディングは、Ｍ／Ｎビットブロックコーディングよりむしろ、サービスフレーム（Frame）コーディングのような他のコーディング方法がコーディング技術、例えば、同期デジタルハイアラーキ（Synchronous  Digital  Hierarchy，ＳＤＨ）又は光転送ネットワーク（Optical  Transport  Network，ＯＴＮ）で使用されることを表す。
【００６１】
ネットワークエッジでユーザ装置へ接続されるネットワークデバイス（Provider  Edge，ＰＥ）
本明細書におけるＰＥメインネットワークエッジ側は、ネットワークの外でサービス信号をローカルネットワークへ送信するか、あるいは、ローカルネットワークからサービス信号をリストアし、サービス信号をネットワークの外へ送信するよう構成される。
【００６２】
公称レート（nominal  rate）
公称レートは、理想的な動作条件下での信号送信器／受信器の理論上の信号送信／受信レートである。理想的な動作条件は、信号クロックがオフセットなしで中心周波数で作動されることを含む。
【００６３】
平均レート（average  rate）
平均レートは、単位時間における信号送信器／受信器の平均信号送信／受信レートである。一般に、実際の信号送信／受信レートは、単位時間における平均送信／受信レートである。一般的な単位時間は、秒、分、時、又は如何なる時間インターバルでもある。
【００６４】
周波数許容範囲
実際の伝送中に、信号の基準クロックの中心周波数は、特定の範囲内で変動する。変動範囲は、一般に、周波数許容範囲と呼ばれる。具体的に、周波数許容範囲は、（許容される周波数変動上限，許容される周波数変動下限）である。
【００６５】
レート許容範囲
実際の伝送中に、信号の伝送レートは、基準クロックの周波数に直接に関係がある。実際のクロック周波数は、中心周波数の周りの周波数許容範囲内で変化し、対応する実際の信号レートは、公称レートの周りの特定の範囲内で変化する。変動範囲は、本明細書でレート許容範囲と呼ばれる。具体的に、レート許容範囲は、（許容されるレート変動上限，許容されるレート変動下限）である。他の複雑因子が考慮されない場合に、信号のレート許容範囲の値は、基準クロックの周波数許容範囲のそれに等しい。
【００６６】
本願が詳述される前に、本願におけるシステムアーキテクチャが最初に詳述される。
【００６７】
図４は、本願に従うサービス信号伝送システムの概略図である。図４に示されるように、システムは、第１ネットワークデバイス１０及び第２ネットワークデバイス２０を含み、第１ネットワークデバイス１０及び第２ネットワークデバイス２０は、ネットワークを使用することによって接続されてよい。第１ネットワークデバイス１０及び第２ネットワークデバイス２０は、ネットワーク内のネットワークデバイス（Provider，Ｐ）であってよく、あるいは、ネットワーク内のＰＥであってよい。更に、第１ネットワークデバイス１０及び第２ネットワークデバイス２０の前に、Ｍ個の第３ネットワークデバイス（Ｍ≧０）が更に含まれてもよく、第３ネットワークデバイスはＰである。
【００６８】
具体的なサービスシナリオで、サービス信号は、通常、第１ネットワークデバイス１０と第２ネットワークデバイス２０との間で伝送される必要がある。なお、関連技術では、同じコーディングタイプを有する複数のサービス信号について、第１ネットワークデバイス１０は、複数のサービス信号を第２ネットワークデバイス２０へ別々に送信する必要がある。複数のサービス信号は別々に伝送される必要があるので、伝送効率は相対的に低く、伝送リソースは浪費される。比較的に低いサービス信号伝送効率を改善しかつ占有される伝送リソースを減らすために、複数のサービス信号の多重伝送のための方法が本願で提供される。
【００６９】
具体的に、第１ネットワークデバイス１０は、Ｎ個の第１サービス信号を取得し、Ｎ個の第１サービス信号と一対一の対応にあるＮ個の第２サービス信号を得るようパディング信号をＮ個の第１サービス信号に挿入し、Ｎ個の第２サービス信号を１つの第３サービス信号に多重化し、第３サービス信号を第２ネットワークデバイス２０へ送信するよう構成される。Ｎ個の第１サービス信号のコーディングタイプは同じであり、Ｎ個の第１サービス信号のうちの少なくとも２つは異なる伝送レートを有し、Ｎは２以上の整数であり、Ｎ個の第２サービス信号の伝送レートは基準レートの整数倍である。基準レートは、Ｎ個の第１サービス信号の伝送レートに基づいて決定されてよく、あるいは、事前設定されてよい。これは本願で制限されない。
【００７０】
第２ネットワークデバイス１０は、第１ネットワークデバイス１０によって送信された第３サービス信号を受信し、Ｎ個の第２サービス信号の多重化ルールに従って第３サービス信号をＮ個の第２サービス信号に逆多重化し、逆多重化を通じて得られたＮ個の第２サービス信号からパディング信号を削除してＮ個の第１サービス信号を取得するよう構成される。
【００７１】
更に、第１ネットワークデバイス１０は、制御ユニット及び多重化ユニットを更に含んでもよく、制御ユニット及び多重化ユニットは、Ｎ個の第１サービス信号の多重伝送を実施するよう構成されてよい。下記は、第１ネットワークデバイス１０が制御ユニット及び多重化ユニットを含む例を使用することによって、第１ネットワークデバイス１０について詳述する。
【００７２】
図５は、本願に従う第１ネットワークデバイス１０の略構造図である。図５に示されるように、第１ネットワークデバイス１０は、制御ユニット１１、Ｎ個の信号挿入ユニット１２、及び多重化ユニット１３を含む。
【００７３】
制御ユニット１１は、第１ネットワークデバイス１０がＮ個の第１サービス信号を取得した後、Ｎ個の第１サービス信号と一対一の対応にあるＮ個の第２サービス信号を得るようパディング信号をＮ個の第１サービス信号に挿入するために、Ｎ個の第１サービス信号と一対一の対応にあるＮ個の信号挿入ユニット１２を制御するよう構成される。多重化ユニット１２は、Ｎ個の第２サービス信号を１つの第３サービス信号に多重化するよう構成され、それにより、第１ネットワークデバイス１０は、多重化された第３サービス信号を第２ネットワークデバイス２０へ送信する。
【００７４】
具体的に、制御ユニット１１は、Ｎ個の第１サービス信号の伝送レートを決定し、Ｎ個の第１サービス信号の伝送レート又は設定されたレートに基づいて基準レートを決定し、Ｎ個の第１サービス信号の夫々について、その第１サービス信号の伝送レート及び基準レートに基づいて、その第１サービス信号に対応する第２サービス信号の伝送レートを決定し、第１サービス信号に対応する信号挿入ユニット１２を制御して、第１サービス信号の伝送レート及び第１サービス信号に対応する第２サービス信号の伝送レートに基づいてパディング信号を第１サービス信号に挿入することで、第１サービス信号に対応する第２サービス信号を取得するよう構成されてよい。
【００７５】
例えば、図５を参照すると、Ｎ個の第１サービス信号の中の第１サービス信号１について、制御ユニット１１は、第１サービス信号１の伝送レート及び基準レートに基づいて、第１サービス信号１に対応する第２サービス信号１の伝送レートを決定し、第１サービス信号１に対応する信号挿入ユニット１２を制御して、第１サービス信号１の伝送レート及び第１サービス信号に対応する第２サービス信号１の伝送レートに基づいてパディング信号を第１サービス信号１に挿入することで、第１サービス信号１に対応する第２サービス信号２を取得し得る。
【００７６】
可能な実施形態で、第１サービス信号に対応する信号挿入ユニット１２は、第１サービス信号の伝送レートに基づいてＸを決定し、第１サービス信号伝送レート及び基準レートに基づいてＹを決定し、各単位時間に第１信号ユニットのグループを取得する過程で、各単位時間に取得されたＸ個の第１信号ユニットにＹ個の第２信号ユニットを挿入してよい。Ｘは、単位時間に取得される第１信号ユニットの数であり、第１信号ユニットは、第１サービス信号の信号ユニットである。Ｙは、単位時間に取得される第１信号ユニットのグループに挿入される必要がある第２信号ユニットの数であり、第２信号ユニットは、パディング信号の信号ユニットである。
【００７７】
具体的に、信号挿入ユニット１２は、第１サービス信号の伝送レート及び対応する第２サービス信号の伝送レートに基づいてＹを決定し、例えば、第１サービス信号に対応する第２サービス信号の伝送レートと第１サービス信号の伝送レートとの間の偏差率に基づいてＹを決定してよい。
【００７８】
更に、制御ユニット１１は更に、Ｎ個の第１サービス信号の夫々のレート許容範囲及び第３サービス信号のレート許容範囲を取得し、Ｎ個の第１サービス信号のレート許容範囲及び第３サービス信号のレート許容範囲に基づいて、第１レート調整上限を決定し、Ｎ個の第１サービス信号の夫々について、第１サービス信号の伝送レート、基準レート、及び第１レート調整上限に基づいて、第１サービス信号に対応する第２サービス信号の伝送レートを決定してよい。
【００７９】
例えば、図５に示されるように、Ｎ個の第１サービス信号は、夫々、各々のクロックドメインで作動される。例えば、第１サービス信号１は、第１クロックドメインで作動され、第１サービス信号２は、第２クロックドメインで作動され、第１サービス信号Ｎは、第Ｎクロックドメインで作動される。第３サービス信号はシステムクロックドメインで作動される。実施において、制御ユニット１１は、各第１サービス信号のクロックドメインの周波数許容範囲を別々に決定し、第１サービス信号のクロックドメインの周波数許容範囲に基づいて各第１サービス信号のレート許容範囲を決定してよい。更に、制御ユニット１１は更に、第３サービス信号のシステムクロックドメインの周波数許容範囲を決定し、第３サービス信号のシステムクロックドメインの周波数許容範囲に基づいて第３サービス信号のレート許容範囲を決定してよい。
【００８０】
図５では、制御ユニット１１がＮ個の第１サービス信号のクロックドメインに基づいてＮ個の第１サービス信号の周波数許容範囲を決定し、第３サービス信号のシステムクロックドメインに基づいて第３サービス信号の周波数許容範囲を決定するところの例が、単に説明のために使用されることが留意されるべきである。なお、実際の適用では、Ｎ個の第１サービス信号の周波数許容範囲及び第３サービス信号の周波数許容範囲は、代替的に、ユーザによって設定され、特定のレジスタに記憶され、又は他の方法で取得されてよい。例えば、Ｎ個の第１サービス信号の周波数許容範囲は、代替的に、対応する第１サービス信号において運ばれてよい。これは本願において制限されない。従って、制御ユニット１１は、信号の周波数許容範囲に基づいて信号のレート許容範囲を決定し得る。他の複雑因子が考慮されない場合に、信号のレート許容範囲の値は、信号の周波数許容範囲のそれに等しい。他の因子が考慮されるかどうかは、制御ユニットの具体的な実施である。詳細は本願で記載されない。
【００８１】
更に、制御ユニット１１は更に、Ｎ個の第１サービス信号に別々に挿入される必要がある保守及び管理信号の割合を決定し、Ｎ個の第１サービス信号に別々に挿入される必要がある保守及び管理信号の割合に基づいて第２レート調整上限を決定してよい。代替的に、制御ユニット１１は更に、Ｎ個の第１サービス信号の夫々のレート許容範囲及び第３サービス信号のレート許容範囲を決定し、Ｎ個の第１サービス信号に別々に挿入される必要がある保守及び管理信号の割合を決定し、Ｎ個の第１サービス信号の夫々のレート許容範囲と、第３サービス信号のレート許容範囲と、Ｎ個の第１サービス信号に別々に挿入される必要がある保守及び管理信号の割合とに基づいて、第２レート調整上限を決定してよい。次いで、Ｎ個の第１サービス信号の夫々について、制御ユニット１１は、その第１サービス信号の伝送レート、基準レート、及び第２レート調整上限に基づいて、第１サービス信号に対応する第２サービス信号の伝送レートを決定してよい。
【００８２】
すなわち、Ｎ個の第２サービス信号の伝送レートは更に、Ｎ個の第１サービス信号のレート許容範囲と、第３サービス信号のレート許容範囲と、Ｎ個の第１サービス信号に別々に挿入される必要がある保守及び管理信号の割合とに基づいて細かく調整され得る。このようにして、Ｎ個の第２サービス信号の決定された伝送レートに特有に、第１サービス信号及び第３サービス信号のレート許容範囲並びにＮ個の第１サービス信号への保守及び管理信号の特定の割合の挿入は、更に許容可能である。
【００８３】
更に、制御ユニット１１は、レート調整ユニット（Rate  Adjust  Process，ＲＡＰ）及び許容範囲調整ユニット（Tolerance  Adjust  Process，ＴＡＰ）を更に含んでよい。ＲＡＰは、Ｎ個の第１サービス信号の伝送レート及び基準レートに基づいて、Ｎ個の第１サービス信号に対応する第２サービス信号の伝送レートを決定するよう構成される。ＴＡＰは、ＲＡＰによって決定される第２サービス信号の伝送レートを基に、Ｎ個の第１サービス信号のレート許容範囲と、第３サービス信号のレート許容範囲と、Ｎ個の第１サービス信号に別々に挿入される必要がある保守及び管理信号の割合とのうちの少なくとも１つに基づいて第２サービス信号の伝送レートを更に細かく調整するよう構成される。
【００８４】
更に、Ｎ個の信号挿入ユニット１２は、Ｎ個のサービスレイヤチャネル（Ｓｅｒｉｖｃe  Pat，ＳＰ）であってよい。具体的に言えば、取得されたＮ個の第１サービス信号は、Ｎ個の第１サービス信号と一対一の対応にあるＮ個のＳＰへ夫々送信されてよく、パディング信号は、Ｎ個のＳＰで挿入される。
【００８５】
制御ユニット１１の制御プロシージャは、第１ネットワークデバイス１０のメインサービスプロシージャから独立していてよく、制御プロシージャは、要件に応じて柔軟に開始及び停止され得ることが留意されるべきである。
【００８６】
更に、第２ネットワークデバイス２０は、逆多重化ユニットを更に含んでもよく、逆多重化ユニットは、詳細な説明のために、第３サービス信号を２０個に分離するよう構成されてよい。
【００８７】
図６は、本願に従う第２ネットワークデバイス２０の略構造図である。図６に示されるように、第１ネットワークデバイス２０は、逆多重化ユニット２１及びＮ個の削除ユニット２２を含む。
【００８８】
具体的に、逆多重化ユニット２１は、第２ネットワークデバイス２０が第１ネットワークデバイス１０によって送信された第３サービス信号を受信した後、Ｎ個の第２サービス信号の多重化ルールに従って第３サービス信号をＮ個の第２サービス信号に逆多重化するよう構成される。Ｎ個の削除ユニット２２は、Ｎ個の第２サービス信号と一対一の対応にあり、Ｎ個の第１サービス信号を取得するよう、対応する第２サービス信号から別々にパディング信号を削除するよう構成される。
【００８９】
本願で提供されるサービス伝送方法は、サービス信号がビットブロックに基づいて伝送されるシナリオに適用され、例えば、サービス信号がイーサネット、フレキシブル・イーサネット（Flexible  Ethernet，ＦｌｅｘＥ）、又はＸ−Ｅのような技術に基づいて伝送されるシナリオに適用され得ることが留意されるべきである。例えば、本願におけるＮ個の第１サービス信号及び対応するＮ個の第２サービス信号のコーディングタイプは、Ｍ／Ｎビットブロックコーディングであってよい。本願における第３サービス信号のコーディングタイプは、Ｍ／Ｎビットブロックコーディング又は非Ｍ／Ｎビットブロックコーディングであってよく、第３サービス信号のコーディングタイプは、本願において制限されない。
【００９０】
例えば、本願で提供されるサービス伝送方法は、サービス信号がＸ−Ｅ技術に基づいて伝送されるシナリオに適用されることが、例として使用される。第１ネットワークデバイス及び第２ネットワークデバイスは、Ｘ−ＥネットワーキングにおけるＰＥ又はＰであってよい。
【００９１】
図７は、本願に従うＸ−ＥネットワーキングにおけるＰＥの略構造図である。図７に示されるように、Ｘ−ＥネットワーキングにおけるＰＥは、ユーザ側適応ユニット（ｕＡｄｐｔ）、スイッチングユニット（Ｓｗｉｔｃｈ）、及びネットワーク側適応ユニット（ｎＡｄｐｔ）を含んでよい。ｕＡｄｐｔは、ｕＡｄｐｔ（ｉ）と省略される、ネットワーク入口に配置されたｕＡｄｐｔと、ｕＡｄｐｔ（ｅ）と省略される、ネットワーク出口に配置されたｕＡｄｐｔとを含む。ｕＡｄｐｔ（ｉ）は、サービス信号をＦｌｅｘＥ高速チャネルに加えるために、低速サービス信号又は低速チャネルの適応及びインターリービングを実施するよう構成される。ｕＡｄｐｔ（ｅ）は、ＦｌｅｘＥ高速チャネルから低速サービス信号又は低速チャネルをリストアするために、ＦｌｅｘＥ高速チャネルのデインターリービング及び適応のような機能を実施するよう構成される。ｎＡｄｐｔは、ＦｌｅｘＥチャネルをＦｌｅｘＥ  ＳＨＩＭに多重化し、ＦｌｅｘＥ  ＳＨＩＭをＦｌｅｘＥインターフェースを通じて送信するか、あるいは、ＦｌｅｘＥインターフェースのＦｌｅｘＥ  ＳＨＩＭからＦｌｅｘＥチャネルをリストアするよう主に構成される。本願で、ＰＥ内のｕＡｄｐｔ又はｎＡｄｐｔは、受信されたＮ個のサービス信号の多重伝送を実施するか、あるいは、多重化を通じて取得された１つのサービス信号から元のＮ個のサービス信号をリストアするよう構成されてよい。実際の適用では、制御ユニットは、本願の方法を実施するようｕＡｄｐｔ又はｎＡｄｐｔにおいて配置されてよい。制御ユニットは、ソフトウェア、プログラム可能なデバイス、集積回路、などであってよい。例えば、集積回路は、特定用途向け集積回路（Application  Specific  Integrated  Circuit，ＡＳＩＣ）であってよい。
【００９２】
図８は、本願に従うＸ−ＥネットワーキングにおけるＰの略構造図である。図８に示されるように、Ｘ−ＥネットワーキングにおけるＰは、両側にあるｎＡｄｐｔと、ｎＡｄｐｔの間のスイッチとを含んでよい。本願では、Ｐ内のｎＡｄｐｔは、受信されたＮ個のサービス信号の多重伝送を実施するか、あるいは、多重化を通じて取得された１つのサービス信号から元のＮ個のサービス信号をリストアするよう構成されてよい。実際の適用では、制御ユニットは、本願の方法を実施するようｎＡｄｐｔにおいて配置されてよい。制御ユニットは、ソフトウェア、プログラム可能なデバイス、集積回路、などであってよい。例えば、集積回路は、ＡＳＩＣであってよい。
【００９３】
図９は、本願に従うＸ−Ｅ技術を使用することによってネットワークを確立しサービス信号を伝送する概略図である。図９に示されるように、Ｘ−Ｅ技術を使用することによって確立されたネットワークは、ＰＥ３０、Ｐ４０、及びＰＥ５０を含む。ＰＥ５０は、ユーザの受信されたＮ個のサービス信号を１つのサービス信号に多重化し、そのサービス信号をＰＥ５０へＰ４０を通じて送信してよい。サービス信号を受信した後、ＰＥ５０は、サービス信号からユーザのＮ個のサービス信号をリストアしてよい。
【００９４】
図１０は、本願に従うネットワークデバイスの略構造図である。ネットワークデバイスは、第１ネットワークデバイス１０又は第２ネットワークデバイス２０であってよい。実際の適用では、ネットワークデバイスは、ＩＰＲＡＮデバイス、ＰＴＮデバイス、などであってよい。図１０を参照すると、ネットワークデバイスは、少なくとも１つのプロセッサ１００１と、通信バス１００２と、メモリ１００３と、少なくとも１つの通信インターフェース１００４とを含む。
【００９５】
プロセッサ１００１は、汎用の中央演算処理装置（Central  Processing  Unit，ＣＰＵ）、マイクロプロセッサ、特定用途向け集積回路（application-specific  integrated  circuit，ＡＳＩＣ）、又は本願における解決法のプログラム実行を制御するよう構成された１つ以上の集積回路であってよい。
【００９６】
通信バス１００２は、上記のコンポーネントの間で情報を転送するために使用されるチャネルを含んでよい。
【００９７】
メモリ１００３は、リード・オンリー・メモリ（read-only  memory，ＲＯＭ）、静的な情報及び命令を記憶することができる他のタイプの静的記憶デバイス、ランダム・アクセス・メモリ（random  access  memory，ＲＡＭ）、又は情報及び命令を記憶することができる他のタイプの動的記憶デバイスであってよく、あるいは、電気的消去可能なプログラム可能リード・オンリー・メモリ（Electrically  Erasable  Programmable  Read-Only  Memory，ＥＥＰＲＯＭ）、コンパクト・ディスク・リード・オンリー・メモリ（Compact  Disc  Read-Only  Memory，ＣＤ−ＲＯＭ）、他の光ディスクストレージ、光ディスクストレージ（コンパクト・ディスク、レーザ・ディスク、光ディスク、デジタル・バーサタイル・ディスク、ブルーレイ・ディスク、などを含む）、磁気ディスク記憶媒体、他の磁気記憶デバイス、又は期待されるプログラムコードを命令若しくはデータ構造の形で搬送若しくは記憶するために使用可能であって、コンピュータによってアクセス可能であるあらゆる他の媒体であってよい。なお、本願はそれらに限られない。メモリ１００３は単独で存在してよく、通信バス１００２を通じてプロセッサ１００１へ接続される。代替的に、メモリ１００３はプロセッサ１００１と一体化されてもよい。
【００９８】
通信インターフェース１００４は、イーサネット、ラジオ・アクセス・ネットワーク（ＲＡＮ）、又は無線ローカル・エリア・ネットワーク（Wireless  Local  Area  Network，ＷＬＡＮ）のような通信ネットワーク又は他のデバイスと通信するために、トランシーバのような如何なる装置も使用する。
【００９９】
具体的な実施中に、実施形態において、プロセッサ１００１は、１つ以上のＣＰＵ、例えば、図１０中のＣＰＵ０及びＣＰＵ１を含んでよい。
【０１００】
具体的な実施中に、実施形態において、ネットワークデバイスは、複数のプロセッサ、例えば、図１０に示されているプロセッサ１００１及びプロセッサ１００５を含んでよい。プロセッサの夫々は、シングルコア・プロセッサ（single-CPU）又はマルチコア・プロセッサ（multi-CPU）であってよい。ここでのプロセッサは、データ（例えば、コンピュータプログラム命令）を処理する少なくとも１つのデバイス、回路、及び／又はプロセッシングコアであってよい。
【０１０１】
具体的な実施中に、実施形態において、ネットワークデバイスは、出力デバイス１００６及び入力デバイス１００７を更に含んでよい。出力デバイス１００６は、プロセッサ１００１と通信し、複数の様態で情報を表示してよい。例えば、出力デバイス１００６は、液晶ディスプレイ（liquid  crystal  display，ＬＣＤ）、発光ダイオード（light  emitting  diode，ＬＥＤ）表示デバイス、陰極線管（cathode  ray  tube，ＣＲＴ）表示デバイス、又はプロジェクタ（projector）であってよい。入力デバイス１００７は、プロセッサ１００１と通信し、複数の様態でユーザ入力を受け取ってよい。例えば、入力デバイス１００７は、マウス、キーボード、タッチスクリーンディスプレイ、又は感知デバイスであってよい。
【０１０２】
具体的な実施中に、ネットワークデバイスは、デスクトップコンピュータ、ポータブルコンピュータ、ネットワークサーバ、パーソナル・デジタル・アシスタント（Personal  Digital  Assistant，ＰＤＡ）、携帯電話機、タブレットコンピュータ、無線端末デバイス、通信デバイス、又は組み込みデバイスであってよい。ネットワークデバイスのタイプは、本願において制限されない。
【０１０３】
メモリ１００３は、本願における解決法を実行するためのプログラムコードを記憶するよう構成され、プロセッサ１００１は、実行を制御する。プロセッサ１００１は、メモリ１００３に記憶されているプログラムコード１００８を実行するよう構成される。プログラムコード１００８は、１つ以上のソフトウェアモジュールを含んでよい。
【０１０４】
図１１は、本願に従うサービス伝送方法のフローチャートである。方法は、図１に示されるサービス伝送システムに適用され得る。図１１に示されるように、方法は次のステップを含む。
【０１０５】
ステップ１１０１：第１ネットワークデバイスは、Ｎ個の第１サービス信号を取得し、Ｎ個のサービス信号のコーディングタイプは同じであり、Ｎ個のサービス信号のうちの少なくとも２つは異なる伝送レートを有する。
【０１０６】
Ｎは２以上の整数である。例えば、Ｎは２、３又は５であってよい。第１ネットワークデバイスは、ＰＥ、Ｐ、などであってよい。Ｎ個の第１サービス信号は、他のデバイスから第１ネットワークデバイスによって受信されるサービス信号であってよく、あるいは、他のデバイスから受信されたサービス信号に対してコーディング変換を実行することによって取得されるサービス信号であってよい。
【０１０７】
Ｎ個の第１サービス信号のうちの少なくとも２つが異なる伝送レートを有することは、Ｎ個の第１サービス信号のうちの少なくとも２つが異なる公称レート又は平均レートを有することを意味する。すなわち、本願における第１サービス信号の伝送レートは、第１サービス信号の公称レートであってよく、あるいは、第１サービス信号の平均レートであってよい。これは本願において制限されない。
【０１０８】
具体的に、Ｎ個の第１サービス信号を取得する前に、第１ネットワークデバイスは、Ｎ個の第４サービス信号を更に受信し、Ｎ個の第４サービス信号の中に、コーディングタイプが対象のコーディングタイプとは異なる第４サービス信号がある場合に、対象のコーディングタイプに基づいて、Ｎ個の第４サービス信号の中の、コーディングタイプが対象のコーディングタイプとは異なる第４サービス信号に対してコーディング変換を実行し、コーディング変換された第４サービス信号と、コーディングタイプが対象のコーディングタイプと同じである第４サービス信号とをＮ個の第１サービス信号として決定してよい。代替的に、Ｎ個の第４サービス信号の中に、コーディングタイプが対象のコーディングタイプと異なる第４サービス信号がない場合に、すなわち、Ｎ個全ての第４サービス信号のコーディングタイプが対象のコーディングタイプである場合に、第１ネットワークデバイスは、Ｎ個の第４サービス信号を直接にＮ個の第１サービス信号として使用してよい。
【０１０９】
対象のコーディングタイプは、Ｎ個の第１サービス信号のコーディングタイプ、すなわち、伝送において第１ネットワークデバイスをサポートするために使用されるコーディングタイプである。実際の適用では、対象のコーディングタイプは、６４Ｂ／６６Ｂコーディング又は８Ｂ／１０ＢコーディングのようなＭ／Ｎビットブロックコーディングであってよい。受信されたＮ個の第４サービス信号は、対象のコーディングタイプのサービス信号に変換され、それにより、第１ネットワークデバイスは、コーディング変換されたサービス信号を処理する。
【０１１０】
例えば、第１ネットワークデバイスがＰＥである場合に、ＰＥは、ユーザ端末によって送信されたＮ個の第４サービス信号を受信し、Ｎ個の第４サービス信号の中で、コーディングタイプが対象のコーディングタイプとは異なる第４サービス信号がある場合に、Ｎ個の第１サービス信号を取得するよう、対象のコーディングタイプに基づいてＮ個の第４サービス信号に対してコーディング変換を実行し、あるいは、Ｎ個の第４サービス信号の中に、コーディングタイプが対象のコーディングタイプとは異なる第４サービス信号がない場合に、Ｎ個の第４サービス信号をＮ個の第１サービス信号として使用してよい。
【０１１１】
更に、コーディング変換されたサービス信号の伝送レートも変化することが留意されるべきである。具体的に言えば、コーディング変換前の第４サービス信号の伝送レートは、コーディング変換された第１サービス信号のそれとは異なる。例えば、Ｎ個の第４サービス信号の中の、コーディングタイプが対象のコーディングタイプとは異なる第４サービス信号について。コーディング変換が、対応する第１サービス信号を得るよう対象のコーディングタイプに基づいて第４サービス信号に対して実行された後、コーディング変換された第１サービス信号の伝送レートも、第４サービス信号の伝送レートと、第４サービス信号のコーディングタイプと対象のコーディングタイプとの間のコーディング変換関係とに基づいて、決定される必要がある。本願における第４サービス信号の伝送レートは、第４サービス信号の公称レートであってよく、あるいは、第４サービス信号の平均レートであってよい。これは本願において制限されない。
【０１１２】
例えば、第１実施形態で、第１ネットワークデバイスは、ユーザ端末によって送信された１１個の第４サービス信号を受信すると仮定される。１１個の第４サービス信号はＣｌｉｅｎｔ１からＣｌｉｅｎｔ１１である。Ｃｌｉｅｎｔ１からＣｌｉｅｎｔ１０は、伝送レートが１５５５２０００ｂｐｓであり、コーディングタイプがＳＤＨであるサービス信号であり、Ｃｌｉｅｎｔ１１は、伝送レートが２６６０５７Ｋｂｐｓであり、コーディングタイプがＯＵＴ１であるサービス信号であり、対象のコーディングタイプは６４Ｂ／６６Ｂコーディングである。従って、コーディング変換は、対象のコーディングタイプに基づいてＣｌｉｅｎｔ１からＣｌｉｅｎｔ１１に対して実行される必要がある。具体的に言えば、Ｃｌｉｅｎｔ１からＣｌｉｅｎｔ１１は、コーディングタイプが６４Ｂ／６６Ｂコーディングであるサービス信号に変換され、Ｃｌｉｅｎｔ１´からＣｌｉｅｎｔ１１´が得られる。実際のコーディング変換が実行された後、Ｃｌｉｅｎｔ１からＣｌｉｅｎｔ１１の信号ビットは、６４Ｂ／６６Ｂビットブロックにおける６４ビットのペイロードエリアにロードされ得る。
【０１１３】
コーディング変換が実行された後、Ｃｌｉｅｎｔ１´からＣｌｉｅｎｔ１０´の伝送レートは、１５５５２００００×６６／６４＝１６０３８００００ｂｐｓであり、Ｃｌｉｅｎｔ１１´の伝送レートは、２６６６０５７１４２．９×６６／６４＝２７４９３７１４２８．６ｂｐｓである。記載を簡単にするために、Ｃｌｉｅｎｔ１´からＣｌｉｅｎｔ１１´の伝送レートは、以下では夫々ｃ１からｃ１１によって表される。
【０１１４】
他の例として、第２実施形態で、第１ネットワークデバイスは、ユーザ端末によって送信された３つの第４サービス信号を受信すると仮定される。３つの第４サービス信号はＣｌｉｅｎｔ１からＣｌｉｅｎｔ３である。Ｃｌｉｅｎｔ１は、伝送レートが１．２５Ｇｂｐｓであり、コーディングタイプが８Ｂ／１０Ｂコーディングであるサービス信号であり、Ｃｌｉｅｎｔ２は、伝送レートが８１１０．４Ｍｂｐｓであり、コーディングタイプが６４Ｂ／６６Ｂコーディングであるサービス信号であり、Ｃｌｉｅｎｔ３は、伝送レートが１０．３１２５Ｇｂｐｓであり、コーディングタイプが６４Ｂ／６６Ｂコーディングであるサービス信号であり、対象のコーディングタイプは６４Ｂ／６６Ｂコーディングである。従って、コーディング変換は、対象のコーディングタイプに基づいてＣｌｉｅｎｔ１に対して実行される必要がある。具体的に言えば、Ｃｌｉｅｎｔ１は、コーディングタイプが６４Ｂ／６６Ｂコーディングであるサービス信号に変換され、Ｃｌｉｅｎｔ１´が得られ、Ｃｌｉｅｎｔ２及びＣｌｉｅｎｔ３はＣｌｉｅｎｔ２´及びＣｌｉｅｎｔ３´として決定される。
【０１１５】
コーディング変換が実行された後、Ｃｌｉｅｎｔ１´の伝送レートは、１２５０００００００×（８／１０）×（６６／６４）＝１０３１２５００００ｂｐｓであり、Ｃｌｉｅｎｔ２´の伝送レートは、８１１０４０００００ｂｐｓであり、Ｃｌｉｅｎｔ３´の伝送レートは、１０３１２５０００００ｂｐｓである。記載を簡単にするために、Ｃｌｉｅｎｔ１´からＣｌｉｅｎｔ３´の伝送レートは、以下では夫々ｃ１からｃ３によって表される。
【０１１６】
更なる他の例として、第３実施形態で、第１ネットワークデバイスは、ユーザ端末によって送信された２つの第４サービス信号を受信すると仮定される。２つの第４サービス信号はＣｌｉｅｎｔ１及びＣｌｉｅｎｔ２である。Ｃｌｉｅｎｔ１は、伝送レートが１５５５２００００ｂｐｓであり、コーディングタイプがＳＤＨであるサービス信号であり、Ｃｌｉｅｎｔ２は、伝送レートが３２２０８００００ｂｐｓであり、コーディングタイプがＳＤＨであるサービス信号であり、対象のコーディングタイプは６４Ｂ／６６Ｂコーディングである。従って、コーディング変換は、対象のコーディングタイプに基づいてＣｌｉｅｎｔ１及びＣｌｉｅｎｔ２に対して実行される必要がある。具体的に言えば、Ｃｌｉｅｎｔ１及びＣｌｉｅｎｔ２は、コーディングタイプが６４Ｂ／６６Ｂコーディングであるサービス信号に変換され、Ｃｌｉｅｎｔ１´及びＣｌｉｅｎｔ２´が得られる。
【０１１７】
コーディング変換が実行された後、Ｃｌｉｅｎｔ１´の伝送レートは、１５５５２００００×６６／６４＝１６０３８００００ｂｐｓであり、Ｃｌｉｅｎｔ２´の伝送レートは、６２２０８００００×６６／６４＝６４１５２００００ｂｐｓである。記載を簡単にするために、Ｃｌｉｅｎｔ１´及びＣｌｉｅｎｔ２´の伝送レートは、以下では夫々ｃ１及びＣ２によって表される。
【０１１８】
ステップ１１０２：第１ネットワークデバイスは、Ｎ個の第１サービス信号と一対一の対応にあるＮ個の第２サービス信号を得るようパディング信号をＮ個の第１サービス信号に挿入し、このとき、Ｎ個の第２サービス信号の伝送レートは基準レートの整数倍である。
【０１１９】
異なる伝送レートを有する少なくとも２つの第１サービス信号を含むＮ個の第１サービス信号について、Ｎ個のサービス信号は、Ｎ個のサービス信号の伝送レートが明確な階層的特性を有している場合にのみ、すなわち、Ｎ個のサービス信号の伝送レート間の比が自明な整数比特性を有している場合にのみ、多重化可能であることが留意されるべきである。本願で、パディング信号は、Ｎ個の第１サービス信号と一対一の対応にありかつ伝送レートが基準レートの整数倍であるＮ個の第２サービス信号を得るために、Ｎ個の第１サービス信号に挿入される。これは、Ｎ個の第１サービス信号のその後の多重伝送を容易にし、Ｎ個の第１サービス信号を多重化する問題を解決することができる。
【０１２０】
更に、ステップ１１０２の前に、基準レートが最初に、Ｎ個の第１のサービス信号の伝送レート又は設定されたレートに基づいて決定されてよい。具体的に、基準レートは、次のいくつかの実施において決定されてよい。
【０１２１】
第１の実施：設定されたレートが、基準レートとして決定される。
【０１２２】
設定されたレートは、ユーザ、第１ネットワークデバイス、又は他のデバイスによって事前設定されたレートであり、例えば、ユーザの入力レート、第１ネットワークデバイスのデフォルト設定レート、又は他のデバイスの伝送レートであってよい。例えば、図５に示される第１ネットワークデバイス１０では、設定されたレートは、制御ユニット１１を使用することによってユーザによって設定されたレートであってよい。
【０１２３】
第２の実施：基準レートは、Ｎ個の第１サービス信号の伝送レートに基づいて決定される。
【０１２４】
具体的に、Ｎ個の第１サービス信号の伝送レートに基づいて基準レートを決定する次のいくつかの方法が存在し得る。
【０１２５】
（１）対象の第１サービス信号の伝送レートの１／Ｔを基準レートとして決定し、このとき、対象の第１サービス信号はＮ個の第１サービス信号のうちの１つであり、Ｔは正の整数である。
【０１２６】
具体的に言えば、Ｔ＝１であるとき、対象の第１サービス信号の伝送レートが基準レートとして使用されてよく、あるいは、Ｔが１よりも大きいときには、対象の第１サービス信号の伝送レートの１／Ｔが基準レートとして使用されてよい。
【０１２７】
対象の第１サービス信号は、Ｎ個の第１サービス信号からランダムに選択されてよく、あるいは、前もってセットされたポリシーに従ってＮ個の第１サービス信号から指定されてよい。例えば、信号パディングユニットが展開されていないＮ個の第１サービス信号のうちの１つが、対象の第１サービス信号として決定されてよい。
【０１２８】
更に、対象の第１サービス信号の伝送レートは、前もってセットされたポリシーに従って四捨五入されてもよく、四捨五入を通じて得られた伝送レートの１／Ｔが基準レートとして決定される。代替的に、対象の第１サービス信号の伝送レートの１／Ｔは、前もってセットされたポリシーに従って四捨五入され、処理結果が基準レートとして決定される。このようにして、計算複雑性は低減可能であり、計算効率は改善され得る。
【０１２９】
（２）Ｎ個の第１サービス信号に挿入されるパディング信号のビットの総数が最小であるというポリシーに従って、Ｎ個の第１サービス信号から１つのサービス信号を選択し、選択されたサービス信号の伝送レートの１／Ｔを基準レートとして使用し、このとき、Ｔは正の整数である。
【０１３０】
具体的に、Ｎ個の第１サービス信号に挿入されるパディング信号のビットの総数が最小であるというポリシーに従ってＮ個の第１サービス信号から１つのサービス信号を選択することは、Ｎ個の第１サービス信号の中の第１サービス信号Ｂについて、第１サービス信号Ｂの伝送レートの１／Ｔが基準レートとして使用されると仮定され、かつ、Ｎ個の第２サービス信号の伝送レートが基準レートの整数倍であることが確かにされる場合に、前もってセットされた期間内にＮ個の第１サービス信号に挿入される必要があるパディング信号のビットの総数を決定し、決定されたビットの総数を第１サービス信号Ｂのパディング数として使用することと、Ｎ個の第１サービス信号のパディング数の中で最小のパディング数を有する１つの第１サービス信号を決定し、最小のパディング数を有する第１サービス信号を選択されたサービス信号として使用することとを含む。
【０１３１】
すなわち、Ｎ個の第１サービス信号の夫々の伝送レートの１／Ｔが基準レートとして使用されると考えられる場合に、前もってセットされた期間内にＮ個の第１サービス信号に挿入される必要があるパディング信号のビットの総数が計算され得、決定されたビットの総数が、対応する第１サービス信号のパディング数として使用される。従って、Ｎ個の第１サービス信号のパディング数が取得され得、それから、Ｎ個の第１サービス信号の中で最小のパディング数を有する第１サービス信号の伝送レートの１／Ｔが、基準レートとして使用される。
【０１３２】
基準レートは、Ｎ個の第１サービス信号に挿入されるパディング信号のビットの総数が最小であるというポリシーに従って、決定される。これは、パディング信号を挿入するためのビットを減らし、パディング信号のリソース利用を改善することができ、更には、パディング信号挿入の動作周波数を低減し、挿入効率を改善することができる。
【０１３３】
前もってセットされた時間は、前もってセットされてよく、具体的に、伝送レートの単位時間であってよい。例えば、伝送レートは、通常、ｂｐｓ、すなわち、毎秒伝送されるビットの数である。従って、前もってセットされた時間は１ｓであってよい。
【０１３４】
具体的に、前もってセットされた時間が伝送レートの単位時間である場合に、第１サービス信号Ｂの伝送レートの１／Ｔが基準レートとして使用されると仮定され、かつ、Ｎ個の第２サービス信号の伝送レートが基準レートの整数倍であることが確かにされるとき、前もってセットされた期間内にＮ個の第１サービス信号に挿入される必要があるパディング信号のビットの総数、すなわち、第１サービス信号Ｂのパディング数は、次の式（１）：
【数１】
2021522746.tif 000003
を使用することによって決定され得る。
【０１３５】
Ｊｉは、第１サービス信号Ｂのパディング数であり、ｉは、Ｎ個の第１サービス信号の中の第１サービス信号Ｂの順序番号を示し、かっこ内の内容は、前もってセットされた期間内にＮ個の第１サービス信号の中のｊ番目の第１サービス信号に挿入される必要あるビットの数を示す。前もってセットされた期間内にＮ個の第１サービス信号の夫々に挿入される必要があるビットの数は、前もってセットされた期間内にＮ個の第１サービス信号に挿入される必要があるビットの総数を得るように、増やされる。
【０１３６】
第１実施形態が例として使用される。１つの第１サービス信号の伝送レートの１／Ｔが、Ｃｌｉｅｎｔ１´からＣｌｉｅｎｔ１１´に挿入されるパディング信号のビットの総数が最小であるというポリシーに従って、Ｃｌｉｅｎｔ１´からＣｌｉｅｎｔ１１´から基準レートとして選択される、とすると、Ｃｌｉｅｎｔ１´からＣｌｉｅｎｔ１１´の中の各第１サービス信号のパディング信号は最初に計算され得る。１１個の第１サービス信号、すなわち、Ｃｌｉｅｎｔ１´からＣｌｉｅｎｔ１１´の伝送レートが夫々ｃ１からｃ１１によって表され、Ｃｌｉｅｎｔ１´からＣｌｉｅｎｔ１１´のパディング数が夫々Ｊ１からＪ１１によって表される、とすると、Ｊ１からＪ１１は、次の式（２）から式（５）：
【数２】
2021522746.tif 000004
を使用することによって決定され得る。
【０１３７】
上記の式から、Ｊ１＝Ｊ２＝・・・Ｊ１０＝ｍｉｎ（Ｊ１，Ｊ２，・・・，Ｊ１１）であることが分かる。すなわち、Ｃｌｉｅｎｔ１´からＣｌｉｅｎｔ１０´のパディング数は同じであり、最小値である。従って、Ｃｌｉｅｎｔ１´からＣｌｉｅｎｔ１０´の中のいずれかの第１サービス信号の伝送レートの１／Ｔが基準レートとして使用され得る。例えば、Ｃｌｉｅｎｔ２´の伝送レートの１／Ｔが基準レートとして使用されてよい。
【０１３８】
更に、選択されたサービス信号の伝送レートは、前もってセットされたポリシーに従って四捨五入されてよく、四捨五入を通じて得られた伝送レートの１／Ｔが基準レートとして決定される。代替的に、選択されたサービス信号の伝送レートの１／Ｔが、前もってセットされたポリシーに従って四捨五入され、処理結果が基準レートとして決定される。このようにして、計算複雑性は低減可能であり、計算効率は改善され得る。
【０１３９】
具体的に、Ｎ個の第１サービス信号に挿入されるパディング信号のビットの総数が最小であるというポリシーに従ってＮ個の第１サービス信号から１つのサービス信号を選択することは、Ｎ個の第１サービス信号の中の第１サービス信号Ｂについて、前もってセットされたポリシーに従って第１サービス信号Ｂの伝送レートに対して四捨五入を行うことによって得られた処理結果の１／Ｔが基準レートとして使用されると仮定され、かつ、Ｎ個の第２サービス信号の伝送レートが基準レートの整数倍であることが確かにされる場合に、前もってセットされた期間内にＮ個の第１サービス信号に挿入される必要があるパディング信号のビットの総数を決定し、決定されたビットの総数を第１サービス信号Ｂのパディング数として使用し、Ｎ個の第１サービス信号のパディング数から最小のパディング数を有する第１サービス信号を決定し、最小のパディング数を有する第１サービス信号を選択されたサービス信号として使用することと、又は
Ｎ個の第１サービス信号の中の第１サービス信号Ｂについて、前もってセットされたポリシーに従って第１サービス信号Ｂの伝送レートの１／Ｔに対して四捨五入を行うことによって得られた処理結果が基準レートとして使用されると仮定され、かつ、Ｎ個の第２サービス信号の伝送レートが基準レートの整数倍であることが確かにされる場合に、前もってセットされた期間内にＮ個の第１サービス信号に挿入される必要があるパディング信号のビットの総数を決定し、決定されたビットの総数を第１サービス信号Ｂのパディング数として使用し、Ｎ個の第１サービス信号のパディング数から最小のパディング数を有する第１サービス信号を決定し、最小のパディング数を有する第１サービス信号を選択されたサービス信号として使用することを含む。
【０１４０】
（３）Ｎ個の第２サービス信号が１つの第３サービス信号に多重化される場合に、Ｎ個の第２サービス信号から取り出された信号ユニットの数が毎回最小であるというポリシーに従ってＮ個の第１サービス信号から１つのサービス信号を選択し、選択されたサービス信号の伝送レートの１／Ｔを基準レートとして使用する。
【０１４１】
具体的に、Ｎ個の第２サービス信号が１つの第３サービス信号に多重化される場合に、Ｎ個の第２サービス信号から取り出された信号ユニットの数が毎回最小であるというポリシーに従ってＮ個の第１サービス信号から１つのサービス信号を選択することは、Ｎ個の第１サービス信号の中の第１サービス信号Ｂについて、第１サービス信号Ｂの伝送レートの１／Ｔが基準レートとして使用されると仮定され、かつ、Ｎ個の第２サービス信号の伝送レートが基準レートの整数倍であることが確かにされる場合に、Ｎ個の第２サービス信号が１つの第３サービス信号に多重化される場合に、毎回Ｎ個の第２サービス信号から取り出された信号ユニットの数を決定し、信号ユニットの決定された数を第１サービス信号Ｂの抽出数として決定し、Ｎ個の第１サービス信号の中で最小の抽出数を有する１つの第１サービス信号を選択されたサービス信号として使用することを含む。
【０１４２】
実施形態において、Ｎ個の第１サービス信号と一対一の対応にあるＮ個の第２サービス信号を得るようパディング信号をＮ個の第１サービス信号に挿入することは、Ｎ個の第１サービス信号の中の第１サービス信号Ａについて、第１サービス信号Ａに対応する第２サービス信号を得るよう、第１サービス信号Ａの伝送レート及び基準レートに基づいてパディング信号を第１サービス信号Ａに挿入することを含んでよい。
【０１４３】
具体的に、第１サービス信号Ａの伝送レート及び基準レートに基づいてパディング信号を第１サービス信号Ａに挿入することは、次のステップ１１０２ａ及び１１０２ｂを実行することによって実施されてよい。
【０１４４】
ステップ１１０２ａ：第１サービス信号Ａの伝送レート及び基準レートに基づいて、第１サービス信号Ａに対応する第２サービス信号の伝送レートを決定する。
【０１４５】
第１サービス信号Ａの伝送レートは、第１サービス信号Ａの公称レートであってよく、あるいは、第１サービス信号Ａの平均レートであってよいことが留意されるべきである。すなわち、第１サービス信号Ａに対応する第２サービス信号の伝送レートは、第１サービス信号Ａの公称レート及び基準レートに基づいて決定されてよく、あるいは、第１サービス信号Ａの平均レート及び基準レートに基づいて決定されてよい。これは本願において制限されない。
【０１４６】
具体的に、第１サービス信号Ａの伝送レート及び基準レートに基づいて、第１サービス信号Ａに対応する第２サービス信号の伝送レートを決定することは、次の２つの実施を含む。
【０１４７】
実施１：第１サービス信号Ａに対応する第２サービス信号の伝送レートは、第１積に基づいて決定され、第１積は、第１サービス信号Ａの相対倍数と基準レートとの積であり、第１サービス信号Ａの相対倍数は、基準レートに対する第１サービス信号の伝送レートの比の端数を切り上げることによって得られる。
【０１４８】
具体的に、第１積に基づいて第１サービス信号Ａに対応する第２サービス信号の伝送レートを決定することは、次の２つの実施を含んでよい。
【０１４９】
（１）第１サービス信号Ａに対応する第２サービス信号の伝送レートとして第１積を決定する。
【０１５０】
第１実施形態が例として使用される。Ｃｌｉｅｎｔ１´からＣｌｉｅｎｔ１１´の中のＣｌｉｅｎｔ２´の伝送レートが基準レートとして使用され、対応する１１個の第２サービス信号の伝送レートが夫々Ｓ１からＳ１１によって表される、とすると、Ｓ１からＳ１１は、夫々、次の式（６）から式（８）：
【数３】
2021522746.tif 000005
を使用することによって決定され得る。
【０１５１】
ｃ１は、Ｃｌｉｅｎｔ１´の伝送レートであり、ｃ２は、Ｃｌｉｅｎｔ２´の伝送レートであり、ｃ１１は、Ｃｌｉｅｎｔ１１´の伝送レートであり、ｃｅｉｌｉｎｇは、かっこ内の内容を切り上げることを表す。
【０１５２】
（２）Ｎ個の第１サービス信号の許容可能なレート変動下限の最小値及び第３サービス信号の許容可能なレート変動上限に基づいて予め決定された第１レート調整上限を取得し、第１レート調整上限に基づいて第１積を調整して、第１サービス信号Ａに対応する第２サービス信号の伝送レートを取得する。
【０１５３】
具体的に言えば、Ｎ個の第１サービス信号と一対一の対応にあるＮ個の第２サービス信号の伝送レートが決定される前に、Ｎ個の第１サービス信号の許容可能なレート変動下限の最小値、及び第３サービス信号の許容可能なレート変動上限が、最初に決定されてよい。次いで、Ｎ個の第１サービス信号の許容可能なレート変動下限の最小値及び第３サービス信号の許容可能なレート変動上限に基づいて、第１レート調整上限が決定される。その後に、各第１サービス信号に対応する第２サービス信号について、各第１サービス信号の相対倍数と基準レートとの積は、各第１サービス信号に対応する第２サービス信号の伝送レートを得るように、第１レート調整上限に基づいて調整され得る。
【０１５４】
具体的に言えば、Ｎ個の第２サービス信号の伝送レートは、Ｎ個の第１サービス信号のレート許容範囲と、第３サービス信号のレート許容範囲と、Ｎ個の第１サービス信号に別々に挿入される必要がある保守及び管理信号の割合とに基づいて更に細かく調整され得る。このようにして、Ｎ個の第２サービス信号の決定された伝送レートに特有に、第１サービス信号及び第３サービス信号のレート許容範囲並びにＮ個の第１サービス信号への保守及び管理信号の特定の割合の挿入は、更に許容可能である。
【０１５５】
Ｎ個の第１サービス信号の夫々の許容可能なレート変動下限の最小値は、第１サービス信号のレート許容範囲に基づいて決定されてよく、第３サービス信号の許容可能なレート変動上限は、第３サービス信号のレート許容範囲に基づいて決定されてよい。
【０１５６】
具体的に、Ｎ個の第１サービス信号の許容可能なレート変動下限の最小値及び第３サービス信号の許容可能なレート変動上限に基づいて第１レート調整上限を決定することは、第３サービス信号の上限とＮ個の第１サービス信号の許容可能なレート変動下限の最小値との間の差を第１レート調整上限として決定することを含む。
【０１５７】
具体的に、第１サービス信号Ａに対応する第２サービス信号の伝送レートを得るよう第１レート調整上限に基づいて第１積を調整することは、第１サービス信号Ａに対応する第２サービス信号の伝送レートとして第１積と第２積との和を決定することを含み、ここで、第２積は、第１レート調整上限と第１積との積である。
【０１５８】
第１実施形態が例として使用される。Ｃｌｉｅｎｔ１´からＣｌｉｅｎｔ１０´の周波数許容範囲は（＋１０ＰＰＭ，−１０ＰＰＭ）であり、Ｃｌｉｅｎｔ１１´の周波数許容範囲は（＋２０ＰＰＭ，−２０ＰＰＭ）であり、第３サービス信号の周波数許容範囲は（＋１００ＰＰＭ，−１００ＰＰＭ）である。他の複雑因子が考慮されない場合に、レート許容範囲の値は周波数許容範囲のそれに等しい。ＰＰＭ（Part  per  Million）は周波数ユニット、すなわち、１／１００００００である。第１レート調整上限がｆｍａｘによって表されるとすれば、ｆｍａｘは、次の式（９）：
【数４】
2021522746.tif 000006
を使用することによって決定され得る。
【０１５９】
Ｃｌｉｅｎｔ１´からＣｌｉｅｎｔ１１´の中のＣｌｉｅｎｔ２´の伝送レートが基準レートとして使用され、Ｃｌｉｅｎｔ１´からＣｌｉｅｎｔ１１´に対応する１１個の第２サービス信号の伝送レートが夫々Ｓ１からＳ１１によって表される、とすると、Ｓ１からＳ１１は、夫々、次の式（１０）から式（１２）：
【数５】
2021522746.tif 000007
を使用することによって決定され得る。
【０１６０】
ｃ１は、Ｃｌｉｅｎｔ１´の伝送レートであり、ｃ２は、Ｃｌｉｅｎｔ２´の伝送レートであり、ｃ１１は、Ｃｌｉｅｎｔ１１´の伝送レートであり、ｃｅｉｌｉｎｇは、かっこ内の内容を切り上げることを表す。
【０１６１】
実施２：第２レート調整上限が取得され、第２レート調整上限は、Ｎ個の第１サービス信号に別々に挿入される必要がある保守及び管理信号の割合の最大値に基づいて予め決定されるか、あるいは、Ｎ個の第１サービス信号に別々に挿入される必要がある保守及び管理信号の割合の最大値と、Ｎ個の第１サービス信号の許容可能なレート変動下限の最小値と、第３サービス信号の許容可能なレート変動上限とに基づいて予め決定され、第１積は、第１サービス信号Ａに対応する第２サービス信号の伝送レートを得るように第２レート調整上限に基づいて調整され、このとき、第１積は、第１サービス信号Ａの相対倍数と基準レートとの積であり、第１サービス信号Ａの相対倍数は、基準レートに対する前記第１サービス信号Ａの伝送レートの比の端数を切り上げることによって得られる。
【０１６２】
すなわち、Ｎ個の第１サービス信号と一対一の対応にあるＮ個の第２サービス信号の伝送レートが決定される前に、Ｎ個の第１サービス信号に別々に挿入される必要がある保守及び管理信号の割合が最初に決定されてよく、第２レート調整上限は、Ｎ個の第１サービス信号に別々に挿入される必要がある保守及び管理信号の割合の最大値に基づいて決定される。代替的に、Ｎ個の第１サービス信号に別々に挿入される必要がある保守及び管理信号の割合、Ｎ個の第１サービス信号の許容可能なレート変動下限、及び第３サービス信号の許容可能なレート変動上限が最初に決定され、第２レート調整上限は、Ｎ個の第１サービス信号に別々に挿入される必要がある保守及び管理信号の割合の最大値と、Ｎ個の第１サービス信号の許容可能なレート変動下限の最小値と、第３サービス信号の許容可能なレート変動上限とに基づいて決定される。それから、Ｎ個の第１サービス信号の中の第１サービス信号Ａについて、第１サービス信号Ａの相対倍数と基準レートとの積は、第１サービス信号Ａに対応する第２サービス信号の伝送レートを得るように調整される。
【０１６３】
第１サービス信号Ａに挿入される保守及び管理信号は、第１サービス信号Ａを保守及び管理するために使用される保守及び管理パラメータを運んでよい。例えば、運ばれる保守及び管理パラメータは、第１サービス信号Ａのクロック特性情報であってよく、第２ネットワークデバイス側で第１サービス信号のクロックをその後に回復するために使用される。
【０１６４】
具体的に、Ｎ個の第１サービス信号に別々に挿入される必要がある保守及び管理信号の割合の最大値に基づいて第２レート調整上限を決定することは、Ｎ個の第１サービス信号に別々に挿入される必要がある保守及び管理信号の割合の最大値を第２レート調整上限として決定することを含む。Ｎ個の第１サービス信号に別々に挿入される必要がある保守及び管理信号の割合の最大値と、Ｎ個の第１サービス信号の許容可能なレート変動下限の最小値と、第３サービス信号の許容可能なレート変動上限とに基づいて第２レート調整上限を決定することは、第３サービス信号の許容可能なレート変動上限と、Ｎ個の第１サービス信号に別々に挿入される必要がある保守及び管理信号の割合の最大値との和を決定し、その和と、Ｎ個の第１サービス信号の許容可能なレート変動下限の最小値との差を第２レート調整上限として決定することを含む。
【０１６５】
第１実施形態が例として使用される。Ｃｌｉｅｎｔ１´からＣｌｉｅｎｔ１０´の周波数許容範囲は（＋１０ＰＰＭ，−１０ＰＰＭ）であり、Ｃｌｉｅｎｔ１１´の周波数許容範囲は（＋２０ＰＰＭ，−２０ＰＰＭ）であり、第３サービス信号の周波数許容範囲は（＋１００ＰＰＭ，−１００ＰＰＭ）である。他の複雑因子が考慮されない場合に、各Ｃｌｉｅｎｔのレート許容範囲の値は周波数許容範囲のそれに等しく、周波数許容範囲の値は、レート許容範囲の値として直接使用され得る。Ｃｌｉｅｎｔ１´からＣｌｉｅｎｔ１１´に挿入される必要ある保守及び管理信号の割合は全て、５０ＰＰＭである。第２レート調整上限がｆｍａｘによって表されるとすれば、ｆｍａｘは、次の式（１３）：
【数６】
2021522746.tif 000008
を使用することによって決定され得る。
【０１６６】
Ｃｌｉｅｎｔ１´からＣｌｉｅｎｔ１１´の中のＣｌｉｅｎｔ２´が基準レートとして使用され、Ｃｌｉｅｎｔ１´からＣｌｉｅｎｔ１１´に対応する１１個の第２サービス信号の伝送レートが夫々Ｓ１からＳ１１によって表される、とすると、Ｓ１からＳ１１は、夫々、次の式（１４）から式（１６）：
【数７】
2021522746.tif 000009
を使用することによって決定され得る。
【０１６７】
ｃ１は、Ｃｌｉｅｎｔ１´の伝送レートであり、ｃ２は、Ｃｌｉｅｎｔ２´の伝送レートであり、ｃ１１は、Ｃｌｉｅｎｔ１１´の伝送レートであり、ｃｅｉｌｉｎｇは、かっこ内の内容を切り上げることを表す。
【０１６８】
第２実施形態が例として使用される。Ｃｌｉｅｎｔ１´から及びＣｌｉｅｎｔ２´の周波数許容範囲は（＋１００ＰＰＭ，−１００ＰＰＭ）であり、Ｃｌｉｅｎｔ３´の周波数許容範囲は（＋２０ＰＰＭ，−２０ＰＰＭ）であり、第３サービス信号の周波数許容範囲は（＋２０ＰＰＭ，−２０ＰＰＭ）である。他の複雑因子が考慮されない場合に、各Ｃｌｉｅｎｔのレート許容範囲の値は周波数許容範囲のそれに等しく、周波数許容範囲の値は、レート許容範囲の値として直接使用され得る。Ｃｌｉｅｎｔ１´からＣｌｉｅｎｔ３´に挿入される必要ある保守及び管理信号の割合は全て、１００ＰＰＭである。第２レート調整上限がｆｍａｘによって表されるとすれば、ｆｍａｘは、次の式（１７）：
【数８】
2021522746.tif 000010
を使用することによって決定され得る。
【０１６９】
Ｃｌｉｅｎｔ３の伝送レートの１／１０が基準レートとして使用され、Ｃｌｉｅｎｔ１´からＣｌｉｅｎｔ３´に対応する３つの第２サービス信号の伝送レートが夫々Ｓ１からＳ３によって表される、とすると、Ｓ１からＳ３は、夫々、次の式（１８）から式（２０）：
【数９】
2021522746.tif 000011
を使用することによって決定され得る。
【０１７０】
ｃ１は、Ｃｌｉｅｎｔ１´の伝送レートであり、ｃ２は、Ｃｌｉｅｎｔ２´の伝送レートであり、ｃ３は、Ｃｌｉｅｎｔ３´の伝送レートであり、ｃｅｉｌｉｎｇは、かっこ内の内容を切り上げることを表す。
【０１７１】
第３実施形態が例として使用される。Ｃｌｉｅｎｔ１´の周波数許容範囲は（＋１０ＰＰＭ，−１０ＰＰＭ）であり、Ｃｌｉｅｎｔ２´の周波数許容範囲は（＋２０ＰＰＭ，−２０ＰＰＭ）であり、第３サービス信号の周波数許容範囲は（＋１００ＰＰＭ，−１００ＰＰＭ）である。他の複雑因子が考慮されない場合に、各Ｃｌｉｅｎｔのレート許容範囲の値は周波数許容範囲のそれに等しく、周波数許容範囲の値は、レート許容範囲の値として直接使用され得る。Ｃｌｉｅｎｔ１´及びＣｌｉｅｎｔ２´に挿入される必要ある保守及び管理信号の割合は全て、５０ＰＰＭである。第２レート調整上限がｆｍａｘによって表されるとすれば、ｆｍａｘは、次の式（２１）：
【数１０】
2021522746.tif 000012
を使用することによって決定され得る。
【０１７２】
第１ネットワークデバイスによってセットされる設定されたレートｃｒｅｆ＝１６０３８００００ｂｐｓが基準レートとして使用され、Ｃｌｉｅｎｔ１´及びＣｌｉｅｎｔ２´に対応する２つの第２サービス信号の伝送レートが夫々Ｓ１及びＳ２によって表される、とすると、Ｓ１及びＳ２は、夫々、次の式（２２）及び式（２３）：
【数１１】
2021522746.tif 000013
を使用することによって決定され得る。
【０１７３】
ｃ１は、Ｃｌｉｅｎｔ１´の伝送レートであり、ｃ２は、Ｃｌｉｅｎｔ２´の伝送レートであり、ｃｅｉｌｉｎｇは、かっこ内の内容を切り上げることを表す。
【０１７４】
ステップ１１０２ｂ：第１サービス信号Ａに対応する第２サービス信号を得るよう、第１サービス信号Ａの伝送レート及び第１サービス信号Ａに対応する第２サービス信号の伝送レートに基づいてパディング信号を第１サービス信号Ａに挿入する。
【０１７５】
具体的に、第１サービス信号Ａの伝送レート及び第１サービス信号Ａに対応する第２サービス信号の伝送レートに基づいてパディング信号を第１サービス信号Ａに挿入することは、次の２つの実施を含む。
【０１７６】
実施１：第１サービス信号Ａに対応する第２サービス信号の伝送レートがステップ１１０２ａの実施１で決定される場合に、パディング信号は、第１サービス信号Ａに対応する第２サービス信号の伝送レートと第１サービス信号Ａの伝送レートとの間の偏差率に基づいて、第１サービス信号Ａに挿入されてよい。
【０１７７】
具体的に、偏差率が０よりも大きい場合に、パディング信号は、偏差率に基づいて第１サービス信号Ａに挿入される。偏差率が０に等しい場合に、それは、第１サービス信号Ａ及び対応する第２サービス信号の伝送レートが同じであることを示す。この場合に、パディング信号は第１サービス信号Ａに挿入される必要がない。
【０１７８】
例えば、パディング信号は、偏差適応信号であってよい。すなわち、パディング信号として使用される偏差適応信号は、第１サービス信号Ａに対応する第２サービス信号の伝送レートと第１サービス信号Ａの伝送レートとの間の偏差率に基づいて、第１サービス信号Ａに挿入されてよい。例えば、Ｎ個の第１サービス信号に挿入される必要がある保守及び管理信号が構成されない場合に、偏差適応信号しか第１サービス信号Ａに挿入されなくてよい。
【０１７９】
偏差適応信号は、第１サービス信号Ａの伝送レートと、対応する第２サービス信号の伝送レートとの間の偏差率を適応させるために、使用される。従って、偏差適応信号が第１サービス信号Ａに挿入された後、取得された第２サービス信号の伝送レートが所定の伝送レートに等しいことは確かにされる。例えば、伝送レートが偏差率に等しい偏差適応信号が第１サービス信号Ａに挿入されてよい。実施において、偏差適応信号は、アイドル（ＩＤＬＥ）コードブロックストリームであってよく、確かに、代替的に、他の信号形態であってもよい。これは本願において制限されない。第１実施形態が例として使用される。挿入される偏差適応信号は、６４Ｂ／６６ＢコーディングのＩＤＬＥコードブロックストリームであってよく、ＩＤＬＥコードブロックのコードブロック構造は図１２に示され得る。
【０１８０】
具体的に、第１サービス信号Ａに対応する第２サービス信号の伝送レートと第１サービス信号Ａの伝送レートとの間の偏差率に基づいてパディング信号を第１サービス信号Ａに挿入することは、第１サービス信号Ａの伝送レートに基づいて、単位時間に取得される第１信号ユニットの数であるＸを決定することであり、第１信号ユニットは第１サービス信号Ａの信号ユニットである、ことと、第１サービス信号Ａに対応する第２サービス信号の伝送レートと第１サービス信号Ａの伝送レートとの間の偏差率に基づいて、単位時間に取得される第１信号ユニットのグループに挿入される必要がある第２信号ユニットの数であるＹを決定することであり、第２信号ユニットはパディング信号の信号ユニットである、ことと、各単位時間に第１信号ユニットのグループを取得する過程で、各単位時間に取得されるＸ個の第１信号ユニットにＹ個の第２信号ユニットを挿入することとを含んでよい。
【０１８１】
各単位時間に取得されるＸ個の第１信号ユニットにＹ個の第２信号ユニットを挿入する具体的な実施は、本願の航続内容において詳述されることが留意されるべきである。詳細はここで記載されない。
【０１８２】
実施２：第１サービス信号Ａに対応する第２サービス信号の伝送レートがステップ１１０２ａの実施２で決定される場合に、第１サービス信号Ａに挿入される必要がある保守及び管理信号の割合が決定されてよく、パディング信号は、第１サービス信号Ａに挿入される必要がある保守及び管理信号の割合と、第１サービス信号Ａの伝送レートと、第１サービス信号Ａに対応する第２サービス信号の伝送レートとに基づいて、第１サービス信号Ａに挿入され得る。
【０１８３】
具体的に、パディング信号として使用される保守及び管理信号並びに偏差適応信号は、第１サービス信号Ａに挿入される必要がある保守及び管理信号の割合と、第１サービス信号Ａの伝送レートと、第１サービス信号Ａに対応する第２サービス信号の伝送レートとに基づいて、第１サービス信号Ａに挿入されてよい。
【０１８４】
すなわち、Ｎ個の第１サービス信号に挿入される必要がある保守及び管理信号が構成される場合に、偏差適応信号並びに保守及び管理信号が第１サービス信号Ａに挿入される必要がある。第１実施形態が例として使用される。Ｃｌｉｅｎｔ１´からＣｌｉｅｎｔ１１´に挿入される保守及び管理信号は、第２ネットワークデバイス側で第１サービス信号に対応するクロックをその後に回復するために、第１サービス信号に対応するクロック特性情報を運んでよい。例えば、Ｃｌｉｅｎｔ１´からＣｌｉｅｎｔ１１´に挿入される保守及び管理信号のコーディングタイプは、６４Ｂ／６６Ｂコーディングであってよく、６４Ｂ／６６Ｂコードブロックでは、０×８に等しいＯ及び４Ｂであるタイプを有するコードブロックが、クロック特性情報を運ぶために使用される。挿入される保守及び管理信号のコードブロック構造は、図１３に示され得る。
【０１８５】
具体的に、第１サービス信号Ａに挿入される必要がある保守及び管理信号の割合と、第１サービス信号Ａの伝送レートと、第１サービス信号Ａに対応する第２サービス信号の伝送レートとに基づいて、パディング信号として使用される保守及び管理信号並びに偏差適応信号を第１サービス信号Ａに挿入することは、最初に、第１サービス信号Ａに挿入される必要がある保守及び管理信号の割合に基づいて保守及び管理信号を第１サービス信号Ａに挿入し、次いで、第１サービス信号Ａの伝送レートと、第１サービス信号Ａに挿入される必要がある保守及び管理信号の割合とに基づいて、保守及び管理信号が挿入されている第１サービス信号Ａの伝送レートを決定し、最後に、第１サービス信号Ａに対応する第２サービス信号の伝送レートと、保守及び管理信号が挿入されている第１サービス信号Ａの伝送レートとに基づいて、保守及び管理信号が挿入されている第１サービス信号Ａに偏差適応信号を挿入することを含んでよい。
【０１８６】
具体的に、第１サービス信号Ａに対応する第２サービス信号の伝送レートと、保守及び管理信号が挿入されている第１サービス信号Ａの伝送レートとに基づいて、保守及び管理信号が挿入されている第１サービス信号Ａに偏差適応信号を挿入することは、第１サービス信号Ａに対応する第２サービス信号の伝送レートと、保守及び管理信号が挿入されている第１サービス信号Ａの伝送レートとの間の偏差率を決定し、偏差率に基づいて、保守及び管理信号が挿入されている第１サービス信号Ａに偏差適応信号を挿入することを含む。
【０１８７】
具体的に、第１サービス信号Ａに対応する第２サービス信号の伝送レートと、保守及び管理信号が挿入されている第１サービス信号Ａの伝送レートとの間の偏差率に基づいて、保守及び管理信号が挿入されている第１サービス信号Ａに偏差適応信号を挿入する方法は、第１サービス信号Ａに対応する第２サービス信号の伝送レートと第１サービス信号Ａの伝送レートとの間の偏差率に基づいて第１サービス信号Ａにパディング信号を挿入する方法と類似している。具体的な実施プロセスについては、第１サービス信号Ａに対応する第２サービス信号の伝送レートと第１サービス信号Ａの伝送レートとの間の偏差率に基づいて第１サービス信号Ａにパディング信号を挿入する実施プロセスを参照されたい。詳細は、本願で再び記載されない。
【０１８８】
下記は、パディング信号を第１サービス信号Ａに挿入する方法について詳述する。
【０１８９】
実施形態において、第１サービス信号Ａの伝送レート及び基準レートに基づいてパディング信号を第１サービス信号Ａに挿入する実施プロセスは、第１サービス信号Ａの伝送レートに基づいて、単位時間に取得される第１信号ユニットの数であるＸを決定することであり、前記第１信号ユニットは前記第１サービス信号Ａの信号ユニットである、ことと、第１サービス信号Ａの伝送レート及び基準レートに基づいて、単位時間に取得される第１信号ユニットのグループに挿入される必要がある第２信号ユニットの数であるＹを決定することであり、第２信号ユニットは前記パディング信号の信号ユニットである、ことと、各単位時間に第１信号ユニットのグループを取得する過程で、各単位時間に取得されるＸ個の第１信号ユニットにＹ個の第２信号ユニットを挿入することとを含んでよい。
【０１９０】
単位時間は、伝送レートに基づいて決定され得る。例えば、伝送レートがｂｐｓで測定される場合に、単位時間は１秒であってよい。単位時間が１秒であることは、第１信号ユニットのグループが１秒おきに取得されることを意味し、Ｙ個の第２信号ユニットは、毎秒取得されるＸ個の第１信号ユニットに挿入される。第１サービス信号Ａの信号ユニット及びパディング信号の信号ユニットは両方とも、ビットブロックであってよく、例えば、Ｍ／Ｎビットブロックであってよい。パディング信号は、偏差適応信号であってよい。
【０１９１】
具体的に、第１サービス信号Ａの伝送レート及び基準レートに基づいてＹを決定することは、第１サービス信号Ａに対応する第２サービス信号の伝送レートと第１サービス信号Ａの伝送レートとの間の偏差率に基づいてＹを決定することを含む。第１サービス信号Ａに対応する第２サービス信号の伝送レートは、第１サービス信号Ａの伝送レート及び基準レートに基づいて予め決定される。
【０１９２】
可能な実施形態で、第１サービス信号Ａの伝送レートは、Ｘとして決定されてよく、第１サービス信号Ａに対応する第２サービス信号の伝送レートと第１サービス信号Ａの伝送レートとの間の偏差率は、Ｙとして決定される。例えば、第１サービス信号Ａの伝送レートは１００ｂｐｓであり、偏差率は１５ｂｐｓであり、Ｘは１００でありかつＹは１５である。
【０１９３】
具体的に、各単位時間に取得されるＸ個の第１信号ユニットにＹ個の第２信号ユニットを挿入することは、次のいくつかの実施を含む。
【０１９４】
（１）現在の単位時間に第１信号ユニットのグループを取得する過程で、Ｘ個の第１信号ユニットが取得される場合に、取得されたＸ個の第１信号ユニットの後にＹ個の第２信号ユニットを挿入する。
【０１９５】
例えば、Ｘが１００であり、Ｙが１５であるとすれば、現在の単位時間に第１信号ユニットのグループを取得する過程で、１００個の第１信号ユニットが取得される場合に、１５個の第２信号ユニットは、取得された１００個の第１信号ユニットの後に挿入されてよい。
【０１９６】
挿入が実施（１）で行われる場合に、第１信号ユニットを取得し、第２信号ユニットを挿入する動作は、各単位時間に一度だけ行われる必要がある。このようにして、信号の取得及び挿入の回数は低減可能であり、動作は簡単であり、効率は相対的に高い。
【０１９７】
（２）ＸがＹ以上である場合に、Ｒを得るようＹに対するＸの比の端数を切り上げ、現在の単位時間に第１信号ユニットのグループを取得する過程で、Ｒ個の第１信号ユニットが取得されるたびに、取得されたＲ個の第１信号ユニットの後に１つの第２信号ユニットを挿入し、ＳがＲ以下であるとして、現在の単位時間において最後のＳ個の第１信号ユニットが取得される場合に、取得された最後のＳ個の第１信号ユニットの後に１つの第２信号ユニットを挿入する。
【０１９８】
すなわち、Ｒは、ｃｅｉｌｉｎｇ（Ｘ／Ｙ）に等しい。例えば、Ｘが１００であり、Ｙが１５である場合に、Ｒは７である。Ｘが１００であり、Ｙが１５であり、Ｒが７である場合に、現在の単位時間に第１信号ユニットのグループを取得する過程で、７個の第１信号ユニットが取得されるたびに、１つの第２信号ユニットが、取得された７個の第１信号ユニットの後に挿入されてよく、最後の２つの第１信号ユニットが取得されるときには、取得された２つの信号ユニットの後に１つの第２信号ユニットが挿入される。このようにして、現在の単位時間におけるパディング信号の挿入は完了され得る。
【０１９９】
上記から、実施（２）では、ＸがＹ以上である場合に、挿入されるべき第２信号ユニットは比較的に均等に第１信号ユニットに挿入可能であり、これは、第２信号ユニットが挿入された後で得られる第２サービス信号の伝送レートがレート要求を満足することを確かにすることができる、ことが分かる。
【０２００】
（３）ＸがＹに満たない場合に、Ｐを得るようＸに対するＹの比の端数を切り上げ、現在の単位時間に第１信号ユニットのグループを取得する過程で、１つの第１信号ユニットが取得されるたびに、取得された第１信号ユニットの後にＰ個の第２信号ユニットを挿入し、現在の単位時間において最後の第１信号ユニットが取得される場合に、取得された第１信号ユニットの後にＰ個の第２信号ユニットを挿入する。
【０２０１】
すなわち、Ｐは、ｃｅｉｌｉｎｇ（Ｙ／Ｘ）に等しい。例えば、Ｘが１５であり、Ｙが１００である場合に、Ｒは７である。Ｘが１５であり、Ｙが１００であり、Ｒが７である場合に、現在の単位時間に第１信号ユニットのグループを取得する過程で、１つの第１信号ユニットが取得されるたびに、７個の第２信号ユニットが、取得された第１信号ユニットの後に挿入されてよく、最後の第１信号ユニットが取得されるときには、取得された第１信号ユニットの後に２つの第２信号ユニットが挿入される。
【０２０２】
上記から、実施（３）では、ＸがＹに満たない場合に、挿入されるべき第２信号ユニットは、比較的に均等に第１信号ユニットに挿入可能であり、これは、第２信号ユニットが挿入された後に第２サービス信号の伝送レートがレート要求を満足することを確かにすることができる。
【０２０３】
（４）ＸがＹ以上である場合に、Ｅを得るようＹに対するＸの比の端数を切り捨て、ＹとＸをＹで除すことで得られる余りとに基づいて、単位時間に毎回取得される第１信号ユニットの数がＥ又はＥ＋１に等しいかどうかを決定し、決定された数に基づいて、現在の単位時間にＹ回第１信号ユニットを取得し、毎回取得された第１信号ユニットの後に１つの第２信号ユニットを挿入する。
【０２０４】
実施（４）では、ＸがＹ以上である場合に、より小さいＹが、単位時間に第１信号ユニットを取得する、すなわち、単位時間にＹ回第１信号ユニットを取得する回数として決定されてよい。更に、取得動作が実行された後で毎回、取得された第１信号ユニットの後に１つの第２信号ユニットが、全部でＹ個の第２信号ユニットを挿入する動作を実施するように、挿入される必要があり、それにより、挿入後に得られる第２サービス信号の伝送レートはレート要求を満足する。
【０２０５】
毎回取得される第１信号ユニットの数は、Ｅ又はＥ＋１であってよい。具体的に、毎回取得される第１信号ユニットの数がＥ又はＥ＋１であるかどうかは、Ｙと、ＸをＹで除すことによって得られる余りとに基づいて、決定されてよい。具体的に、単位時間に毎回取得される第１信号ユニットの数がＥ又はＥ＋１であるかどうかは、ＸをＹで除すことによって得られる余りと、Ｙと、単位時間に毎回第１信号ユニットを取得する取得回数とに基づいて、決定されてよい。
【０２０６】
可能な実施形態では、単位時間に毎回取得される第１信号ユニットの数がＥ又はＥ＋１であるかどうかは、次の式（２４）：
【数１２】
2021522746.tif 000014
を使用することによって、ＸをＹで除すことによって得られる余りと、Ｙと、単位時間に毎回第１信号ユニットを取得する取得回数とに基づいて、決定されてよい。
【０２０７】
ｉ＝１，２，・・・，Ｙであり、Ｈ（ｉ）は、単位時間においてｉ回目に取得される第１信号ユニットの数を示し、Ｇは、ＸをＹで除すことによって得られる余り、すなわち、Ｇ＝ｍｏｄ（Ｘ，Ｙ）であり、Ｚ（ｉ）＝ｍｏｄ（ｉ×Ｇ，Ｙ）である。
【０２０８】
Ｅは、ｆｌｏｏｒ（Ｘ／Ｙ）に等しい。例えば、Ｘが１００であり、Ｙが１５である場合に、Ｅは６である。Ｘが１００であり、Ｙが５であり、Ｅが６である場合に、第１信号ユニットは、単位時間に１５回取得され得ると決定されてよく、毎回６又は７個の第１信号ユニットが取得される。６又は７個の第１信号ユニットが取得されるたびに、取得された第１信号ユニットの後に１つの第２信号ユニットが挿入される。具体的に、６又は７個の第１信号ユニットが毎回取得されるかどうかは、上記の式（２４）に従って決定されてよい。
【０２０９】
例えば、Ｘが１００であり、Ｙが１５である場合に、具体的な値は次の通りである：Ｈ（１）＝６、Ｈ（２）＝７、Ｈ（３）＝７、Ｈ（４）＝６、Ｈ（５）＝７、Ｈ（６）＝７、Ｈ（７）＝６、Ｈ（８）＝７、Ｈ（９）＝７、Ｈ（１０）＝６、Ｈ（１１）＝７、Ｈ（１２）＝７、Ｈ（１３）＝６、Ｈ（１４）＝７、及びＨ（１５）＝７。
【０２１０】
具体的に言えば、信号ユニットは、各時間単位に１５回取得される。具体的な取得及び挿入のプロシージャは、次の通りであり、下記のプロシージャは、循環的に実行されてよい：
第１時点で６個の第１信号ユニットを取得し、１つの第２信号ユニットを挿入し；
第２時点で７個の第１信号ユニットを取得し、１つの第２信号ユニットを挿入し；
第３時点で７個の第１信号ユニットを取得し、１つの第２信号ユニットを挿入し；
第４時点で６個の第１信号ユニットを取得し、１つの第２信号ユニットを挿入し；
第５時点で７個の第１信号ユニットを取得し、１つの第２信号ユニットを挿入し；
第６時点で７個の第１信号ユニットを取得し、１つの第２信号ユニットを挿入し；
第７時点で６個の第１信号ユニットを取得し、１つの第２信号ユニットを挿入し；
第８時点で７個の第１信号ユニットを取得し、１つの第２信号ユニットを挿入し；
第９時点で７個の第１信号ユニットを取得し、１つの第２信号ユニットを挿入し；
第１０時点で６個の第１信号ユニットを取得し、１つの第２信号ユニットを挿入し；
第１１時点で７個の第１信号ユニットを取得し、１つの第２信号ユニットを挿入し；
第１２時点で７個の第１信号ユニットを取得し、１つの第２信号ユニットを挿入し；
第１３時点で６個の第１信号ユニットを取得し、１つの第２信号ユニットを挿入し；
第１４時点で７個の第１信号ユニットを取得し、１つの第２信号ユニットを挿入し；
第１５時点で７個の第１信号ユニットを取得し、１つの第２信号ユニットを挿入する。
【０２１１】
上記から、実施（４）では、ＸがＹ以上である場合に、挿入されるべき第２信号ユニットは、やはり、比較的に均等に第１信号ユニットに挿入可能であり、これは、第２信号ユニットが挿入された後に得られる第２サービス信号の伝送レートがレート要求を満足することを確かにすることができる。
【０２１２】
（５）ＸがＹに満たない場合に、Ｆを得るようＸに対するＹの比の端数を切り捨て、ＸとＹをＸで除すことで得られる余りとに基づいて、単位時間に毎回取得される１つの第１信号ユニットの後に挿入される第２信号ユニットの数がＦ又はＦ＋１に等しいかどうかを決定し、現在の単位時間にＸ回第１信号ユニットを取得し、決定された数に基づいて、毎回取得された１つの信号ユニットの後に第２信号ユニットを挿入する。
【０２１３】
実施（５）では、ＸがＹに満たない場合に、より小さいＸが、単位時間に第１信号ユニットを取得する、すなわち、単位時間にＹ回第１信号ユニットを取得する回数として決定されてよく、毎回１つの第１信号ユニットが取得される。更に、取得動作が実行された後で毎回、取得された第１信号ユニットの後に第２信号ユニットが更に挿入される必要があり、そして、全部でＹ個の第２信号ユニットが挿入される必要があり、それにより、レート要求は満足され得る。
【０２１４】
取得動作が完了された後で毎回、対応する第２信号ユニットが、毎回取得される１つの第１信号ユニットの後に挿入される必要がある。この実施では、Ｆ又はＦ＋１個の第２信号ユニットが毎回挿入されてよい。具体的に、毎回挿入される第２信号ユニットの数がＦ又はＦ＋１であるかどうかは、Ｘと、ＹをＸで除すことによって得られる余りとに基づいて、決定されてよい。具体的に、単位時間に毎回取得される１つの第１信号ユニットの後に挿入される第２信号ユニットの数がＦ又はＦ＋１であるかどうかは、ＹをＸで除すことによって得られる余りと、Ｙと、単位時間に毎回第１信号ユニットを取得する取得回数とに基づいて、決定されてよい。
【０２１５】
可能な実施形態では、単位時間に毎回取得される１つの第１信号ユニットの後に挿入される第２信号ユニットの数がＦ又はＦ＋１であるかどうかは、次の式（２５）：
【数１３】
2021522746.tif 000015
を使用することによって、ＹをＸで除すことによって得られる余りと、Ｙと、単位時間に毎回第１信号ユニットを取得する取得回数とに基づいて、決定されてよい。
【０２１６】
ｊ＝１，２，・・・，Ｘであり、Ｌ（ｊ）は、単位時間においてｊ回目に取得される１つの第１信号ユニットの後に挿入される第２信号ユニットの数を示し、Ｏは、ＸをＹで除すことによって得られる余り、すなわち、Ｏ＝ｍｏｄ（Ｙ，Ｘ）であり、Ｋ（ｊ）＝ｍｏｄ（ｊ×Ｏ，Ｘ）である。
【０２１７】
Ｆは、ｆｌｏｏｒ（Ｙ／Ｘ）に等しい。例えば、Ｘが１５であり、Ｙが１００である場合に、Ｆは６である。Ｘが１００であり、Ｙが１５であり、Ｆが６である場合に、第１信号ユニットは、単位時間に１５回取得され得ると決定されてよく、毎回１つの第１信号ユニットが取得される。１つの第１信号ユニットが取得されるたびに、取得された第１信号ユニットの後に６又は７個の第２信号ユニットが挿入される必要がある。具体的に、６又は７個の第２信号ユニットが毎回挿入されるかどうかは、上記の式（２５）に従って決定されてよい。
【０２１８】
例えば、Ｘが１５であり、Ｙが１００である場合に、具体的な値は次の通りである：Ｌ（１）＝６、Ｌ（２）＝７、Ｌ（３）＝７、Ｌ（４）＝６、Ｌ（５）＝７、Ｌ（６）＝７、Ｌ（７）＝６、Ｌ（８）＝７、Ｌ（９）＝７、Ｌ（１０）＝６、Ｌ（１１）＝７、Ｌ（１２）＝７、Ｌ（１３）＝６、Ｌ（１４）＝７、及びＬ（１５）＝７。
【０２１９】
具体的に言えば、信号ユニットは、各時間単位に１５回取得される。具体的な取得及び挿入のプロシージャは、次の通りであり、下記のプロシージャは、循環的に実行されてよい：
第１時点で１つの第１信号ユニットを取得し、６個の第２信号ユニットを挿入し；
第２時点で１つの第１信号ユニットを取得し、７個の第２信号ユニットを挿入し；
第３時点で１つの第１信号ユニットを取得し、７個の第２信号ユニットを挿入し；
第４時点で１つの第１信号ユニットを取得し、６個の第２信号ユニットを挿入し；
第５時点で１つの第１信号ユニットを取得し、７個の第２信号ユニットを挿入し；
第６時点で１つの第１信号ユニットを取得し、７個の第２信号ユニットを挿入し；
第７時点で１つの第１信号ユニットを取得し、６個の第２信号ユニットを挿入し；
第８時点で１つの第１信号ユニットを取得し、７個の第２信号ユニットを挿入し；
第９時点で１つの第１信号ユニットを取得し、７個の第２信号ユニットを挿入し；
第１０時点で１つの第１信号ユニットを取得し、６個の第２信号ユニットを挿入し；
第１１時点で１つの第１信号ユニットを取得し、７個の第２信号ユニットを挿入し；
第１２時点で１つの第１信号ユニットを取得し、７個の第２信号ユニットを挿入し；
第１３時点で１つの第１信号ユニットを取得し、６個の第２信号ユニットを挿入し；
第１４時点で１つの第１信号ユニットを取得し、７個の第２信号ユニットを挿入し；
第１５時点で１つの第１信号ユニットを取得し、７個の第２信号ユニットを挿入する。
【０２２０】
上記から、実施（５）では、ＸがＹに満たない場合に、挿入されるべき第２信号ユニットは、比較的に均等に第１信号ユニットに挿入可能であり、これは、第２信号ユニットが挿入された後に得られる第２サービス信号の伝送レートがレート要求を満足することを確かにすることができる。
【０２２１】
ステップ１１０３：第１ネットワークデバイスは、Ｎ個の第２サービス信号を１つの第３サービス信号に多重化し、第３サービス信号を第２ネットワークデバイスへ送信する。
【０２２２】
具体的に、Ｎ個の第２サービス信号を１つの第３サービス信号に多重化することは、Ｎ個の第２サービス信号の伝送レート間の比に基づいて、Ｎ個の第２サービス信号から信号ユニットを逐次取り出し、逐次取り出された信号ユニットを使用することによって１つの第３サービス信号を形成することを含む。信号ユニットはビットブロックであってよい。
【０２２３】
第１実施形態が例として使用される。Ｃｌｉｅｎｔ１´からＣｌｉｅｎｔ１１´に対応する１１個の第２サービス信号の間の伝送レートの比は、１：１：・・・：１８である。従って、１つのビットブロックが、１１個の第２サービス信号の伝送レート間の比に基づいて毎回最初の１０個の第２サービス信号から別々に取り出されてよく、１８個のビットブロックが１１個の第２サービス信号から取り出され、それから、逐次取り出されたビットブロックは１つの第３サービス信号を形成する。
【０２２４】
更に、Ｎ個の第２サービス信号は、第１ネットワークデバイスによって対応される通信チャネル上で１つの第３サービス信号に多重化されてよく、第３サービス信号は、その通信チャネルを通じて第２ネットワークデバイスへ送信される。通信チャネルのバンド幅は、Ｎ個の第２サービス信号の伝送レートの和以上である。すなわち、Ｎ個の第２サービス信号の多重伝送は、高速チャネルを通じて実行され得、それによって、通信チャネルの信号搬送効率を改善し、かつ、占有される伝送リソースを減らす。
【０２２５】
更に、Ｎ個の第２サービス信号を１つの第３サービス信号に多重化し、第３サービス信号を第２ネットワークデバイスへ送信することは、Ｎ個の第２サービス信号によって、Ｎ個の第２サービス信号の伝送レート間の比に対応する通信チャネル内のタイムスロットを別々に占有することを更に含んでよい。第１実施形態が例として使用される。Ｃｌｉｅｎｔ１´からＣｌｉｅｎｔ１１´に対応する１１個の第２サービス信号の間の伝送レートの比が１：１：・・・：１８である場合に、１１個の第２サービス信号によって夫々占有されるタイムスロットの比は、通信チャネルにおいて１：１：・・・：１８である。
【０２２６】
関連技術において、ＦｌｅｘＥに基づくネットワーキングでは、サービス信号を運ぶＦｌｅｘＥチャネルは、５Ｇｂｐｓ／２５ＧｂｐｓのＺ個のタイムスロットである（Ｚ≧１）。すなわち、サービス信号を運ぶＦｌｅｘＥチャネルのバンド幅は、Ｚ×５Ｇｂｐｓ又はＺ×２５Ｇｂｐｓである。従って、ＦｌｅｘＥチャネルの最小バンド幅は５Ｇｂｐｓであることが分かり、５ＧｂｐｓのＦｌｅｘＥチャネルは、伝送レートが５Ｇｂｐｓ以下であるサービス信号を伝送するために使用されてよい。５ＧｂｐｓのＦｌｅｘＥチャネルについて、伝送レートが１Ｇｂｐｓであるサービス信号がＦｌｅｘＥチャネルを通じて伝送される場合に、通信チャネルの信号搬送効率は２０％である。この場合に、搬送効率は比較的に低く、伝送リソースは浪費される。しかし、本願で提供される方法では、比較的に低い伝送レートを有する複数のサービス信号について、複数のサービス信号は均等に多重化され、高速ＦｌｅｘＥチャネルを通じて伝送され得、それによって、ＦｌｅｘＥチャネルの信号搬送効率を改善し、かつ、占有される伝送リソースを減らす。
【０２２７】
更に、Ｎ個の第２サービス信号のコーディングタイプは、Ｍ／Ｎビットブロックコーディングであってよく、第３サービス信号のコーディングタイプは、Ｎ個の第２サービス信号のコーディングタイプに制限されず、如何なるビットベース構成であってもよいことが留意されるべきである。具体的に、第３サービス信号のコーディングタイプは、Ｎ個の第２サービス信号のコーディングタイプと同じであるＭ／Ｎビットブロックコーディングであってよく、あるいは、ビットベースのフレーム構造であってもよい。ビットベースのフレーム構造は、１つ以上の非ペイロードエリア及び１つ以上のペイロードエリアによって柔軟に結合され得る。１つ以上の非ペイロードエリア及び１つ以上のペイロードエリアの夫々の行（Ｌ）及び列（Ｃ）は柔軟にセット可能であり、伝送周期も柔軟にセット可能である。ビットベースのフレーム構造は、具体的に図１４に示され得る。例えば、Ｃ＝９×８及びＬ＝９×８を有する１つの非ペイロードエリアと、Ｃ＝２６１×８及びＬ＝９×８を有する１つのペイロードエリアとが、ビットベースのフレーム構造のために設定され、非ペイロードエリアがペイロードエリアの前にある場合に、ビットベースのフレーム構造は、ＳＤＨのＳＴＭ−１フレーム構造である。Ｃ＝１６×８及びＬ＝４×８を有する１つの非ペイロードエリアと、Ｃ＝３８０８×８及びＬ＝４×８を有する１つのペイロードエリアとが、ビットベースのフレーム構造のために設定され、非ペイロードエリアがペイロードエリアの前にある場合に、ビットベースのフレーム構造は、ＯＴＮのＯＤＵフレーム構造である。
【０２２８】
第２実施形態が例として使用される。Ｃｌｉｅｎｔ１´からＣｌｉｅｎｔ３´を多重化することによって形成される第３サービス信号のコーディングタイプは、ビットベースのフレーム構造であってよい。Ｃ＝６６及びＬ＝２を有する１つの非ペイロードエリアと、Ｃ＝６６×１００及びＬ＝３を有する１つのペイロードエリアとが、ビットベースのフレーム構造のために設定されてよく、非ペイロードエリアはペイロードエリアの前にある。これは、具体的に図１５に示される。更に、多重伝送中に、１、９、及び１０個の６６ビットブロックが、毎回Ｃｌｉｅｎｔ１´からＣｌｉｅｎｔ３´から夫々取り出され、図１５に示されるビットベースのフレーム構造のペイロードエリアにはビットブロックが逐次置かれてよい。ビットベースのフレーム構造の伝送周期は、次の通り：
【数１４】
2021522746.tif 000016
であってよい。
【０２２９】
更に、特定の因子が変化する場合に、本願のサービス伝送プロシージャは更に、再起動される必要がある。例えば、図５の制御ユニットの制御ロジックが再起動される。特定の因子は、次を含むが限られない：
（１）基準レートが変化する；例えば、基準レートが制御ユニットを使用することによってユーザによって指定される場合、又はユーザが基準レートを変更する場合に、本願のサービス伝送プロシージャは再起動されてよい；
（２）Ｎ個の第１サービス信号に基づいて、少なくとも１つの第１サービス信号が加えられるか、あるいは、少なくとも１つの第１サービス信号が削除される；
（３）Ｎ個の第１サービス信号の伝送レート又はレート許容範囲が変化する；
（４）第３サービス信号のレート許容範囲が変化する；及び
（５）保守及び管理信号の割合が変化する。
【０２３０】
ステップ１１０４：第２ネットワークデバイスは、第１ネットワークデバイスによって送信された第３サービス信号を受信する。
【０２３１】
ステップ１１０５：第２ネットワークデバイスは、Ｎ個の第２サービス信号の多重化ルールに従って、第３サービス信号をＮ個の第２サービス信号に逆多重化する。
【０２３２】
例えば、第１ネットワークデバイスが、Ｎ個の第２サービス信号の伝送レート間の比に基づいてＮ個の第２サービス信号から信号ユニットを逐次取り出し、逐次取り出された信号ユニットを使用することによって１つの第３サービス信号を形成する場合に、第２ネットワークデバイスは、Ｎ個の第２サービス信号の伝送レート間の比に基づいて第３サービス信号から信号ユニットを逐次取り出し、毎回取り出された信号ユニットを結合してＮ個の第２サービス信号を取得してよい。
【０２３３】
ステップ１１０６：第２ネットワークデバイスは、Ｎ個の第１サービス信号を得るよう、逆多重化を通じて得られたＮ個の第２サービス信号からパディング信号を削除する。
【０２３４】
すなわち、逆多重化を通じて得られたＮ個の第２サービス信号の中の第２サービス信号Ｃについて、パディング信号は、第２サービス信号Ｃに対応する第１サービス信号を得るよう、第２サービス信号Ｃから削除されてよい。
【０２３５】
具体的に、第２サービス信号Ｃが、パディング信号として使用される偏差適応信号を、第２サービス信号Ｃに対応する第１サービス信号に挿入することによって取得される場合に、偏差適応信号は、第２サービス信号Ｃに対応する第１サービス信号を得るよう、第２サービス信号Ｃから削除されてよい。
【０２３６】
第２サービス信号Ｃが、パディング信号として使用される偏差適応信号並びに保守及び管理信号を、第２サービス信号Ｃに対応する第１サービス信号に挿入することによって取得される場合、かつ、保守及び管理信号が第２サービス信号Ｃに対応する第１サービス信号に比例的に挿入される場合に、偏差適応信号は第２サービス信号Ｃから削除される。保守及び管理信号は、第２サービス信号Ｃに対応する第１サービス信号に挿入された保守及び管理信号の割合に基づいて、偏差適応信号が削除されている第２サービス信号Ｃから取り出される。偏差適応信号が削除されておりかつ保守及び管理信号が取り出されている第２サービス信号Ｃは、第２サービス信号Ｃに対応する第１サービス信号として決定される。
【０２３７】
更に、偏差適応信号が削除された第２サービス信号Ｃから保守及び管理信号が取り出された後、第２サービス信号Ｃに対応する第１サービス信号は更に、保守及び管理信号で運ばれた保守及び管理情報に基づいて保守及び管理されてよい。例えば、保守及び管理信号がクロック特性情報を運ぶ場合に、第２サービス信号Ｃに対応する第１サービス信号のクロックは、クロック特性情報に基づいて回復され得る。
【０２３８】
本願では、同じコーディングタイプを有しかつ少なくとも２つの第１サービス信号が異なる伝送レートを有するＮ個の第１サービス信号について、Ｎ個の第１サービス信号と一対一の対応にあるＮ個の第２サービス信号を得るために、パディング信号がＮ個の第１サービス信号に挿入されてよい。次いで、Ｎ個の第２サービス信号は１つの第３サービス信号に多重化され、第３サービス信号は第２ネットワークデバイスへ送信される。Ｎ個の第２サービス信号の伝送レートは基準レートの整数倍である。すなわち、Ｎ個の第２サービス信号の伝送レートは、自明な整数比特性を有している。パディング信号は、対応する伝送レートが自明な整数比特性を有するＮ個の第２サービス信号を得るように、Ｎ個の第１サービス信号に挿入される。これは、自明な整数比特性を有するＮ個の第２サービス信号のその後の多重伝送を容易にし、異なる伝送レートを有するサービス信号を多重化する問題を解決することができる。Ｎ個の第１サービス信号に対してパディングを実行することによって得られたＮ個の第２サービス信号は、１つの第３サービス信号に多重化される。これは、Ｎ個の第１サービス信号の多重伝送を実施する。関連技術における別々の伝送方法と比較して、本願では、サービス信号伝送効率は改善され、占有される伝送リソースは低減される。
【０２３９】
図１６は、本願に従うサービス信号伝送装置の略構造図である。装置は、上記の第１ネットワークデバイスであってよい。図１６を参照すると、装置は、
図１１の実施形態におけるステップ１１０１を実行するよう構成される取得モジュール１６０１と、
図１１の実施形態におけるステップ１１０２を実行するよう構成される挿入モジュール１６０２と、
図１１の実施形態におけるステップ１１０３を実行するよう構成される多重化モジュール１６０３と
を含む。
【０２４０】
任意に、挿入モジュール１６０２は、
Ｎ個の第１サービス信号の中の第１サービス信号Ａについて、第１サービス信号Ａに対応する第２サービス信号を得るように第１サービス信号Ａの伝送レート及び基準レートに基づいてパディング信号を第１サービス信号Ａに挿入するよう構成される第１挿入ユニットを含む。
【０２４１】
任意に、第１挿入ユニットは、
第１サービス信号Ａの伝送レートに基づいて、単位時間に取得される第１信号ユニットの数であるＸを決定するよう構成される第１決定サブユニットであり、第１信号ユニットは第１サービス信号Ａの信号ユニットである、第１決定サブユニットと、
第１サービス信号Ａの伝送レート及び基準レートに基づいて、単位時間に取得される第１信号ユニットのグループに挿入される必要がある第２信号ユニットの数であるＹを決定するよう構成される第２決定サブユニットであり、第２信号ユニットはパディング信号の信号ユニットである、第２決定サブユニットと、
各単位時間に第１信号ユニットのグループを取得する過程で、各単位時間に取得されるＸ個の第１信号ユニットにＹ個の第２信号ユニットを挿入するよう構成される挿入サブユニットと
を含む。
【０２４２】
任意に、挿入サブユニットは、
現在の単位時間に第１信号ユニットのグループを取得する過程で、Ｘ個の第１信号ユニットが取得される場合に、取得されたＸ個の第１信号ユニットの後にＹ個の第２信号ユニットを挿入するよう特に構成される。
【０２４３】
任意に、挿入サブユニットは、
ＸがＹ以上である場合に、
Ｒを得るようＹに対するＸの比の端数を切り上げ、
現在の単位時間に第１信号ユニットのグループを取得する過程で、Ｒ個の第１信号ユニットが取得されるたびに、取得されたＲ個の第１信号ユニットの後に１つの第２信号ユニットを挿入し、
ＳがＲ以下であるとして、現在の単位時間において最後のＳ個の第１信号ユニットが取得される場合に、取得された最後のＳ個の第１信号ユニットの後に１つの第２信号ユニットを挿入するよう、かつ、
ＸがＹに満たない場合に、
Ｐを得るようＸに対するＹの比の端数を切り上げ、
現在の単位時間に第１信号ユニットのグループを取得する過程で、１つの第１信号ユニットが取得されるたびに、取得された第１信号ユニットの後にＰ個の第２信号ユニットを挿入し、
前記現在の単位時間において最後の第１信号ユニットが取得される場合に、ＱがＹと現在の単位時間に挿入される第２信号ユニットの数との間の差であるとして、取得された最後の第１信号ユニットの後にＱ個の第２信号ユニットを挿入するよう
特に構成される。
【０２４４】
任意に、挿入サブユニットは、
ＸがＹ以上である場合に、
Ｅを得るようＹに対するＸの比の端数を切り捨て、
ＹとＸをＹで除すことで得られる余りとに基づいて、単位時間に毎回取得される第１信号ユニットの数がＥ又はＥ＋１に等しいかどうかを決定し、
決定された数に基づいて、現在の単位時間にＹ回第１信号ユニットを取得し、毎回取得された第１信号ユニットの後に１つの第２信号ユニットを挿入するよう、かつ、
ＸがＹに満たない場合に、
Ｆを得るようＸに対するＹの比の端数を切り捨て、
ＸとＹをＸで除すことで得られる余りとに基づいて、単位時間に毎回取得される１つの第１信号ユニットの後に挿入される第２信号ユニットの数がＦ又はＦ＋１に等しいかどうかを決定し、
現在の単位時間にＸ回第１信号ユニットを取得し、決定された数に基づいて、毎回取得された１つの信号ユニットの後に第２信号ユニットを挿入するよう
特に構成される。
【０２４５】
任意に、挿入モジュールは、
Ｎ個の第１サービス信号の伝送レート又は設定されたレートに基づいて基準レートを決定するよう構成される第１決定ユニットを更に含む。
【０２４６】
任意に、第１決定ユニットは、
対象の第１サービス信号の伝送レートの１／Ｔを前記基準レートとして決定し、対象の第１サービス信号はＮ個の第１サービス信号の中の１つであり、Ｔは正の数である、よう、あるいは、
Ｎ個の第１サービス信号に挿入されるパディング信号のビットの総数が最小であるというポリシーに従って、Ｎ個の第１サービス信号から１つのサービス信号を選択し、選択されたサービス信号の伝送レートの１／Ｔを基準レートとして使用し、Ｔは正の数である、よう
特に構成される。
【０２４７】
任意に、挿入モジュールは、
第１サービス信号Ａの伝送レート及び基準レートに基づいて、第１サービス信号Ａに対応する第２サービス信号の伝送レートを決定するよう構成される第２決定ユニットと、
第１サービス信号Ａに対応する第２サービス信号を得るよう、第１サービス信号Ａの伝送レート及び第１サービス信号Ａに対応する第２サービス信号の伝送レートに基づいてパディング信号を第１サービス信号Ａに挿入するよう構成される第２挿入ユニットと
を含む。
【０２４８】
任意に、第２決定ユニットは、
第１サービス信号Ａの相対倍数と基準レートとの積である第１積に基づいて、第１サービス信号Ａに対応する第２サービス信号の伝送レートを決定するよう構成され、
第１サービス信号Ａの相対倍数は、基準レートに対する第１サービス信号Ａの伝送レートの比の端数を切り上げることによって得られる。
【０２４９】
任意に、第２決定ユニットは、
第１サービス信号Ａに対応する第２サービス信号の伝送レートとして第１積を決定するよう、あるいは、
Ｎ個の第１サービス信号の許容可能なレート変動下限の最小値及び第３サービス信号の許容可能なレート変動上限に基づいて予め決定された第１レート調整上限を取得し、第１レート調整上限に基づいて第１積を調整して、第１サービス信号Ａに対応する第２サービス信号の伝送レートを取得するよう
構成される。
【０２５０】
任意に、第２決定ユニットは、
第１積及び前記第１レート調整上限と第１積との積である第２積の和を第１サービス信号Ａに対応する第２サービス信号の伝送レートとして決定するよう構成される。
【０２５１】
任意に、装置は、
Ｎ個の第４サービス信号を受信するよう構成される受信モジュールであり、Ｎ個の第４サービス信号には、Ｎ個の第１サービス信号のコーディングタイプである対象のコーディングタイプとは異なるコーディングタイプを有する第４サービス信号が存在する、受信モジュールと、
対象のコーディングタイプに基づいて、Ｎ個の第４サービス信号の中の、対象のコーディングタイプとは異なるコーディングタイプを有する第４サービス信号に対して、コーディング変換を実行するよう構成される変換モジュールと、
コーディング変換された第４サービス信号と、対象のコーディングタイプと同じであるコーディングタイプを有する第４サービス信号とをＮ個の第１サービス信号として決定するよう構成される決定モジュールと
を更に含む。
【０２５２】
本願では、同じコーディングタイプを有しかつ少なくとも２つの第１サービス信号が異なる伝送レートを有するＮ個の第１サービス信号について、Ｎ個の第１サービス信号と一対一の対応にあるＮ個の第２サービス信号を得るために、パディング信号がＮ個の第１サービス信号に挿入されてよい。次いで、Ｎ個の第２サービス信号は１つの第３サービス信号に多重化され、第３サービス信号は第２ネットワークデバイスへ送信される。Ｎ個の第２サービス信号の伝送レートは基準レートの整数倍である。すなわち、Ｎ個の第２サービス信号の伝送レートは、自明な整数比特性を有している。パディング信号は、対応する伝送レートが自明な整数比特性を有するＮ個の第２サービス信号を得るように、Ｎ個の第１サービス信号に挿入される。これは、自明な整数比特性を有するＮ個の第２サービス信号のその後の多重伝送を容易にし、異なる伝送レートを有するサービス信号を多重化する問題を解決することができる。Ｎ個の第１サービス信号に対してパディングを実行することによって得られたＮ個の第２サービス信号は、１つの第３サービス信号に多重化される。これは、Ｎ個の第１サービス信号の多重伝送を実施する。関連技術における別々の伝送方法と比較して、本願では、サービス信号伝送効率は改善され、占有される伝送リソースは低減される。
【０２５３】
図１７は、本願に従う他のサービス信号伝送装置の略構造図である。装置は、上記の第２ネットワークデバイスであってよい。図１７を参照すると、装置は、
第１ネットワークデバイスによって送信された第３サービス信号を受信するよう構成される受信モジュール１７０１であり、第３サービス信号はＮ個の第２サービス信号を多重化することによって形成され、Ｎ個の第２サービス信号は、Ｎ個の第２サービス信号と一対一の対応にあるＮ個の第１サービス信号にパディング信号を挿入することによって取得され、Ｎ個の第２サービス信号の伝送レートは基準レートの整数倍であり、Ｎ個の第１サービス信号のコーディングタイプは同じであり、Ｎ個の第１サービス信号のうちの少なくとも２つは異なる伝送レートを有し、Ｎは２以上の整数である、受信モジュール１７０１と、
Ｎ個の第２サービス信号の多重化ルールに従って、第３サービス信号をＮ個の第２サービス信号に逆多重化するよう構成される逆多重化モジュール１７０２と、
Ｎ個の第１サービス信号を得るよう、逆多重化を通じて得られたＮ個の第２サービス信号からパディング信号を削除するよう構成される削除モジュール１７０３と
を含む。
【０２５４】
任意に、削除モジュール１７０３は、
逆多重化を通じて得られたＮ個の第２サービス信号の中の第２サービス信号Ｃについて、第２サービス信号Ｃが、パディング信号として使用される偏差適応信号並びに保守及び管理信号を第２サービス信号Ｃに対応する第１サービス信号に挿入することによって取得される場合、かつ、保守及び管理信号が第２サービス信号Ｃに対応する第１サービス信号に比例的に挿入される場合に、第２サービス信号Ｃから偏差適応信号を削除するよう構成される第１削除ユニットと、
第２サービス信号Ｃに対応する第１サービス信号に挿入された保守及び管理信号の割合に基づいて、偏差適応信号が削除されている第２サービス信号Ｃから保守及び管理信号を取り出すよう構成される第２削除ユニットと、
偏差適応信号が削除されておりかつ保守及び管理信号が取り出されている第２サービス信号Ｃを、第２サービス信号Ｃに対応する第１サービス信号として決定する決定ユニットと
を含む。
【０２５５】
本発明のこの実施形態で、Ｎ個の第１サービス信号の多重化ルールに従って、第３サービス信号は逆多重化され、パディング信号は、逆多重化を通じて得られたサービス信号から削除される。このようにして、Ｎ個の第１サービス信号は、多重伝送のために使用された第３サービス信号から成功裏に回復可能であり、多重受信問題は解決され、それによって、サービス信号伝送効率を改善し、かつ、占有される伝送リソースを低減する。
【０２５６】
上記の実施形態の全部及び一部は、ソフトウェア、ハードウェア、ファームウェア、又はそれらの任意の組み合わせによって実施されてよい。ソフトウェアが実施形態を実施するために使用される場合に、実施形態は、完全に又は部分的にコンピュータプログラム製品の形で実施されてよい。コンピュータプログラム製品は、１つ以上のコンピュータ命令を含む。コンピュータ命令がコンピュータでロード及び実行される場合に、本願に従うプロシージャ又は機能は全て又は部分的に生成される。コンピュータは汎用コンピュータ、専用コンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ伝送されてもよい。例えば、コンピュータ命令は、ウェブサイト、コンピュータ、サーバ、又はデータセンターから他のウェブサイト、コンピュータ、サーバ、又はデータセンターへ有線（例えば、同軸ケーブル、光ファイバ、若しくはデジタル加入者回線（Digital  Subscriber  Line，ＤＳＬ））又は無線（例えば、赤外線、電波、若しくはマイクロ波）様式で伝送されてよい。コンピュータ可読記憶媒体は、コンピュータによってアクセス可能な任意の使用可能な媒体、又は１つ以上の使用可能な媒体を組み込むサーバ若しくはデータセンターのようなデータ記憶デバイスであってよい。使用可能な媒体は、磁気媒体（例えば、フロッピーディスク、ハードディスク、又は磁気テープ）、光学媒体（例えば、デジタル・バーサタイル・ディスク（Digital  Versatile  Disc，ＤＶＤ））、半導体媒体（例えば、ソリッド・ステート・ドライブ（Solid  State  Disk，ＳＳＤ））、などであってよい。
【０２５７】
本願は、図１１のサービス伝送方法を実施するために使用されるコンピュータソフトウェア命令を記憶するよう構成されたコンピュータ記憶媒体を更に提供する。コンピュータソフトウェア命令は、上記の方法実施形態を実行するために設計されたプログラムを含む。アプリケーションを展開させるために必要とされるサービスデータは、記憶されているプログラムを実行することによって取得され得る。
【０２５８】
当業者であれば、実施形態のステップの全部又は一部がハードウェア又は関連するハードウェアに命令するプログラムによって実施されてよいと理解し得る。プログラムは、コンピュータ可読記憶媒体に記憶されてよい。記憶媒体は、リード・オンリー・メモリ、磁気ディスク、光ディスク、などであってよい。
【０２５９】
上記の説明は、本願の例となる実施形態にすぎず、本願を制限する意図はない。本願の精神及び原理から外れずに行われる如何なる変更、等価置換、又は改良も、本願の保護範囲内に入るべきである。
【０２６０】
本願は、２０１８年５月７日付けで「SERVICE  SIGNAL  TRANSMISSION  METHOD  AND  APPARATUS」と題されて出願された中国特許出願第２０１８１０４２７８４６．１号の優先権を主張する。なお、先の中国出願は、その全文を参照により本願に援用される。
【図１】
2021522746.tif 000017
【図２】
2021522746.tif 000018
【図３】
2021522746.tif 000019
【図４】
2021522746.tif 000020
【図５】
2021522746.tif 000021
【図６】
2021522746.tif 000022
【図７】
2021522746.tif 000023
【図８】
2021522746.tif 000024
【図９】
2021522746.tif 000025
【図１０】
2021522746.tif 000026
【図１１】
2021522746.tif 000027
【図１２】
2021522746.tif 000028
【図１３】
2021522746.tif 000029
【図１４】
2021522746.tif 000030
【図１５】
2021522746.tif 000031
【図１６】
2021522746.tif 000032
【図１７】
2021522746.tif 000033
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
第１ネットワークデバイスに適用されるサービス信号伝送方法であって、
Ｎ個の第１サービス信号を取得することであり、該Ｎ個の第１サービス信号のコーディングタイプは同じであり、前記Ｎ個の第１サービス信号のうちの少なくとも２つは異なる伝送レートを有し、Ｎは２以上の整数である、ことと、
前記Ｎ個の第１サービス信号と一対一の対応にあるＮ個の第２サービス信号を得るようパディング信号を前記Ｎ個の第１サービス信号に挿入することであり、前記Ｎ個の第２サービス信号の伝送レートは基準レートの整数倍である、ことと、
前記Ｎ個の第２サービス信号を１つの第３サービス信号に多重化し、該第３サービス信号を第２ネットワークデバイスへ送信することと
を有する方法。
【請求項２】
前記Ｎ個の第１サービス信号と一対一の対応にあるＮ個の第２サービス信号を得るようパディング信号を前記Ｎ個の第１サービス信号に挿入することは、
前記Ｎ個の第１サービス信号の中の第１サービス信号Ａについて、該第１サービス信号Ａに対応する第２サービス信号を得るよう前記第１サービス信号Ａの伝送レート及び前記基準レートに基づいてパディング信号を前記第１サービス信号Ａに挿入することを有する、
請求項１に記載の方法。
【請求項３】
前記第１サービス信号Ａに対応する第２サービス信号を得るよう前記第１サービス信号Ａの伝送レート及び前記基準レートに基づいてパディング信号を前記第１サービス信号Ａに挿入することは、
前記第１サービス信号Ａの伝送レートに基づいて、単位時間に取得される第１信号ユニットの数であるＸを決定することであり、前記第１信号ユニットは前記第１サービス信号Ａの信号ユニットである、ことと、
前記第１サービス信号Ａの伝送レート及び前記基準レートに基づいて、単位時間に取得される第１信号ユニットのグループに挿入される必要がある第２信号ユニットの数であるＹを決定することであり、前記第２信号ユニットは前記パディング信号の信号ユニットである、ことと、
各単位時間に第１信号ユニットのグループを取得する過程で、各単位時間に取得されるＸ個の第１信号ユニットにＹ個の第２信号ユニットを挿入することと
を有する、
請求項２に記載の方法。
【請求項４】
各単位時間に取得されるＸ個の第１信号ユニットにＹ個の第２信号ユニットを挿入することは、
現在の単位時間に第１信号ユニットのグループを取得する過程で、Ｘ個の第１信号ユニットが取得される場合に、該取得されたＸ個の第１信号ユニットの後にＹ個の第２信号ユニットを挿入することを有する、
請求項３に記載の方法。
【請求項５】
各単位時間に取得されるＸ個の第１信号ユニットにＹ個の第２信号ユニットを挿入することは、
ＸがＹ以上である場合に、
Ｒを得るようＹに対するＸの比の端数を切り上げ、
現在の単位時間に第１信号ユニットのグループを取得する過程で、Ｒ個の第１信号ユニットが取得されるたびに、該取得されたＲ個の第１信号ユニットの後に１つの第２信号ユニットを挿入し、
ＳがＲ以下であるとして、前記現在の単位時間において最後のＳ個の第１信号ユニットが取得される場合に、該取得された最後のＳ個の第１信号ユニットの後に１つの第２信号ユニットを挿入することと、
ＸがＹに満たない場合に、
Ｐを得るようＸに対するＹの比の端数を切り上げ、
現在の単位時間に第１信号ユニットのグループを取得する過程で、１つの第１信号ユニットが取得されるたびに、該取得された第１信号ユニットの後にＰ個の第２信号ユニットを挿入し、
前記現在の単位時間において最後の第１信号ユニットが取得される場合に、ＱがＹと前記現在の単位時間に挿入される第２信号ユニットの数との間の差であるとして、前記取得された最後の第１信号ユニットの後にＱ個の第２信号ユニットを挿入することと
を有する、
請求項３に記載の方法。
【請求項６】
各単位時間に取得されるＸ個の第１信号ユニットにＹ個の第２信号ユニットを挿入することは、
ＸがＹ以上である場合に、
Ｅを得るようＹに対するＸの比の端数を切り捨て、
ＹとＸをＹで除すことで得られる余りとに基づいて、単位時間に毎回取得される第１信号ユニットの数がＥ又はＥ＋１に等しいかどうかを決定し、
該決定された数に基づいて、現在の単位時間にＹ回第１信号ユニットを取得し、毎回取得された前記第１信号ユニットの後に１つの第２信号ユニットを挿入することと、
ＸがＹに満たない場合に、
Ｆを得るようＸに対するＹの比の端数を切り捨て、
ＸとＹをＸで除すことで得られる余りとに基づいて、単位時間に毎回取得される１つの第１信号ユニットの後に挿入される第２信号ユニットの数がＦ又はＦ＋１に等しいかどうかを決定し、
現在の単位時間にＸ回第１信号ユニットを取得し、前記決定された数に基づいて、毎回取得された１つの第１信号ユニットの後に第２信号ユニットを挿入することと
を有する、
請求項３に記載の方法。
【請求項７】
前記第１サービス信号Ａの伝送レート及び前記基準レートに基づいてパディング信号を前記第１サービス信号Ａに挿入することより前に、当該方法は、
前記Ｎ個の第１サービス信号の伝送レート又は設定されたレートに基づいて前記基準レートを決定することを更に有する、
請求項２乃至６のうちいずれか一項に記載の方法。
【請求項８】
前記Ｎ個の第１サービス信号の伝送レートに基づいて前記基準レートを決定することは、
対象の第１サービス信号の伝送レートの１／Ｔを前記基準レートとして決定することであり、前記対象の第１サービス信号は前記Ｎ個の第１サービス信号の中の１つであり、Ｔは正の数である、こと、又は
前記Ｎ個の第１サービス信号に挿入される前記パディング信号のビットの総数が最小であるというポリシーに従って、前記Ｎ個の第１サービス信号から１つのサービス信号を選択し、該選択されたサービス信号の伝送レートの１／Ｔを前記基準レートとして使用することであり、Ｔは正の数である、こと
を有する、
請求項７に記載の方法。
【請求項９】
前記第１サービス信号Ａに対応する第２サービス信号を得るよう前記第１サービス信号Ａの伝送レート及び前記基準レートに基づいてパディング信号を前記第１サービス信号Ａに挿入することは、
前記第１サービス信号Ａの伝送レート及び前記基準レートに基づいて、前記第１サービス信号Ａに対応する前記第２サービス信号の伝送レートを決定することと、
前記第１サービス信号Ａに対応する前記第２サービス信号を得るよう、前記第１サービス信号Ａの伝送レート及び前記第１サービス信号Ａに対応する前記第２サービス信号の伝送レートに基づいて前記パディング信号を前記第１サービス信号Ａに挿入することと
を有する、
請求項２に記載の方法。
【請求項１０】
前記第１サービス信号Ａの伝送レート及び前記基準レートに基づいて、前記第１サービス信号Ａに対応する前記第２サービス信号の伝送レートを決定することは、
前記第１サービス信号Ａの相対倍数と前記基準レートとの積である第１積に基づいて、前記第１サービス信号Ａに対応する前記第２サービス信号の伝送レートを決定することを有し、
前記第１サービス信号Ａの前記相対倍数は、前記基準レートに対する前記第１サービス信号Ａの伝送レートの比の端数を切り上げることによって得られる、
請求項９に記載の方法。
【請求項１１】
第１積に基づいて前記第１サービス信号Ａに対応する前記第２サービス信号の伝送レートを決定することは、
前記第１サービス信号Ａに対応する前記第２サービス信号の伝送レートとして前記第１積を決定すること、又は
前記Ｎ個の第１サービス信号の許容可能なレート変動下限の最小値及び前記第３サービス信号の許容可能なレート変動上限に基づいて予め決定された第１レート調整上限を取得し、該第１レート調整上限に基づいて前記第１積を調整して、前記第１サービス信号Ａに対応する前記第２サービス信号の伝送レートを取得すること
を有する、
請求項１０に記載の方法。
【請求項１２】
前記第１レート調整上限に基づいて前記第１積を調整して、前記第１サービス信号Ａに対応する前記第２サービス信号の伝送レートを取得することは、
前記第１積及び前記第１レート調整上限と前記第１積との積である第２積の和を前記第１サービス信号Ａに対応する前記第２サービス信号の伝送レートとして決定することを有する、
請求項１１に記載の方法。
【請求項１３】
Ｎ個の第１サービス信号を取得することより前に、当該方法は、
Ｎ個の第４サービス信号を受信することであり、該Ｎ個の第４サービス信号には、前記Ｎ個の第１サービス信号の前記コーディングタイプである対象のコーディングタイプとは異なるコーディングタイプを有する第４サービス信号が存在する、ことと、
前記対象のコーディングタイプに基づいて、前記Ｎ個の第４サービス信号の中の、前記対象のコーディングタイプとは異なるコーディングタイプを有する前記第４サービス信号に対して、コーディング変換を実行することと、
コーディング変換された第４サービス信号と、前記対象のコーディングタイプと同じであるコーディングタイプを有する第４サービス信号とを前記Ｎ個の第１サービス信号として決定することと
を更に有する、
請求項１乃至１２のうちいずれか一項に記載の方法。
【請求項１４】
第２ネットワークデバイスに適用されるサービス信号伝送方法であって、
第１ネットワークデバイスによって送信された第３サービス信号を受信することであり、該第３サービス信号はＮ個の第２サービス信号を多重化することによって形成され、該Ｎ個の第２サービス信号は、該Ｎ個の第２サービス信号と一対一の対応にあるＮ個の第１サービス信号にパディング信号を挿入することによって取得され、前記Ｎ個の第２サービス信号の伝送レートは基準レートの整数倍であり、前記Ｎ個の第１サービス信号のコーディングタイプは同じであり、前記Ｎ個の第１サービス信号のうちの少なくとも２つは異なる伝送レートを有し、Ｎは２以上の整数である、ことと、
前記Ｎ個の第２サービス信号の多重化ルールに従って、前記第３サービス信号を前記Ｎ個の第２サービス信号に逆多重化することと、
前記Ｎ個の第１サービス信号を得るよう、逆多重化を通じて得られた前記Ｎ個の第２サービス信号から前記パディング信号を削除することと
を有する方法。
【請求項１５】
第１ネットワークデバイスに適用されるサービス信号伝送装置であって、
Ｎ個の第１サービス信号を取得するよう構成される取得モジュールであり、該Ｎ個の第１サービス信号のコーディングタイプは同じであり、前記Ｎ個の第１サービス信号のうちの少なくとも２つは異なる伝送レートを有し、Ｎは２以上の整数である、前記取得モジュールと、
前記Ｎ個の第１サービス信号と一対一の対応にあるＮ個の第２サービス信号を得るようにパディング信号を前記Ｎ個の第１サービス信号に挿入するよう構成される挿入モジュールであり、前記Ｎ個の第２サービス信号の伝送レートは基準レートの整数倍である、前記挿入モジュールと、
前記Ｎ個の第２サービス信号を１つの第３サービス信号に多重化し、該第３サービス信号を第２ネットワークデバイスへ送信するよう構成される多重化モジュールと
を有する装置。
【請求項１６】
前記挿入モジュールは、
前記Ｎ個の第１サービス信号の中の第１サービス信号Ａについて、該第１サービス信号Ａに対応する第２サービス信号を得るように前記第１サービス信号Ａの伝送レート及び前記基準レートに基づいてパディング信号を前記第１サービス信号Ａに挿入するよう構成される第１挿入ユニットを有する、
請求項１５に記載の装置。
【請求項１７】
前記第１挿入ユニットは、
前記第１サービス信号Ａの伝送レートに基づいて、単位時間に取得される第１信号ユニットの数であるＸを決定するよう構成される第１決定サブユニットであり、前記第１信号ユニットは前記第１サービス信号Ａの信号ユニットである、前記第１決定サブユニットと、
前記第１サービス信号Ａの伝送レート及び前記基準レートに基づいて、単位時間に取得される第１信号ユニットのグループに挿入される必要がある第２信号ユニットの数であるＹを決定するよう構成される第２決定サブユニットであり、前記第２信号ユニットは前記パディング信号の信号ユニットである、前記第２決定サブユニットと、
各単位時間に第１信号ユニットのグループを取得する過程で、各単位時間に取得されるＸ個の第１信号ユニットにＹ個の第２信号ユニットを挿入するよう構成される挿入サブユニットと
を有する、
請求項１６に記載の装置。
【請求項１８】
前記挿入サブユニットは、
現在の単位時間に第１信号ユニットのグループを取得する過程で、Ｘ個の第１信号ユニットが取得される場合に、該取得されたＸ個の第１信号ユニットの後にＹ個の第２信号ユニットを挿入するよう特に構成される、
請求項１７に記載の装置。
【請求項１９】
前記挿入サブユニットは、
ＸがＹ以上である場合に、
Ｒを得るようＹに対するＸの比の端数を切り上げ、
現在の単位時間に第１信号ユニットのグループを取得する過程で、Ｒ個の第１信号ユニットが取得されるたびに、該取得されたＲ個の第１信号ユニットの後に１つの第２信号ユニットを挿入し、
ＳがＲ以下であるとして、前記現在の単位時間において最後のＳ個の第１信号ユニットが取得される場合に、該取得された最後のＳ個の第１信号ユニットの後に１つの第２信号ユニットを挿入するよう、かつ、
ＸがＹに満たない場合に、
Ｐを得るようＸに対するＹの比の端数を切り上げ、
現在の単位時間に第１信号ユニットのグループを取得する過程で、１つの第１信号ユニットが取得されるたびに、該取得された第１信号ユニットの後にＰ個の第２信号ユニットを挿入し、
前記現在の単位時間において最後の第１信号ユニットが取得される場合に、ＱがＹと前記現在の単位時間に挿入される第２信号ユニットの数との間の差であるとして、前記取得された最後の第１信号ユニットの後にＱ個の第２信号ユニットを挿入するよう
特に構成される、
請求項１７に記載の装置。
【請求項２０】
前記挿入サブユニットは、
ＸがＹ以上である場合に、
Ｅを得るようＹに対するＸの比の端数を切り捨て、
ＹとＸをＹで除すことで得られる余りとに基づいて、単位時間に毎回取得される第１信号ユニットの数がＥ又はＥ＋１に等しいかどうかを決定し、
該決定された数に基づいて、現在の単位時間にＹ回第１信号ユニットを取得し、毎回取得された前記第１信号ユニットの後に１つの第２信号ユニットを挿入するよう、かつ、
ＸがＹに満たない場合に、
Ｆを得るようＸに対するＹの比の端数を切り捨て、
ＸとＹをＸで除すことで得られる余りとに基づいて、単位時間に毎回取得される１つの第１信号ユニットの後に挿入される第２信号ユニットの数がＦ又はＦ＋１に等しいかどうかを決定し、
現在の単位時間にＸ回第１信号ユニットを取得し、前記決定された数に基づいて、毎回取得された１つの第１信号ユニットの後に第２信号ユニットを挿入するよう
特に構成される、
請求項１７に記載の装置。
【請求項２１】
前記挿入モジュールは、
前記Ｎ個の第１サービス信号の伝送レート又は設定されたレートに基づいて前記基準レートを決定するよう構成される第１決定ユニットを更に有する、
請求項１６乃至２０のうちいずれか一項に記載の装置。
【請求項２２】
前記第１決定ユニットは、
対象の第１サービス信号の伝送レートの１／Ｔを前記基準レートとして決定し、前記対象の第１サービス信号は前記Ｎ個の第１サービス信号の中の１つであり、Ｔは正の数である、よう、あるいは、
前記Ｎ個の第１サービス信号に挿入される前記パディング信号のビットの総数が最小であるというポリシーに従って、前記Ｎ個の第１サービス信号から１つのサービス信号を選択し、該選択されたサービス信号の伝送レートの１／Ｔを前記基準レートとして使用し、Ｔは正の数である、よう
特に構成される、
請求項２１に記載の装置。
【請求項２３】
前記挿入モジュールは、
前記第１サービス信号Ａの伝送レート及び前記基準レートに基づいて、前記第１サービス信号Ａに対応する前記第２サービス信号の伝送レートを決定するよう構成される第２決定ユニットと、
前記第１サービス信号Ａに対応する前記第２サービス信号を得るよう、前記第１サービス信号Ａの伝送レート及び前記第１サービス信号Ａに対応する前記第２サービス信号の伝送レートに基づいて前記パディング信号を前記第１サービス信号Ａに挿入するよう構成される第２挿入ユニットと
を有する、
請求項１６に記載の装置。
【請求項２４】
前記第２決定ユニットは、
前記第１サービス信号Ａの相対倍数と前記基準レートとの積である第１積に基づいて、前記第１サービス信号Ａに対応する前記第２サービス信号の伝送レートを決定するよう構成され、
前記第１サービス信号Ａの前記相対倍数は、前記基準レートに対する前記第１サービス信号Ａの伝送レートの比の端数を切り上げることによって得られる、
請求項２３に記載の装置。
【請求項２５】
前記第２決定ユニットは、
前記第１サービス信号Ａに対応する前記第２サービス信号の伝送レートとして前記第１積を決定するよう、あるいは、
前記Ｎ個の第１サービス信号の許容可能なレート変動下限の最小値及び前記第３サービス信号の許容可能なレート変動上限に基づいて予め決定された第１レート調整上限を取得し、該第１レート調整上限に基づいて前記第１積を調整して、前記第１サービス信号Ａに対応する前記第２サービス信号の伝送レートを取得するよう
構成される、
請求項２４に記載の装置。
【請求項２６】
前記第２決定ユニットは、
前記第１積及び前記第１レート調整上限と前記第１積との積である第２積の和を前記第１サービス信号Ａに対応する前記第２サービス信号の伝送レートとして決定するよう構成される、
請求項２５に記載の装置。
【請求項２７】
当該装置は、
Ｎ個の第４サービス信号を受信するよう構成される受信モジュールであり、該Ｎ個の第４サービス信号には、前記Ｎ個の第１サービス信号の前記コーディングタイプである対象のコーディングタイプとは異なるコーディングタイプを有する第４サービス信号が存在する、前記受信モジュールと、
前記対象のコーディングタイプに基づいて、前記Ｎ個の第４サービス信号の中の、前記対象のコーディングタイプとは異なるコーディングタイプを有する前記第４サービス信号に対して、コーディング変換を実行するよう構成される変換モジュールと、
コーディング変換された第４サービス信号と、前記対象のコーディングタイプと同じであるコーディングタイプを有する第４サービス信号とを前記Ｎ個の第１サービス信号として決定するよう構成される決定モジュールと
を更に有する、
請求項１５乃至２６のうちいずれか一項に記載の装置。
【請求項２８】
第２ネットワークデバイスに適用されるサービス信号伝送装置であって、
第１ネットワークデバイスによって送信された第３サービス信号を受信するよう構成される受信モジュールであり、該第３サービス信号はＮ個の第２サービス信号を多重化することによって形成され、該Ｎ個の第２サービス信号は、該Ｎ個の第２サービス信号と一対一の対応にあるＮ個の第１サービス信号にパディング信号を挿入することによって取得され、前記Ｎ個の第２サービス信号の伝送レートは基準レートの整数倍であり、前記Ｎ個の第１サービス信号のコーディングタイプは同じであり、前記Ｎ個の第１サービス信号のうちの少なくとも２つは異なる伝送レートを有し、Ｎは２以上の整数である、前記受信モジュールと、
前記Ｎ個の第２サービス信号の多重化ルールに従って、前記第３サービス信号を前記Ｎ個の第２サービス信号に逆多重化するよう構成される逆多重化モジュールと、
前記Ｎ個の第１サービス信号を得るよう、逆多重化を通じて得られた前記Ｎ個の第２サービス信号から前記パディング信号を削除するよう構成される削除モジュールと
を有する装置。
【請求項２９】
メモリと、プロセッサと、前記メモリに記憶され、前記プロセッサで実行され得るコンピュータプログラムとを有し、
前記プロセッサは、請求項１乃至１３のうちいずれか一項又は請求項１４に記載の方法におけるステップを実行するよう構成される、
ネットワークデバイス。
【請求項３０】
命令を記憶し、該命令がコンピュータで実行される場合に、該コンピュータが、請求項１乃至１３のうちいずれか一項又は請求項１４に記載の方法を実行することを可能にされる、
コンピュータ可読記憶媒体。
【手続補正２】
【補正対象書類名】明細書
【補正対象項目名】０００５
【補正方法】変更
【補正の内容】
【０００５】
比較的に低い伝送効率及び伝送リソースの浪費に係る先行技術の問題を解決すべく、本願は、サービス信号伝送方法及び装置を提供する。技術的解決法は次の通りである。
【手続補正３】
【補正対象書類名】明細書
【補正対象項目名】０００６
【補正方法】変更
【補正の内容】
【０００６】
第１の態様に従って、サービス信号伝送方法が提供され、方法は、
Ｎ個の第１サービス信号を取得することであり、Ｎ個の第１サービス信号のコーディングタイプは同じであり、Ｎ個の第１サービス信号のうちの少なくとも２つは異なる伝送レートを有し、Ｎは２以上の整数である、ことと、
Ｎ個の第１サービス信号と一対一の対応にあるＮ個の第２サービス信号を得るようパディング信号をＮ個の第１サービス信号に挿入することであり、Ｎ個の第２サービス信号の伝送レートは基準レートの整数倍である、ことと、
Ｎ個の第２サービス信号を１つの第３サービス信号に多重化し、第３サービス信号を第２ネットワークデバイスへ送信することと
を含む。
【手続補正４】
【補正対象書類名】明細書
【補正対象項目名】００１６
【補正方法】変更
【補正の内容】
【００１６】
任意に、各単位時間に取得されるＸ個の第１信号ユニットにＹ個の第２信号ユニットを挿入することは、
ＸがＹ以上である場合に、
Ｅを得るようＹに対するＸの比の端数を切り捨て、
ＹとＸをＹで除すことで得られる余りとに基づいて、単位時間に毎回取得される第１信号ユニットの数がＥ又はＥ＋１に等しいかどうかを決定し、
決定された数に基づいて、現在の単位時間にＹ回第１信号ユニットを取得し、毎回取得された第１信号ユニットの後に１つの第２信号ユニットを挿入することと、
ＸがＹに満たない場合に、
Ｆを得るようＸに対するＹの比の端数を切り捨て、
ＸとＹをＸで除すことで得られる余りとに基づいて、単位時間に毎回取得される１つの第１信号ユニットの後に挿入される第２信号ユニットの数がＦ又はＦ＋１に等しいかどうかを決定し、
現在の単位時間にＸ回第１信号ユニットを取得し、決定された数に基づいて、毎回取得された１つの第１信号ユニットの後に第２信号ユニットを挿入することと
を含む。
【手続補正５】
【補正対象書類名】明細書
【補正対象項目名】００４３
【補正方法】変更
【補正の内容】
【００４３】
第４の態様に従って、サービス信号伝送装置が提供される。サービス信号伝送装置は、第２の態様におけるサービス信号伝送方法の挙動を実施する機能を備えている。サービス信号伝送装置は、少なくとも１つのモジュールを含み、少なくとも１つのモジュールは、第２の態様で提供されるサービス信号伝送方法を実施するよう構成される。
【手続補正６】
【補正対象書類名】明細書
【補正対象項目名】００４８
【補正方法】変更
【補正の内容】
【００４８】
第３の態様、第５の態様、第７の態様、及び第８の態様で達成される技術的効果は、第１の態様の対応する技術的手段で達成されるそれらと同様であり、第４の態様、及び第６の態様で達成される技術的効果は、第２の態様の対応する技術的手段で達成されるそれらと同様である。詳細はここで再び記載されない。
【手続補正７】
【補正対象書類名】明細書
【補正対象項目名】００５２
【補正方法】変更
【補正の内容】
【００５２】
【図１】本願に従うＭ／Ｎビットブロックの概略図である。
【図２】本願に従う他のＭ／Ｎビットブロックの概略図である。
【図３】本願に従う更なる他のＭ／Ｎビットブロックの概略図である。
【図４】本願に従うサービス信号伝送システムの概略図である。
【図５】本願に従う第１ネットワークデバイス１０の略構造図である。
【図６】本願に従う第２ネットワークデバイス２０の略構造図である。
【図７】本願に従うＸ−ＥネットワーキングにおけるＰＥの略構造図である。
【図８】本願に従うＸ−ＥネットワーキングにおけるＰの略構造図である。
【図９】本願に従うＸ−Ｅ技術を使用することによってネットワークを確立しサービス信号を伝送することの概略図である。
【図１０】本願に従うネットワークデバイスの略構造図である。
【図１１】本願に従うサービス信号伝送方法のフローチャートである。
【図１２】本願に従うＩＤＬＥコードブロックのコードブロック構造の略構造図である。
【図１３】本願に従う保守及び管理信号のコードブロック構造の略構造図である。
【図１４】本願に従うビットベースのフレーム構造の概略図である。
【図１５】本願に従う他のビットベースのフレーム構造の概略図である。
【図１６】本願に従うサービス信号伝送装置の略構造図である。
【図１７】本願に従う他のサービス信号伝送装置の略構造図である。
【手続補正８】
【補正対象書類名】明細書
【補正対象項目名】００７０
【補正方法】変更
【補正の内容】
【００７０】
第２ネットワークデバイス２０は、第１ネットワークデバイス１０によって送信された第３サービス信号を受信し、Ｎ個の第２サービス信号の多重化ルールに従って第３サービス信号をＮ個の第２サービス信号に逆多重化し、逆多重化を通じて得られたＮ個の第２サービス信号からパディング信号を削除してＮ個の第１サービス信号を取得するよう構成される。
【手続補正９】
【補正対象書類名】明細書
【補正対象項目名】００７３
【補正方法】変更
【補正の内容】
【００７３】
制御ユニット１１は、第１ネットワークデバイス１０がＮ個の第１サービス信号を取得した後、Ｎ個の第１サービス信号と一対一の対応にあるＮ個の第２サービス信号を得るようパディング信号をＮ個の第１サービス信号に挿入するために、Ｎ個の第１サービス信号と一対一の対応にあるＮ個の信号挿入ユニット１２を制御するよう構成される。多重化ユニット１３は、Ｎ個の第２サービス信号を１つの第３サービス信号に多重化するよう構成され、それにより、第１ネットワークデバイス１０は、多重化された第３サービス信号を第２ネットワークデバイス２０へ送信する。
【手続補正１０】
【補正対象書類名】明細書
【補正対象項目名】００７５
【補正方法】変更
【補正の内容】
【００７５】
例えば、図５を参照すると、Ｎ個の第１サービス信号の中の第１サービス信号１について、制御ユニット１１は、第１サービス信号１の伝送レート及び基準レートに基づいて、第１サービス信号１に対応する第２サービス信号１の伝送レートを決定し、第１サービス信号１に対応する信号挿入ユニット１２を制御して、第１サービス信号１の伝送レート及び第１サービス信号１に対応する第２サービス信号１の伝送レートに基づいてパディング信号を第１サービス信号１に挿入することで、第１サービス信号１に対応する第２サービス信号１を取得し得る。
【手続補正１１】
【補正対象書類名】明細書
【補正対象項目名】００８３
【補正方法】変更
【補正の内容】
【００８３】
更に、制御ユニット１１は、レート調整ユニット（Rate  Adjust  Process，ＲＡＰ）及び許容範囲調整ユニット（Tolerance  Adjust  Process，ＴＡＰ）を更に含んでよい。ＲＡＰは、Ｎ個の第１サービス信号の伝送レート及び基準レートに基づいて、Ｎ個の第１サービス信号に対応する第２サービス信号の伝送レートを決定するよう構成される。ＴＡＰは、ＲＡＰによって決定される第２サービス信号の伝送レートを基に、Ｎ個の第１サービス信号のレート許容範囲、第３サービス信号のレート許容範囲、又はＮ個の第１サービス信号に別々に挿入される必要がある保守及び管理信号の割合のうちの少なくとも１つに基づいて第２サービス信号の伝送レートを更に細かく調整するよう構成される。
【手続補正１２】
【補正対象書類名】明細書
【補正対象項目名】００８６
【補正方法】変更
【補正の内容】
【００８６】
更に、第２ネットワークデバイス２０は、逆多重化ユニットを更に含んでもよく、逆多重化ユニットは、詳細な説明のために、第３サービス信号をＮ個の第２サービス信号に分離するよう構成されてよい。
【手続補正１３】
【補正対象書類名】明細書
【補正対象項目名】００８７
【補正方法】変更
【補正の内容】
【００８７】
図６は、本願に従う第２ネットワークデバイス２０の略構造図である。図６に示されるように、第２ネットワークデバイス２０は、逆多重化ユニット２１及びＮ個の削除ユニット２２を含む。
【手続補正１４】
【補正対象書類名】明細書
【補正対象項目名】００８９
【補正方法】変更
【補正の内容】
【００８９】
本願で提供されるサービス信号伝送方法は、サービス信号がビットブロックに基づいて伝送されるシナリオに適用され、例えば、サービス信号がイーサネット、フレキシブル・イーサネット（Flexible  Ethernet，ＦｌｅｘＥ）、又はＸ−Ｅのような技術に基づいて伝送されるシナリオに適用され得ることが留意されるべきである。例えば、本願におけるＮ個の第１サービス信号及び対応するＮ個の第２サービス信号のコーディングタイプは、Ｍ／Ｎビットブロックコーディングであってよい。本願における第３サービス信号のコーディングタイプは、Ｍ／Ｎビットブロックコーディング又は非Ｍ／Ｎビットブロックコーディングであってよく、第３サービス信号のコーディングタイプは、本願において制限されない。
【手続補正１５】
【補正対象書類名】明細書
【補正対象項目名】００９０
【補正方法】変更
【補正の内容】
【００９０】
例えば、本願で提供されるサービス信号伝送方法は、サービス信号がＸ−Ｅ技術に基づいて伝送されるシナリオに適用されることが、例として使用される。第１ネットワークデバイス及び第２ネットワークデバイスは、Ｘ−ＥネットワーキングにおけるＰＥ又はＰであってよい。
【手続補正１６】
【補正対象書類名】明細書
【補正対象項目名】００９３
【補正方法】変更
【補正の内容】
【００９３】
図９は、本願に従うＸ−Ｅ技術を使用することによってネットワークを確立しサービス信号を伝送する概略図である。図９に示されるように、Ｘ−Ｅ技術を使用することによって確立されたネットワークは、ＰＥ３０、Ｐ４０、及びＰＥ５０を含む。ＰＥ３０は、ユーザの受信されたＮ個のサービス信号を１つのサービス信号に多重化し、そのサービス信号をＰＥ５０へＰ４０を通じて送信してよい。サービス信号を受信した後、ＰＥ５０は、サービス信号からユーザのＮ個のサービス信号をリストアしてよい。
【手続補正１７】
【補正対象書類名】明細書
【補正対象項目名】０１０４
【補正方法】変更
【補正の内容】
【０１０４】
図１１は、本願に従うサービス信号伝送方法のフローチャートである。方法は、図１に示されるサービス信号伝送システムに適用され得る。図１１に示されるように、方法は次のステップを含む。
【手続補正１８】
【補正対象書類名】明細書
【補正対象項目名】０１１２
【補正方法】変更
【補正の内容】
【０１１２】
例えば、第１実施形態で、第１ネットワークデバイスは、ユーザ端末によって送信された１１個の第４サービス信号を受信すると仮定される。１１個の第４サービス信号はＣｌｉｅｎｔ１からＣｌｉｅｎｔ１１である。Ｃｌｉｅｎｔ１からＣｌｉｅｎｔ１０は、伝送レートが１５５５２００００ｂｐｓであり、コーディングタイプがＳＤＨであるサービス信号であり、Ｃｌｉｅｎｔ１１は、伝送レートが２６６６０５７Ｋｂｐｓであり、コーディングタイプがＯＵＴ１であるサービス信号であり、対象のコーディングタイプは６４Ｂ／６６Ｂコーディングである。従って、コーディング変換は、対象のコーディングタイプに基づいてＣｌｉｅｎｔ１からＣｌｉｅｎｔ１１に対して実行される必要がある。具体的に言えば、Ｃｌｉｅｎｔ１からＣｌｉｅｎｔ１１は、コーディングタイプが６４Ｂ／６６Ｂコーディングであるサービス信号に変換され、Ｃｌｉｅｎｔ１´からＣｌｉｅｎｔ１１´が得られる。実際のコーディング変換が実行された後、Ｃｌｉｅｎｔ１からＣｌｉｅｎｔ１１の信号ビットは、６４Ｂ／６６Ｂビットブロックにおける６４ビットのペイロードエリアにロードされ得る。
【手続補正１９】
【補正対象書類名】明細書
【補正対象項目名】０１１６
【補正方法】変更
【補正の内容】
【０１１６】
更なる他の例として、第３実施形態で、第１ネットワークデバイスは、ユーザ端末によって送信された２つの第４サービス信号を受信すると仮定される。２つの第４サービス信号はＣｌｉｅｎｔ１及びＣｌｉｅｎｔ２である。Ｃｌｉｅｎｔ１は、伝送レートが１５５５２００００ｂｐｓであり、コーディングタイプがＳＤＨであるサービス信号であり、Ｃｌｉｅｎｔ２は、伝送レートが６２２０８００００ｂｐｓであり、コーディングタイプがＳＤＨであるサービス信号であり、対象のコーディングタイプは６４Ｂ／６６Ｂコーディングである。従って、コーディング変換は、対象のコーディングタイプに基づいてＣｌｉｅｎｔ１及びＣｌｉｅｎｔ２に対して実行される必要がある。具体的に言えば、Ｃｌｉｅｎｔ１及びＣｌｉｅｎｔ２は、コーディングタイプが６４Ｂ／６６Ｂコーディングであるサービス信号に変換され、Ｃｌｉｅｎｔ１´及びＣｌｉｅｎｔ２´が得られる。
【手続補正２０】
【補正対象書類名】明細書
【補正対象項目名】０１６６
【補正方法】変更
【補正の内容】
【０１６６】
Ｃｌｉｅｎｔ１´からＣｌｉｅｎｔ１１´の中のＣｌｉｅｎｔ２´の伝送レートが基準レートとして使用され、Ｃｌｉｅｎｔ１´からＣｌｉｅｎｔ１１´に対応する１１個の第２サービス信号の伝送レートが夫々Ｓ１からＳ１１によって表される、とすると、Ｓ１からＳ１１は、夫々、次の式（１４）から式（１６）：
【数７】
2021522746.tif 000034
を使用することによって決定され得る。
【手続補正２１】
【補正対象書類名】明細書
【補正対象項目名】０１６８
【補正方法】変更
【補正の内容】
【０１６８】
第２実施形態が例として使用される。Ｃｌｉｅｎｔ１´及びＣｌｉｅｎｔ２´の周波数許容範囲は（＋１００ＰＰＭ，−１００ＰＰＭ）であり、Ｃｌｉｅｎｔ３´の周波数許容範囲は（＋２０ＰＰＭ，−２０ＰＰＭ）であり、第３サービス信号の周波数許容範囲は（＋２０ＰＰＭ，−２０ＰＰＭ）である。他の複雑因子が考慮されない場合に、各Ｃｌｉｅｎｔのレート許容範囲の値は周波数許容範囲のそれに等しく、周波数許容範囲の値は、レート許容範囲の値として直接使用され得る。Ｃｌｉｅｎｔ１´からＣｌｉｅｎｔ３´に挿入される必要ある保守及び管理信号の割合は全て、１００ＰＰＭである。第２レート調整上限がｆｍａｘによって表されるとすれば、ｆｍａｘは、次の式（１７）：
【数８】
2021522746.tif 000035
を使用することによって決定され得る。
【手続補正２２】
【補正対象書類名】明細書
【補正対象項目名】０２００
【補正方法】変更
【補正の内容】
【０２００】
（３）ＸがＹに満たない場合に、Ｐを得るようＸに対するＹの比の端数を切り上げ、現在の単位時間に第１信号ユニットのグループを取得する過程で、１つの第１信号ユニットが取得されるたびに、取得された第１信号ユニットの後にＰ個の第２信号ユニットを挿入し、現在の単位時間において最後の第１信号ユニットが取得される場合に、ＱがＹと前記現在の単位時間に挿入される第２信号ユニットの数との間の差であるとして、取得された最後の第１信号ユニットの後にＱ個の第２信号ユニットを挿入する。
【手続補正２３】
【補正対象書類名】明細書
【補正対象項目名】０２０１
【補正方法】変更
【補正の内容】
【０２０１】
すなわち、Ｐは、ｃｅｉｌｉｎｇ（Ｙ／Ｘ）に等しい。例えば、Ｘが１５であり、Ｙが１００である場合に、Ｐは７である。Ｘが１５であり、Ｙが１００であり、Ｐが７である場合に、現在の単位時間に第１信号ユニットのグループを取得する過程で、１つの第１信号ユニットが取得されるたびに、７個の第２信号ユニットが、取得された第１信号ユニットの後に挿入されてよく、最後の第１信号ユニットが取得されるときには、取得された第１信号ユニットの後に２つの第２信号ユニットが挿入される。
【手続補正２４】
【補正対象書類名】明細書
【補正対象項目名】０２１２
【補正方法】変更
【補正の内容】
【０２１２】
（５）ＸがＹに満たない場合に、Ｆを得るようＸに対するＹの比の端数を切り捨て、ＸとＹをＸで除すことで得られる余りとに基づいて、単位時間に毎回取得される１つの第１信号ユニットの後に挿入される第２信号ユニットの数がＦ又はＦ＋１に等しいかどうかを決定し、現在の単位時間にＸ回第１信号ユニットを取得し、決定された数に基づいて、毎回取得された１つの第１信号ユニットの後に第２信号ユニットを挿入する。
【手続補正２５】
【補正対象書類名】明細書
【補正対象項目名】０２１３
【補正方法】変更
【補正の内容】
【０２１３】
実施（５）では、ＸがＹに満たない場合に、より小さいＸが、単位時間に第１信号ユニットを取得する、すなわち、単位時間にＸ回第１信号ユニットを取得する回数として決定されてよく、毎回１つの第１信号ユニットが取得される。更に、取得動作が実行された後で毎回、取得された第１信号ユニットの後に第２信号ユニットが更に挿入される必要があり、そして、全部でＹ個の第２信号ユニットが挿入される必要があり、それにより、レート要求は満足され得る。
【手続補正２６】
【補正対象書類名】明細書
【補正対象項目名】０２１４
【補正方法】変更
【補正の内容】
【０２１４】
取得動作が完了された後で毎回、対応する第２信号ユニットが、毎回取得される１つの第１信号ユニットの後に挿入される必要がある。この実施では、Ｆ又はＦ＋１個の第２信号ユニットが毎回挿入されてよい。具体的に、毎回挿入される第２信号ユニットの数がＦ又はＦ＋１であるかどうかは、Ｘと、ＹをＸで除すことによって得られる余りとに基づいて、決定されてよい。具体的に、単位時間に毎回取得される１つの第１信号ユニットの後に挿入される第２信号ユニットの数がＦ又はＦ＋１であるかどうかは、ＹをＸで除すことによって得られる余りと、Ｘと、単位時間に毎回第１信号ユニットを取得する取得回数とに基づいて、決定されてよい。
【手続補正２７】
【補正対象書類名】明細書
【補正対象項目名】０２１５
【補正方法】変更
【補正の内容】
【０２１５】
可能な実施形態では、単位時間に毎回取得される１つの第１信号ユニットの後に挿入される第２信号ユニットの数がＦ又はＦ＋１であるかどうかは、次の式（２５）：
【数１３】
2021522746.tif 000036
を使用することによって、ＹをＸで除すことによって得られる余りと、Ｘと、単位時間に毎回第１信号ユニットを取得する取得回数とに基づいて、決定されてよい。
【手続補正２８】
【補正対象書類名】明細書
【補正対象項目名】０２１６
【補正方法】変更
【補正の内容】
【０２１６】
ｊ＝１，２，・・・，Ｘであり、Ｌ（ｊ）は、単位時間においてｊ回目に取得される１つの第１信号ユニットの後に挿入される第２信号ユニットの数を示し、Ｏは、ＹをＸで除すことによって得られる余り、すなわち、Ｏ＝ｍｏｄ（Ｙ，Ｘ）であり、Ｋ（ｊ）＝ｍｏｄ（ｊ×Ｏ，Ｘ）である。
【手続補正２９】
【補正対象書類名】明細書
【補正対象項目名】０２１７
【補正方法】変更
【補正の内容】
【０２１７】
Ｆは、ｆｌｏｏｒ（Ｙ／Ｘ）に等しい。例えば、Ｘが１５であり、Ｙが１００である場合に、Ｆは６である。Ｘが１５であり、Ｙが１００であり、Ｆが６である場合に、第１信号ユニットは、単位時間に１５回取得され得ると決定されてよく、毎回１つの第１信号ユニットが取得される。１つの第１信号ユニットが取得されるたびに、取得された第１信号ユニットの後に６又は７個の第２信号ユニットが挿入される必要がある。具体的に、６又は７個の第２信号ユニットが毎回挿入されるかどうかは、上記の式（２５）に従って決定されてよい。
【手続補正３０】
【補正対象書類名】明細書
【補正対象項目名】０２２９
【補正方法】変更
【補正の内容】
【０２２９】
更に、特定の因子が変化する場合に、本願のサービス信号伝送プロシージャは更に、再起動される必要がある。例えば、図５の制御ユニットの制御ロジックが再起動される。特定の因子は、次を含むが限られない：
（１）基準レートが変化する；例えば、基準レートが制御ユニットを使用することによってユーザによって指定される場合、又はユーザが基準レートを変更する場合に、本願のサービス信号伝送プロシージャは再起動されてよい；
（２）Ｎ個の第１サービス信号に基づいて、少なくとも１つの第１サービス信号が加えられるか、あるいは、少なくとも１つの第１サービス信号が削除される；
（３）Ｎ個の第１サービス信号の伝送レート又はレート許容範囲が変化する；
（４）第３サービス信号のレート許容範囲が変化する；及び
（５）保守及び管理信号の割合が変化する。
【手続補正３１】
【補正対象書類名】明細書
【補正対象項目名】０２４５
【補正方法】変更
【補正の内容】
【０２４５】
任意に、挿入モジュール１６０２は、
Ｎ個の第１サービス信号の伝送レート又は設定されたレートに基づいて基準レートを決定するよう構成される第１決定ユニットを更に含む。
【手続補正３２】
【補正対象書類名】明細書
【補正対象項目名】０２４７
【補正方法】変更
【補正の内容】
【０２４７】
任意に、挿入モジュール１６０２は、
第１サービス信号Ａの伝送レート及び基準レートに基づいて、第１サービス信号Ａに対応する第２サービス信号の伝送レートを決定するよう構成される第２決定ユニットと、
第１サービス信号Ａに対応する第２サービス信号を得るよう、第１サービス信号Ａの伝送レート及び第１サービス信号Ａに対応する第２サービス信号の伝送レートに基づいてパディング信号を第１サービス信号Ａに挿入するよう構成される第２挿入ユニットと
を含む。
【手続補正３３】
【補正対象書類名】明細書
【補正対象項目名】０２５７
【補正方法】変更
【補正の内容】
【０２５７】
本願は、図１１のサービス信号伝送方法を実施するために使用されるコンピュータソフトウェア命令を記憶するよう構成されたコンピュータ記憶媒体を更に提供する。コンピュータソフトウェア命令は、上記の方法実施形態を実行するために設計されたプログラムを含む。アプリケーションを展開させるために必要とされるサービスデータは、記憶されているプログラムを実行することによって取得され得る。
【手続補正３４】
【補正対象書類名】図面
【補正対象項目名】図９
【補正方法】変更
【補正の内容】
【図９】
2021522746.tif 000037
【手続補正３５】
【補正対象書類名】図面
【補正対象項目名】図１６
【補正方法】変更
【補正の内容】
【図１６】
2021522746.tif 000038
【手続補正３６】
【補正対象書類名】図面
【補正対象項目名】図１７
【補正方法】変更
【補正の内容】
【図１７】
2021522746.tif 000039
【国際調査報告】
2021522746.tif 000040
2021522746.tif 000041
2021522746.tif 000042
2021522746.tif 000043